(57)【要約】  取得状態検出部（３０７）は、無線伝送システム内の各無線伝送装置による自装置以外の他の各無線伝送装置のデバイス情報の取得状態を検出する。伝送品質測定部（３０８）は、映像音声データ信号送信装置となる無線伝送装置と映像音声データ信号の受信装置となる無線伝送装置との組み合わせ毎の伝送品質の測定結果を取得する。設置支援情報生成部（３０９）は、取得状態検出部（３０７）による検出結果と、伝送品質測定部（３０９）によって取得された伝送品質の測定結果とに基づいて、送信装置と受信装置の各組み合わせ間で所定の信号を所定のしきい値以上の伝送品質で無線伝送するための各無線伝送装置の設置方法を表す設置支援情報を生成する。
2012004944.tif 000002
【特許請求の範囲】
【請求項１】
第１の無線伝送装置と、複数の第２の無線伝送装置とを含む無線伝送システムのための第１の無線伝送装置であって、
上記第１の無線伝送装置と上記複数の第２の無線伝送装置とはそれぞれ、自装置以外の他の各無線伝送装置と無線通信することにより上記自装置以外の他の各無線伝送装置のデバイス情報を取得するデバイス情報取得部を備え、
上記デバイス情報は、所定の信号を無線送信する送信機能を有するか否かを示す情報と、上記信号を無線受信する受信機能を有するか否かを示す情報とを含み、
上記第１の無線伝送装置は、
上記各第２の無線伝送装置と無線通信することにより、上記各第２の無線伝送装置による自装置以外の他の各無線伝送装置のデバイス情報の取得状態を検出する取得状態検出部と、
上記第１の無線伝送装置のデバイス情報と、上記デバイス情報取得部により取得された上記各第２の無線伝送装置のデバイス情報とに基づいて、上記送信機能を有する送信装置と上記受信機能を有する受信装置との全ての組み合わせを抽出し、上記抽出された各組み合わせの上記送信装置となる各無線伝送装置に対して、上記受信装置となる各無線伝送装置との間の伝送品質を測定することを要求し、上記送信装置となる各無線伝送装置から、上記受信装置となる各無線伝送装置との間の伝送品質の測定結果を含む信号を無線受信し、上記無線受信された各測定結果を含む信号に基づいて、上記各組み合わせ毎の伝送品質の測定結果を取得する伝送品質測定部と、
上記取得状態検出部による検出結果と、上記伝送品質測定部によって取得された上記各組み合わせ毎の伝送品質の測定結果とに基づいて、上記抽出された各組み合わせ間で上記所定の信号を所定のしきい値以上の伝送品質で無線伝送するための上記各無線伝送装置の設置方法を表す設置支援情報を生成する設置支援情報生成部とを備えたことを特徴とする無線伝送装置。
【請求項２】
上記第１の無線伝送装置は、ミリ波帯の周波数を有する搬送波を用いて上記各第２の無線伝送装置との間で無線通信を行うことを特徴とする請求項１記載の無線伝送装置。
【請求項３】
上記設置方法は、無線伝送装置の設置方向を調整することと、無線伝送装置間の障害物を除去することと、無線伝送装置間の距離を調整することとのうちの少なくとも１つであることを特徴とする請求項１又は２記載の無線伝送装置。
【請求項４】
上記設置支援情報生成部は、上記デバイス情報を互いに取得できていない無線伝送装置の組み合わせが存在するとき、当該無線伝送装置間の障害物を除去することと、当該無線伝送装置間の距離を調整することとを上記設置方法として含む上記設置支援情報を生成することを特徴とする請求項１から３までのうちのいずれか１つに記載の無線伝送装置。
【請求項５】
上記設置支援情報生成部は、上記伝送品質が上記しきい値未満である無線伝送装置の組み合わせが存在するとき、当該無線伝送装置間の障害物を除去することと、当該無線伝送装置間の距離を調整することと、当該各無線伝送装置の設置方向を調整することとを上記設置方法として含む上記設置支援情報を生成することを特徴とする請求項１から４までのうちのいずれか１つに記載の無線伝送装置。
【請求項６】
上記伝送品質はパケット誤り率又は電波強度であることを特徴とする請求項１から５までのうちのいずれか１つに記載の無線伝送装置。
【請求項７】
上記取得状態検出部及び上記伝送品質測定部のうちの少なくとも一方と、上記設置支援情報生成部とは、定期的に繰り返し動作することを特徴とする請求項１から６までのうちのいずれか１つに記載の無線伝送装置。
【請求項８】
上記デバイス情報取得部は、所定のタイミングにおいて取得した上記自装置以外の他の各無線伝送装置のデバイス情報を記憶部に格納し、
上記設置支援情報生成部は、上記記憶部に格納されたデバイス情報に対応する各無線伝送装置のうち、上記取得状態検出部によって検出された検出結果に含まれてない無線伝送装置と他の各無線伝送装置との設置方法を表す別の設置支援情報を生成することを特徴とする請求項１から７までのうちのいずれか１つに記載の無線伝送装置。
【請求項９】
上記デバイス情報取得部は、無指向性電波を用いて上記自装置以外の他の各無線伝送装置と無線通信し、
上記取得状態検出部は、無指向性電波を用いて上記各第２の無線伝送装置と無線通信し、
上記伝送品質測定部は、無指向性電波を用いて、上記抽出された各組み合わせの送信装置となる各無線伝送装置と無線通信し、
上記送信装置となる各無線伝送装置は、上記受信装置となる各無線伝送装置との間の伝送品質を、指向性電波を用いて測定することを特徴とする請求項１から８までのうちのいずれか１つに記載の無線伝送装置。
【請求項１０】
上記所定の信号は映像データ信号及び音声データ信号のうちの少なくとも一方を含むことを特徴とする請求項１から９までのうちのいずれか１つに記載の無線伝送装置。
【請求項１１】
第１の無線伝送装置と、複数の第２の無線伝送装置とを含む無線伝送システムのための第２の無線伝送装置であって、
上記第１の無線伝送装置と上記複数の第２の無線伝送装置とはそれぞれ、自装置以外の他の各無線伝送装置と無線通信することにより上記自装置以外の他の各無線伝送装置のデバイス情報を取得するデバイス情報取得部を備え、
上記デバイス情報は、所定の信号を無線送信する送信機能を有するか否かを示す情報と、上記信号を無線受信する受信機能を有するか否かを示す情報とを含み、
上記第２の無線伝送装置は、
自装置以外の他の各無線伝送装置のデバイス情報の取得状態を示す信号を上記第１の無線伝送装置に無線送信し、
上記受信機能を有する受信装置となる各無線伝送装置との間の伝送品質を測定することを上記第１の無線伝送装置から要求されたとき、上記受信装置となる各無線伝送装置との間の伝送品質を測定し、上記伝送品質の測定結果を含む信号を上記第１の無線伝送装置に無線送信することを特徴とする無線伝送装置。
【請求項１２】
請求項１記載の第１の無線伝送装置と、
請求項１１記載の複数の第２の無線伝送装置とを含むことを特徴とする無線伝送システム。
【請求項１３】
第１の無線伝送装置と、複数の第２の無線伝送装置とを含む無線伝送システムのための無線伝送装置の設置支援方法であって、
上記第１の無線伝送装置と上記複数の第２の無線伝送装置とがそれぞれ、自装置以外の他の各無線伝送装置と無線通信することにより上記自装置以外の他の各無線伝送装置のデバイス情報を取得するデバイス情報取得ステップを含み、
上記デバイス情報は、所定の信号を無線送信する送信機能を有するか否かを示す情報と、上記信号を無線受信する受信機能を有するか否かを示す情報とを含み、
上記設置支援方法は、
上記第１の無線伝送装置が、上記各第２の無線伝送装置と無線通信することにより、上記各第２の無線伝送装置による自装置以外の他の各無線伝送装置のデバイス情報の取得状態を検出する取得状態検出ステップと、
上記第１の無線伝送装置が、上記第１の無線伝送装置のデバイス情報と、上記デバイス情報取得ステップにより取得された上記各第２の無線伝送装置のデバイス情報とに基づいて、上記送信機能を有する送信装置と上記受信機能を有する受信装置との全ての組み合わせを抽出し、上記抽出された各組み合わせの上記送信装置となる各無線伝送装置に対して、上記受信装置となる各無線伝送装置との間の伝送品質を測定することを要求し、上記送信装置となる各無線伝送装置から、上記受信装置となる各無線伝送装置との間の伝送品質の測定結果を含む信号を無線受信し、上記無線受信された各測定結果を含む信号に基づいて、上記各組み合わせ毎の伝送品質の測定結果を取得する伝送品質測定ステップと、
上記第１の無線伝送装置が、上記取得状態検出ステップによる検出結果と、上記伝送品質測定ステップによって取得された上記各組み合わせ毎の伝送品質の測定結果とに基づいて、上記抽出された各組み合わせ間で上記所定の信号を所定のしきい値以上の伝送品質で無線伝送するための上記各無線伝送装置の設置方法を表す設置支援情報を生成する設置支援情報生成ステップとを含むことを特徴とする無線伝送装置の設置支援方法。
【請求項１４】
請求項１３記載の無線伝送装置の設置支援方法における各ステップを含むことを特徴とするプログラム。
【請求項１５】
請求項１４記載のプログラムを格納したことを特徴とするコンピュータで読み取り可能な記録媒体。
【発明の詳細な説明】
【技術分野】
【０００１】
本発明は、３個以上の複数の無線伝送装置を含む無線伝送システムにおいて無線伝送装置の設置支援を行うための無線伝送装置と、上記設置支援を行う無線伝送装置を含む無線伝送システムと、無線伝送装置の設置支援方法と、当該設置支援方法のプログラムと、当該プログラムを格納するコンピュータで読み取り可能な記録媒体とに関する。
【背景技術】
【０００２】
近年、チューナ及びデコーダを含む送信装置と、ディスプレイ及びスピーカを含みかつ送信装置に無線接続された受信装置とを備えたテレビジョン放送受像機が提案されている。特許文献１には、このような送信装置及び受信装置の設置を支援するための設置状況通知方法が記載されている。特許文献１によれば、受信機が、送信機と無線接続できる無線チャンネルを検出し、かつ所定時間当たりの伝送エラー数が閾値より高いとされる領域をディスプレイ及びスピーカを用いて映像及び音声により通知する。従って、従来技術に比較して、ユーザに設置状況をより詳細に通知できる。
【先行技術文献】
【特許文献】
【０００３】
【特許文献１】特開２００９−３０２９２９号公報。
【特許文献２】米国特許出願公開第２０１０／０２４８６３８号の明細書。
【特許文献３】米国特許出願公開第２００９／０３０９９７８号の明細書。
【特許文献４】米国特許出願公開第２００４／０１７７３７７号の明細書。
【特許文献５】米国特許出願公開第２０１０／０１２８７６２号の明細書。
【特許文献６】米国特許出願公開第２００７／０２７０１０１号の明細書。
【発明の概要】
【発明が解決しようとする課題】
【０００４】
無線伝送システム内に３台以上の無線伝送装置が存在し、１台の無線伝送装置に複数の無線伝送装置を無線接続し、又は、複数の無線伝送装置に複数の無線伝送装置を無線接続する場合は、例えば、第１の無線伝送装置と第２の無線伝送装置との間の伝送品質を改善するために第１の無線伝送装置の設置位置を変更したとき、第１の無線伝送装置と第３の無線伝送装置との間の伝送品質が劣化することがある。このため、接続する無線伝送装置を変更する度に無線伝送装置の設置位置を調整する必要があった。また、ミリ波を用いた無線伝送装置においては、ミリ波が指向性を有するため、無線伝送装置のアンテナの向きも伝送品質に影響をもたらす。そのため、無線伝送装置の設置方向の調整も必要であった。【０００５】
例えば、無線伝送システム内に、第１の無線伝送装置と、第２の無線伝送装置と、第３の無線伝送装置が存在する場合、ユーザは、まず始めに、第１の無線伝送装置と第２の無線伝送装置とを無線接続してデータ伝送を行うために、それらの設置位置及びアンテナの向きの調整を行う。その後、第１の無線伝送装置と第３の無線伝送装置とを無線接続してデータ伝送を行うためにそれらの設置位置及びアンテナの向きを調整すると、第１の無線伝送装置と第２の無線伝送装置との位置関係及びアンテナ方向が変更されてしまい、第１の無線伝送装置と第２の無線伝送装置との設置位置及びアンテナ方向を再び調整する必要があった。【０００６】
しかしながら、従来技術に係る設置状況通知方法は、無線伝送システム内に２台の無線伝送装置が存在し、それらの無線伝送装置を１対１で接続することを前提としているので、３台以上の無線伝送装置を含む無線伝送システムにおける設置支援には適していなかった。【０００７】
本発明の目的は以上の問題点を解決し、３個以上の複数の無線伝送装置を含む無線伝送システムにおいて無線伝送装置の設置支援を行うための無線伝送装置と、上記設置支援を行う無線伝送装置を含む無線伝送システムと、無線伝送装置の設置支援方法と、当該設置支援方法のプログラムと、当該プログラムを格納するコンピュータで読み取り可能な記録媒体とを提供することにある。
【課題を解決するための手段】
【０００８】
第１の発明に係る無線伝送装置は、第１の無線伝送装置と、複数の第２の無線伝送装置とを含む無線伝送システムのための第１の無線伝送装置であって、
上記第１の無線伝送装置と上記複数の第２の無線伝送装置とはそれぞれ、自装置以外の他の各無線伝送装置と無線通信することにより上記自装置以外の他の各無線伝送装置のデバイス情報を取得するデバイス情報取得部を備え、
上記デバイス情報は、所定の信号を無線送信する送信機能を有するか否かを示す情報と、上記信号を無線受信する受信機能を有するか否かを示す情報とを含み、
上記第１の無線伝送装置は、
上記各第２の無線伝送装置と無線通信することにより、上記各第２の無線伝送装置による自装置以外の他の各無線伝送装置のデバイス情報の取得状態を検出する取得状態検出部と、
上記第１の無線伝送装置のデバイス情報と、上記デバイス情報取得部により取得された上記各第２の無線伝送装置のデバイス情報とに基づいて、上記送信機能を有する送信装置と上記受信機能を有する受信装置との全ての組み合わせを抽出し、上記抽出された各組み合わせの上記送信装置となる各無線伝送装置に対して、上記受信装置となる各無線伝送装置との間の伝送品質を測定することを要求し、上記送信装置となる各無線伝送装置から、上記受信装置となる各無線伝送装置との間の伝送品質の測定結果を含む信号を無線受信し、上記無線受信された各測定結果を含む信号に基づいて、上記各組み合わせ毎の伝送品質の測定結果を取得する伝送品質測定部と、
上記取得状態検出部による検出結果と、上記伝送品質測定部によって取得された上記各組み合わせ毎の伝送品質の測定結果とに基づいて、上記抽出された各組み合わせ間で上記所定の信号を所定のしきい値以上の伝送品質で無線伝送するための上記各無線伝送装置の設置方法を表す設置支援情報を生成する設置支援情報生成部とを備えたことを特徴とする。【０００９】
上記無線伝送装置において、上記第１の無線伝送装置は、ミリ波帯の周波数を有する搬送波を用いて上記各第２の無線伝送装置との間で無線通信を行うことを特徴とする。【００１０】
また、上記無線伝送装置において、上記設置方法は、無線伝送装置の設置方向を調整することと、無線伝送装置間の障害物を除去することと、無線伝送装置間の距離を調整することとのうちの少なくとも１つであることを特徴とする。【００１１】
さらに、上記無線伝送装置において、上記設置支援情報生成部は、上記デバイス情報を互いに取得できていない無線伝送装置の組み合わせが存在するとき、当該無線伝送装置間の障害物を除去することと、当該無線伝送装置間の距離を調整することとを上記設置方法として含む上記設置支援情報を生成することを特徴とする。【００１２】
またさらに、上記無線伝送装置において、上記設置支援情報生成部は、上記伝送品質が上記しきい値未満である無線伝送装置の組み合わせが存在するとき、当該無線伝送装置間の障害物を除去することと、当該無線伝送装置間の距離を調整することと、当該各無線伝送装置の設置方向を調整することとを上記設置方法として含む上記設置支援情報を生成することを特徴とする。【００１３】
また、上記無線伝送装置において、上記伝送品質はパケット誤り率又は電波強度であることを特徴とする。【００１４】
さらに、上記無線伝送装置において、上記取得状態検出部及び上記伝送品質測定部のうちの少なくとも一方と、上記設置支援情報生成部とは、定期的に繰り返し動作することを特徴とする。【００１５】
またさらに、上記無線伝送装置において、上記デバイス情報取得部は、所定のタイミングにおいて取得した上記自装置以外の他の各無線伝送装置のデバイス情報を記憶部に格納し、
上記設置支援情報生成部は、上記記憶部に格納されたデバイス情報に対応する各無線伝送装置のうち、上記取得状態検出部によって検出された検出結果に含まれてない無線伝送装置と他の各無線伝送装置との設置方法を表す別の設置支援情報を生成することを特徴とする。【００１６】
また、上記無線伝送装置において、上記デバイス情報取得部は、無指向性電波を用いて上記自装置以外の他の各無線伝送装置と無線通信し、
上記取得状態検出部は、無指向性電波を用いて上記各第２の無線伝送装置と無線通信し、
上記伝送品質測定部は、無指向性電波を用いて、上記抽出された各組み合わせの送信装置となる各無線伝送装置と無線通信し、
上記送信装置となる各無線伝送装置は、上記受信装置となる各無線伝送装置との間の伝送品質を、指向性電波を用いて測定することを特徴とする。【００１７】
さらに、上記無線伝送装置において、上記所定の信号は映像データ信号及び音声データ信号のうちの少なくとも一方を含むことを特徴とする。【００１８】
第２の発明に係る無線伝送装置は、第１の無線伝送装置と、複数の第２の無線伝送装置とを含む無線伝送システムのための第２の無線伝送装置であって、
上記第１の無線伝送装置と上記複数の第２の無線伝送装置とはそれぞれ、自装置以外の他の各無線伝送装置と無線通信することにより上記自装置以外の他の各無線伝送装置のデバイス情報を取得するデバイス情報取得部を備え、
上記デバイス情報は、所定の信号を無線送信する送信機能を有するか否かを示す情報と、上記信号を無線受信する受信機能を有するか否かを示す情報とを含み、
上記第２の無線伝送装置は、
自装置以外の他の各無線伝送装置のデバイス情報の取得状態を示す信号を上記第１の無線伝送装置に無線送信し、
上記受信機能を有する受信装置となる各無線伝送装置との間の伝送品質を測定することを上記第１の無線伝送装置から要求されたとき、上記受信装置となる各無線伝送装置との間の伝送品質を測定し、上記伝送品質の測定結果を含む信号を上記第１の無線伝送装置に無線送信することを特徴とする。【００１９】
第３の発明に係る無線伝送システムは、上記第１の無線伝送装置と、複数の上記第２の無線伝送装置とを含むことを特徴とする。【００２０】
第４の発明に係る無線伝送装置の設置支援方法は、第１の無線伝送装置と、複数の第２の無線伝送装置とを含む無線伝送システムのための無線伝送装置の設置支援方法であって、
上記第１の無線伝送装置と上記複数の第２の無線伝送装置とがそれぞれ、自装置以外の他の各無線伝送装置と無線通信することにより上記自装置以外の他の各無線伝送装置のデバイス情報を取得するデバイス情報取得ステップを含み、
上記デバイス情報は、所定の信号を無線送信する送信機能を有するか否かを示す情報と、上記信号を無線受信する受信機能を有するか否かを示す情報とを含み、
上記設置支援方法は、
上記第１の無線伝送装置が、上記各第２の無線伝送装置と無線通信することにより、上記各第２の無線伝送装置による自装置以外の他の各無線伝送装置のデバイス情報の取得状態を検出する取得状態検出ステップと、
上記第１の無線伝送装置が、上記第１の無線伝送装置のデバイス情報と、上記デバイス情報取得ステップにより取得された上記各第２の無線伝送装置のデバイス情報とに基づいて、上記送信機能を有する送信装置と上記受信機能を有する受信装置との全ての組み合わせを抽出し、上記抽出された各組み合わせの上記送信装置となる各無線伝送装置に対して、上記受信装置となる各無線伝送装置との間の伝送品質を測定することを要求し、上記送信装置となる各無線伝送装置から、上記受信装置となる各無線伝送装置との間の伝送品質の測定結果を含む信号を無線受信し、上記無線受信された各測定結果を含む信号に基づいて、上記各組み合わせ毎の伝送品質の測定結果を取得する伝送品質測定ステップと、
上記第１の無線伝送装置が、上記取得状態検出ステップによる検出結果と、上記伝送品質測定ステップによって取得された上記各組み合わせ毎の伝送品質の測定結果とに基づいて、上記抽出された各組み合わせ間で上記所定の信号を所定のしきい値以上の伝送品質で無線伝送するための上記各無線伝送装置の設置方法を表す設置支援情報を生成する設置支援情報生成ステップとを含むことを特徴とする。【００２１】
第５の発明に係るプログラムは、上記無線伝送装置の設置支援方法における各ステップを含むことを特徴とする。【００２２】
第６の発明に係るコンピュータで読み取り可能な記録媒体は、上記プログラムを格納したことを特徴とする。
【発明の効果】
【００２３】
本発明に係る無線伝送装置と、無線伝送システムと、無線伝送装置の設置支援方法と、当該設置支援方法のプログラムと、当該プログラムを格納するコンピュータで読み取り可能な記録媒体とによれば、取得状態検出部による検出結果と、伝送品質測定部によって取得された各組み合わせ毎の伝送品質の測定結果とに基づいて、抽出された各組み合わせ間で所定の信号を所定のしきい値以上の伝送品質で無線伝送するための各無線伝送装置の設置方法を表す設置支援情報を生成するので、３個以上の複数の無線伝送装置を含む無線伝送システムにおいて無線伝送装置の設置支援を行うことができる。
【図面の簡単な説明】
【００２４】
【図１】本発明の実施形態に係る無線伝送システムの構成を示すブロック図である。
【図２】図１の無線伝送装置１０１の構成を示すブロック図である。
【図３】図１の無線伝送装置１０２及び１０３の構成を示すブロック図である。
【図４】図１の無線伝送システムの管理装置である無線伝送装置１０２のコントローラ３０１によって実行される設置支援処理を示すフローチャートである。
【図５】図４のステップＳ７において設置支援情報生成部３０９により実行される設置支援情報生成処理を示すフローチャートである。
【図６】図１の無線伝送システムの第１の動作例における指向性電波到達範囲Ａ１，Ａ２，Ａ３及び無指向性電波到達範囲Ｂ１，Ｂ２，Ｂ３を示すブロック図である。
【図７】図１の無線伝送システムの第１の動作例を示すシーケンス図である。
【図８】図７のステップＳ７１７においてディスプレイ３０５に表示される設置支援情報の表示例である。
【図９】図１の無線伝送システムの第２の動作例における指向性電波到達範囲Ａ１，Ａ２，Ａ３及び無指向性電波到達範囲Ｂ１，Ｂ２，Ｂ３を示すブロック図である。
【図１０】図１の無線伝送システムの第２の動作例を示すシーケンス図である。
【図１１】図１０のステップＳ１０１０においてディスプレイ３０５に表示される設置支援情報の表示例である。
【図１２】図１０のステップＳ１０１０においてディスプレイ３０５に表示される設置支援情報の別の表示例である。
【図１３】図１の無線伝送システムの第３の動作例における指向性電波到達範囲Ａ１，Ａ２，Ａ３及び無指向性電波到達範囲Ｂ１，Ｂ２，Ｂ３を示すブロック図である。
【図１４】図１の無線伝送システムの第３の動作例を示すシーケンス図である。
【図１５】図１４のステップＳ１４１３においてディスプレイ３０５に表示される設置支援情報の表示例である。
【図１６】図１の無線伝送システムの第４の動作例における指向性電波到達範囲Ａ１，Ａ２，Ａ３及び無指向性電波到達範囲Ｂ１，Ｂ２，Ｂ３を示すブロック図である。
【図１７】図１の無線伝送システムの第４の動作例を示すシーケンス図である。
【図１８】図１７のステップＳ１７１７においてディスプレイ３０５に表示される設置支援情報の表示例である。
【図１９】本発明の実施形態の変形例に係る無線伝送装置１０２Ａ及び１０３Ａの構成を示すブロック図である。
【発明を実施するための形態】
【００２５】
以下、本発明に係る実施形態について図面を参照して説明する。なお、以下の各実施形態において、同様の構成要素については同一の符号を付している。
【００２６】
図１は、本発明の実施形態に係る無線伝送システムの構成を示すブロック図である。また、図２は、図１の無線伝送装置１０１の構成を示すブロック図であり、図３は、図１の無線伝送装置１０２及び１０３の構成を示すブロック図である。図１において、本実施形態に係る無線伝送システムは、無線伝送装置１０１，１０２及び１０３を備えて構成される。ここで、無線伝送装置１０１は、例えば、ＤＶＤプレーヤ又はセットトップボックス（ＳＴＢ：Ｓｅｔ  Ｔｏｐ  Ｂｏｘ（ＳＴＢ）、例えばチューナである。）等の映像音声再生装置であって、映像音声データ信号ＡＶ１１及びＡＶ１２の無線送信機能と、制御データ信号Ｃ１及びＣ２の無線送受信機能とを有する。また、無線伝送装置１０２及び１０３はそれぞれ、例えば、テレビジョン放送受像機等の映像音声表示装置、スピーカ等の音声出力装置、又はプロジェクタ等の映像表示装置である。本実施形態において、無線伝送装置１０２はテレビジョン放送受像機であり、映像音声データ信号ＡＶ１１の無線受信機能と、制御データ信号Ｃ１及びＣ３の無線送受信機能とを有する。さらに、無線伝送装置１０２は、図１の無線伝送システムを管理する管理装置として動作する。また、無線伝送装置１０３はスピーカであり、映像音声データ信号ＡＶ１２の無線受信機能と、制御データ信号Ｃ２及びＣ３の無線送受信機能とを有する。
【００２７】
図１において、無線伝送装置１０１は、映像データ信号及び音声データ信号を含む映像音声データ信号ＡＶ１１を無線伝送装置１０２に無線送信し、音声データ信号を含む映像音声データ信号ＡＶ１２を無線伝送装置１０３に無線送信する。また、無線伝送装置１０１は、制御データ信号Ｃ１を無線伝送装置１０２との間で無線送受信し、制御データ信号Ｃ２を無線伝送装置１０３との間で無線送受信する。さらに、無線伝送装置１０２は、制御データ信号Ｃ３を無線伝送装置１０２との間で無線送受信する。ここで、各制御データ信号Ｃ１、Ｃ２及びＣ３は、映像音声データ信号ＡＶ１１及びＡＶ１２並びに後述する測定データ以外のコマンド信号（以下、コマンドという。）、メッセージ信号（以下、メッセージという。）及び所定のデータを含む。具体的には、制御データ信号Ｃ１、Ｃ２及びＣ３は、後述するＭＡＣ（Media Access Control）認証処理のための参加要求メッセージ及び認証応答メッセージ、ＣＥＣ（Consumer Electronics Control）のためのコマンド、管理装置である無線伝送装置１０２からのビーコン信号、後述するデバイス情報交換処理のための所定のメッセージ、新デバイス発見通知メッセージ、並びに後述する設置支援処理のためのデバイス情報取得確認メッセージ、デバイス情報取得応答メッセージ、測定開始メッセージ、受信情報メッセージ及び測定結果メッセージを含む。また、映像音声データ信号ＡＶ１１及びＡＶ１２は、例えば６０ＧＨｚ程度のミリ波帯である高い周波数を有する指向性電波を搬送波として用いて無線送信される。一方、制御データ信号Ｃ１，Ｃ２及びＣ３は、映像音声データ信号ＡＶ１１及びＡＶ１２を無線送信するための搬送波の周波数より低くかつミリ波帯の周波数を有する無指向性電波を搬送波として用いて無線送信される。一般に、搬送波周波数が高くなるほど伝送速度は速くなるため、映像音声データ信号ＡＶ１１及びＡＶ１２は、制御データ信号Ｃ１，Ｃ２及びＣ３よりも速い伝送速度で無線送信される。
【００２８】
また、図１において、無線伝送装置１０２は無線伝送システムの管理を行う管理装置であり、所定のビーコン信号を定期的にブロードキャストする。一方、例えば、他の無線伝送装置１０１は、無線伝送システムへの参加を無線伝送装置１０２に対して要求するために、ビーコン信号に応答して参加要求メッセージを無線伝送装置１０２に無線送信する。これに応答して、無線伝送装置１０２は無線伝送装置１０１に対して固有の装置識別子を割り当て、無線伝送システムへの参加を許可することを示しかつ割り当てた装置識別子を含む認証応答メッセージを返信する。以下、参加要求メッセージ及び認証応答メッセージの送受信処理をＭＡＣ認証処理という。ＭＡＣ認証処理に続いて、無線伝送装置１０２は新たに割り当てた装置識別子を含む新デバイス発見通知メッセージを含むビーコン信号をブロードキャストする。新デバイス発見通知メッセージに応答して、例えば、既に無線伝送システムに参加している（すなわち、無線伝送装置１０２により装置識別子を割り当てられている。）無線伝送装置１０３は、受信したビーコン信号に含まれる装置識別子を有する無線伝送装置及び管理装置である無線伝送装置１０２との間で、デバイス情報を交換するためのデバイス情報交換処理を実行する。
【００２９】
ここで、デバイス情報は、無線伝送装置（以下、デバイスともいう。）の名称及び型番を含む機器情報、製造者名、無線能力（指向性電波の送受信機能の有無）、無線伝送装置の種別（例えば、テレビジョン放送受像機、セットトップボックス、ＤＶＤプレーヤ等のプレーヤ、スピーカ、プロジェクタ又はアンプである。）、映像音声データ信号を無線送信する送信機能を有するか否かの情報、映像音声データ信号を無線受信する受信機能を有するか否かの情報、サポートしている映像音声フォーマットの情報、及び予め無線伝送装置に割り当てられるＭＡＣアドレスを含む。デバイス情報交換処理において、一方の無線伝送装置は他方の無線伝送装置に対して自装置のデバイス情報を無線送信するとともに当該他方の無線伝送装置のデバイス情報を要求し、当該他方の無線伝送装置のデバイス情報を無線受信する。各無線伝送装置１０１〜１０３はそれぞれ、他の無線伝送装置１０１〜１０３との間でデバイス情報交換処理を実行すると、各無線伝送装置１０１〜１０３の装置識別子とデバイス情報とを関連づけて、デバイス情報テーブルとして記憶する。ただし、デバイス情報を交換する１組の無線伝送装置の各無指向性電波到達範囲が互いに重ならない場合は、これらの無線伝送装置は相手の無線伝送装置のデバイス情報を取得できない。
【００３０】
図２において、無線伝送装置１０１は、高速無線通信回路２０４ａと低速無線通信回路２０４ｂとアンテナ２０５とを備えたパケット無線送受信回路２０４と、パケット処理回路２０３と、映像音声再生回路２０２と、これらの回路等２０２〜２０４の動作を制御するコントローラ２０１と、記憶部２１０とを備えて構成される。映像音声再生回路２０２は、例えばＤＶＤドライブであって、コントローラ２０１からの制御に基づいて、ＤＶＤ等の記録媒体に記録された映像音声データを読み出してパケット処理回路２０３に出力する。パケット処理回路２０３は、映像音声再生回路２０２より入力される映像音声データを所定のパケットの形式のデジタル信号に変換して、映像音声データ信号ＡＶ１１又はＡＶ１２として高速無線通信回路２０４ａに出力する。また、パケット処理回路２０３は、コントローラ２０１より入力される他の無線伝送装置宛ての制御データを所定のパケットの形式のデジタル信号に変換して制御データ信号Ｃ１又はＣ２として低速無線通信回路２０４ｂに出力する。
【００３１】
また、図２において、アンテナ２０５は、例えば５行５列の２５個の矩形パッチアンテナ素子で構成されたアレーアンテナである。高速無線通信回路２０４ａは、コントローラ２０１からの制御に基づいて、アンテナ２０５の全アンテナ素子のうち所定の複数の（例えば５個の）アンテナ素子を選択し、選択されたアンテナ素子に入力される信号を重み付けすることにより、アンテナ２０５を所望のビーム方向を有する指向性アンテナとして動作させる。高速無線通信回路２０４ａは、パケット処理回路２０３からのデジタル信号に従って搬送波信号をデジタル変調し、映像音声データ信号ＡＶ１１又はＡＶ１２を含む変調後の無線信号を上述した指向性アンテナを介して無線送信する。
【００３２】
さらに、図２において、低速無線通信回路２０４ｂは、コントローラ２０１からの制御に基づいて、アンテナ２０５の全アンテナ素子のうち所定の複数の（例えば３個の）アンテナ素子を選択することにより、アンテナ２０５を無指向性アンテナとして動作させる。低速無線通信回路２０４ｂは、パケット処理回路２０３からのデジタル信号に従って搬送波信号をデジタル変調し、制御データ信号Ｃ１又はＣ２を含む変調後の無線信号を上述した無指向性アンテナを介して無線送信する。また、受信時には、低速無線通信回路２０４ｂは、上述した無指向性アンテナにより受信された制御データ信号Ｃ１又はＣ２を含む無線信号をベースバンド信号に復調した後、パケット処理回路２０３に出力する。パケット処理回路２０３は、入力されるベースバンド信号から所定のパケット分離処理により所定の制御コマンドをのみを取り出した後にコントローラ２０１に出力する。なお、高速無線通信回路２０４ａの伝送速度は低速無線通信回路２０４ｂの伝送速度よりも速くなるように設定される。
【００３３】
またさらに、図２において、記憶部２１０は、ＭＡＣ認証処理のプログラム及びデバイス情報交換処理のプログラムなどの無線伝送装置１０２の動作に必要とされかつコントローラ２０１によって実行されるプログラム並びにその実行のためのデータを予め格納している。
【００３４】
図２において、コントローラ２０１は、例えばＣＰＵ（Central Processing Unit）であって、映像音声再生回路２０２と、パケット処理回路２０３と、パケット無線送受信回路２０４との間で各回路２０２〜２０４の動作を制御するための制御データの交換を行うことにより、各回路２０２〜２０４の動作を制御する。図２に示すように、コントローラ２０１は、デバイス情報取得部２０６を有する。デバイス情報取得部２０６は、無線伝送システム内の他の無線伝送装置との間で上述したデバイス情報交換処理を実行し、無線伝送装置毎に、装置識別子と取得したデバイス情報とを関連づけて、デバイス情報テーブル２１０ｔとして記憶部２１０に記憶する。すなわち、デバイス情報取得部２０６は、自装置１０１以外の他の各無線伝送装置１０２及び１０３と、無指向性電波を用いて無線通信することにより自装置１０１以外の他の各無線伝送装置１０２及び１０３のデバイス情報を取得する。
【００３５】
次に、図３を参照して無線伝送装置１０２の構成を説明する。図３において、無線伝送装置１０２は、高速無線通信回路３０２ａと低速無線通信回路３０２ｂとアンテナ３１１とを備えたパケット無線送受信回路３０２と、パケット処理回路３０３と、スピーカ３０４と、ディスプレイ３０５と、これらの回路等３０２〜３０５の動作を制御するコントローラ３０１と、記憶部３１０とを備えて構成される。
【００３６】
また、図３において、アンテナ３１１は、例えば５行５列の２５個の矩形パッチアンテナ素子で構成されたアレーアンテナである。高速無線通信回路３０２ａは、コントローラ３０１からの制御に基づいて、アンテナ３１１の全アンテナ素子のうち所定の複数の（例えば５個の）アンテナ素子を選択し、選択されたアンテナ素子に入力される信号を重み付けすることにより、アンテナ３１１を所望のビーム方向を有する指向性アンテナとして動作させる。高速無線通信回路３０２ａは、上述した指向性アンテナにより受信された無線信号をベースバンド信号に復調した後、パケット処理回路３０３に出力する。パケット処理回路３０３は、高速無線通信回路３０２ａより入力されるベースバンド信号から所定のパケット分離処理により映像音声データ信号ＡＶ１１を取り出すことにより受信されたパケットをデコードする。パケット処理回路３０３によりデコードされた映像音声データ信号ＡＶ１１に含まれる音声データはスピーカ３０４に出力され、スピーカ３０４から音声として出力される。また、パケット処理回路３０３によりデコードされた映像音声データ信号ＡＶ１１に含まれる映像データはディスプレイ３０５に出力され、ディスプレイ３０５に映像として表示される。
【００３７】
さらに、図３において、低速無線通信回路３０２ｂは、コントローラ３０１からの制御に基づいて、アンテナ３１１の全アンテナ素子のうち所定の複数の（例えば３個の）アンテナ素子を選択することにより、アンテナ３１１を無指向性アンテナとして動作させる。低速無線通信回路３０２ｂは、パケット処理回路３０３からのデジタル信号に従って搬送波信号をデジタル変調し、制御データ信号Ｃ１又はＣ３を含む変調後の無線信号を上述した無指向性アンテナを介して無線送信する。また、受信時には、低速無線通信回路３０２ｂは、上述した無指向性アンテナにより受信された制御データ信号Ｃ１又はＣ３を含む無線信号をベースバンド信号に復調した後、パケット処理回路３０３に出力する。パケット処理回路３０３は、入力されるベースバンド信号から所定のパケット分離処理により所定の制御コマンドのみを取り出した後にコントローラ３０１に出力する。なお、高速無線通信回路３０２ａの伝送速度は低速無線通信回路３０２ｂの伝送速度よりも速くなるように設定される。
【００３８】
またさらに、図３において、記憶部３１０は詳細後述する図４の設置支援処理のプログラム、ＭＡＣ認証処理のプログラム、及びデバイス情報交換処理のプログラムなどの無線伝送装置１０３の動作に必要とされかつコントローラ３０１によって実行されるプログラム並びにその実行のためのデータを予め格納している。
【００３９】
図３において、コントローラ３０１は、例えばＣＰＵ（Central Processing Unit）であって、パケット無線送受信回路３０２と、パケット処理回路３０３と、スピーカ３０４と、ディスプレイ３０５と各回路３０２〜３０５の動作を制御するための制御データの交換を行うことにより、各回路３０２〜３０５の動作を制御する。また、コントローラ３０１は、デバイス情報取得部３０６と、取得状態検出部３０７と、伝送品質測定部３０８と、設置支援情報生成部３０９とを備えて構成され、これらの動作を制御する。デバイス情報取得部３０６は、無線伝送システム内の他の無線伝送装置との間で上述したデバイス情報交換処理を実行し、無線伝送装置毎に、装置識別子と取得したデバイス情報とを関連づけて、デバイス情報テーブル３１０ｔとして記憶部３１０に記憶する。すなわち、無線伝送装置１０２のデバイス情報取得部３０６は、自装置１０２以外の他の各無線伝送装置１０１及び１０３と、無指向性電波を用いて無線通信することにより自装置１０２以外の他の各無線伝送装置１０１及び１０３のデバイス情報を取得する。また、コントローラ３０１は、図４を参照して詳細後述する設置支援処理の各ステップを実行するように、取得状態検出部３０７と、伝送品質測定部３０８と、設置支援情報生成部３０９とを制御する。
【００４０】
具体的には、無線伝送装置１０２の取得状態検出部３０７と、伝送品質測定部３０８と、設置支援情報生成部３０９とは、以下のように動作する。取得状態検出部３０７は、無線伝送装置１０１及び１０３と無指向性電波を用いて無線通信することにより、各無線伝送装置１０１及び１０３による自装置以外の他の各無線伝送装置のデバイス情報の取得状態を検出する。また、伝送品質測定部３０８は、無線伝送装置１０２のデバイス情報と、デバイス情報取得部３０６により取得された無線伝送装置１０１及び１０３のデバイス情報とに基づいて、送信機能を有する送信装置と受信機能を有する受信装置との全ての組み合わせを抽出し、抽出された各組み合わせの送信装置となる各無線伝送装置に対して、受信装置となる各無線伝送装置との間の伝送品質を測定することを要求し、送信装置となる各無線伝送装置から、受信装置となる各無線伝送装置との間の伝送品質の測定結果を含む信号を無線受信し、無線受信された各測定結果を含む信号に基づいて、各組み合わせ毎の伝送品質の測定結果を取得する。ここで、伝送品質測定部３０８は、無指向性電波を用いて他の無線伝送装置１０１及び１０３と無線通信する。また、送信装置となる各無線伝送装置は、受信装置となる各無線伝送装置との間の伝送品質を、指向性電波を用いて測定する。さらに、設置支援情報生成部３０９は、取得状態検出部３０７による検出結果と、伝送品質測定部３０８によって取得された各組み合わせ毎の伝送品質の測定結果とに基づいて、抽出された各組み合わせ間で所定の信号を所定のしきい値以上の伝送品質で無線伝送するための各無線伝送装置１０１〜１０３の設置方法を表す設置支援情報を生成する。
【００４１】
また、図３において、ディスプレイ３０５は、無線伝送装置１０１〜１０３の設置を支援するための設置支援メニュー、ディスプレイ３０５の明るさ及びコントラストなどを調整するための表示調整メニュー及び受信する放送局を設定する選局設定メニューなどのメニュー項目を含むメニュー画面を表示する。ユーザがディスプレイ３０５にメニュー画面を表示し、所望のメニュー項目を選択すると、当該選択されたメニュー項目に対応する処理の開始を指示する所定の指示コマンドが生成されてコントローラ３０１に入力される。具体的には、ユーザが設置支援メニューを選択すると、設置支援の開始を指示する設置支援開始指示コマンドがコントローラ３０１に入力される。
【００４２】
なお、図３の構成は無線伝送装置１０３にも適用される。この場合、無線伝送装置１０３はディスプレイ３０５を備えない。また、高速無線通信回路３０２ａはアンテナ３１１を指向性アンテナとして動作させ、当該指向性アンテナを用いて映像音声データ信号ＡＶ１２を無線伝送装置１０１から無線受信する、さらに、低速無線通信回路３０２ｂは、アンテナ３１１を無指向性アンテナとして動作させ、当該無指向性アンテナを用いて制御データ信号Ｃ２を無線伝送装置１０１との間で無線送受信すると共に、制御データ信号Ｃ３を無線伝送装置１０２との間で無線送受信する。
【００４３】
図４は、図１の無線伝送システムの管理装置である無線伝送装置１０２のコントローラ３０１によって実行される設置支援処理を示すフローチャートである。図４の設置支援処理は、無線伝送装置１０２の起動時に開始される。始めに、ステップＳ１において、コントローラ３０１は、上述した設置支援開始指示コマンドがユーザによりディスプレイ３０５から入力されたか否かを判断する。ステップＳ１においてＹＥＳのときはステップＳ２に進む一方、ＮＯのときはステップＳ１の処理を繰り返して実行する。
【００４４】
ステップＳ２において、取得状態検出部３０７が、デバイス情報テーブル３１０ｔに含まれる全ての無線伝送装置に対して、低速無線通信回路３０２ｂを用いて、デバイス情報取得確認メッセージを送信する。ここで、デバイス情報取得確認メッセージは、無線伝送装置１０２がデバイス情報交換処理によりデバイス情報を取得して装置識別子と関連づけてデバイス情報テーブル３１０ｔに格納した全ての無線伝送装置の装置識別子を含む。デバイス情報取得確認メッセージを受信した無線伝送装置（例えば、無線伝送装置１０１である。）は、自装置内の記憶部に格納されたデバイス情報テーブル（例えば、デバイス情報テーブル２１０ｔである。）を参照して、デバイス情報取得確認メッセージに含まれる装置識別子に対応する各無線伝送装置のデバイス情報を取得できているか否かを判断し、当該判断結果を含むデバイス情報取得応答メッセージを無線伝送装置１０２に送信する。
【００４５】
ここで、デバイス情報取得応答メッセージは、デバイス情報取得応答メッセージを受信した無線伝送装置が、デバイス情報取得応答メッセージに含まれる装置識別子に対応する無線伝送装置のうち、どの無線伝送装置のデバイス情報を取得できているかを示すデータを含む。例えば、デバイス情報取得応答メッセージは、デバイス情報取得確認メッセージに含まれる装置識別子に対応する無線伝送装置のうち、デバイス情報を取得できていない無線伝送装置の装置識別子のみを含む。このとき、デバイス情報取得確認メッセージに含まれる装置識別子に対応する全ての無線伝送装置のデバイス情報が取得されている場合は、デバイス情報取得応答メッセージは何れの装置識別子も含まない。なお、デバイス情報取得確認メッセージ及びデバイス情報取得応答メッセージは各無線伝送装置の装置識別子を含んだが、本発明はこれに限られず、各無線伝送装置のＭＡＣアドレスなどの各無線伝送装置に固有の識別子を含めばよい。または、デバイス情報取得確認メッセージに含まれる無線伝送装置の識別子が全て含まれているか含まれていないかだけを示す情報を含めるようにしてもよい。
【００４６】
ステップＳ２に続いて、ステップＳ３において、取得状態検出部３０７が、低速無線通信回路３０２ｂを用いて、デバイス情報テーブル３１０ｔに含まれる各無線伝送装置からデバイス情報取得応答メッセージを受信する。そして、取得状態検出部３０７は、受信された各デバイス情報取得応答メッセージに基づいて、各無線伝送装置による他の無線伝送装置のデバイス情報の取得状態を検出し、検出結果を示す信号を発生して設置支援情報生成部３０９に出力する。取得状態検出部３０７は、ステップＳ２及びＳ３の各処理を実行することにより、デバイス情報テーブル３１０ｔに含まれる全ての無線伝送装置間でのデバイス情報の取得状態を検出する。これにより、取得状態検出部３０７は、デバイス情報テーブル３１０ｔに含まれる各無線伝送装置が、デバイス情報テーブル３１０ｔに含まれる他の全ての無線伝送装置のデバイス情報を取得しているかどうかを検出できる。
【００４７】
ステップＳ３に続いて、ステップＳ４において、伝送品質測定部３０８が、デバイス情報テーブル３１０ｔに含まれる各無線伝送装置のデバイス情報に基づいて、各無線伝送装置が映像音声データ信号を無線送信する送信機能を有するか否か、及び映像音声データ信号を無線受信する受信機能を有するか否かを判断し、上述した送信機能を有する無線伝送装置（以下、送信装置という。）と、上述した受信機能を有する無線伝送装置（以下、受信装置という。）との全ての組み合わせを抽出する。次に、ステップＳ５において、伝送品質測定部３０８が、抽出した各組み合わせの送信装置となる無線伝送装置に対して、受信装置となる各無線伝送装置との間の伝送品質の測定を行うことを要求する測定開始メッセージを送信する。なお、伝送品質測定部３０８は低速無線通信回路３０２ｂを用いて測定開始メッセージを送信する。
【００４８】
ステップＳ５において、無線伝送装置１０２から測定開始メッセージを受信した各無線伝送装置は、映像音声データ信号の送信先（受信装置である。）となる無線伝送装置との間で伝送品質の測定を行う。具体的には、送信装置となる無線伝送装置は、高速無線通信回路２０４ａ又は高速無線通信回路３０２ａを用いて（すなわち、指向性電波を用いて）、受信装置となる無線伝送装置に所定の測定用データを送信する。受信装置となる無線伝送装置は、測定用データを受信すると、受信された測定用データに基づいてパケット誤り率又は電波強度などの伝送品質を測定し、当該測定結果を含む所定の受信情報メッセージを送信装置となる無線伝送装置に送信する。送信装置となる無線伝送装置は、受信装置となる各無線伝送装置から受信情報メッセージを受信すると、各受信情報メッセージに含まれる伝送品質の測定結果を含む測定結果メッセージを生成して、無線伝送装置１０２に送信する。なお、本実施形態において、受信装置となる無線伝送装置が伝送品質を測定したが、本発明はこれに限られず、送信装置となる無線伝送装置がパケット誤り率を算出することにより受信装置との間の伝送品質を測定してもよい。
【００４９】
ステップＳ５に続いて、ステップＳ６において、伝送品質測定部３０８が、低速無線通信回路３０２ｂを用いて、送信装置となる全ての無線伝送装置から測定結果メッセージを受信し、受信した各測定結果メッセージに基づいて、送信装置となる無線伝送装置と、受信装置となる無線伝送装置との各組み合わせ毎の伝送品質の測定結果を取得し、当該取得した測定結果含む信号を発生して、設置支援情報生成部３０９に出力する。
【００５０】
すなわち、伝送品質測定部３０８は、ステップＳ４〜Ｓ６の各処理を実行することにより、デバイス情報テーブル３１０ｔを参照して、映像音声データ信号の送信装置となる無線伝送装置と映像音声データ信号の受信装置となる無線伝送装置との組み合わせを抽出し、抽出した組み合わせ毎に無線伝送装置間の伝送品質を測定し、当該測定結果を含む信号を設置支援情報生成部３０９に出力する。
【００５１】
図４において、ステップＳ６に続いて、ステップＳ７において、設置支援情報生成部３０９が、図５の設置支援情報生成処理を実行する。
【００５２】
図５は、図４のステップＳ７において設置支援情報生成部３０９により実行される設置支援情報生成処理を示すフローチャートである。始めにステップＳ１０において、設置支援情報生成部３０９は、取得状態検出部３０７から入力された、デバイス情報テーブル３１０ｔに含まれる各無線伝送装置による自装置以外の他の無線伝送装置のデバイス情報の取得状態の検出結果を示す信号に基づいて、デバイス情報テーブル３１０ｔに含まれる無線伝送装置のうち、少なくとも１つの無線伝送装置のデバイス情報を取得できていない無線伝送装置が存在するか否かを判断する。ステップＳ１０においてＹＥＳのときはステップＳ１４に進む一方、ステップＳ１０においてＮＯのときはステップＳ１１に進む。
【００５３】
デバイス情報テーブル３１０ｔに含まれる各無線伝送装置が他の全ての無線伝送装置のデバイス情報を所得できているとき、ステップＳ１１において、設置支援情報生成部３０９は、伝送品質測定部３０８から入力された、送信装置となる無線伝送装置と受信装置となる無線伝送装置との組み合わせ毎の伝送品質の測定結果を示す信号に基づいて、送信装置となる無線伝送装置と、受信装置となる無線伝送装置との全ての組み合わせにおいて、伝送品質が所定のしきい値以上であるか否かを判断する。ステップＳ１１においてＹＥＳのときはステップＳ１２に進む一方、ＮＯのときはステップＳ１３に進む。
【００５４】
送信装置となる無線伝送装置と、受信装置となる無線伝送装置との全ての組み合わせにおいて伝送品質が所定のしきい値以上であるとき、ステップＳ１２において、設置支援情報生成部３０９は、デバイス情報テーブル３１０ｔに含まれる全ての無線伝送装置のデバイス情報と、設置完了を示す所定のメッセージ（無線伝送装置の設置方法を表す情報である。）とを含む設置支援情報を生成してディスプレイ３０５に表示する。そして、図４の設置支援処理に戻り、設置支援処理を終了する。
【００５５】
また、送信装置となる無線伝送装置と、受信装置となる無線伝送装置との少なくとも１つの組み合わせにおいて伝送品質が所定のしきい値未満であるとき、設置支援情報生成部３０９はステップＳ１３の処理を実行する。ステップＳ１３において、設置支援情報生成部３０９は、伝送品質測定部３０８から入力された、送信装置となる無線伝送装置と受信装置となる無線伝送装置との組み合わせ毎の伝送品質の測定結果を示す信号と、デバイス情報テーブル３１０ｔとに基づいて、無線伝送装置の組み合わせ毎に、当該組み合わせに含まれる無線伝送装置の各デバイス情報と、各無線伝送装置の設置方法を表す情報とを含む設置支援情報とを生成して、ディスプレイ３０５に表示する。そして、図４の設置支援処理に戻り、設置支援処理を終了する。
【００５６】
具体的には、ステップＳ１３において、設置支援情報生成部３０９は、伝送品質が所定のしきい値未満である無線伝送装置の組み合わせが存在するとき（ステップＳ１１でＮＯのとき）、当該無線伝送装置間の障害物を除去することと、当該無線伝送装置間の距離を調整することと、当該各無線伝送装置の設置方向を調整することとを設置方法として含む設置支援情報を生成する。例えば、ステップＳ１３において、設置支援情報生成部３０９は、伝送品質が所定のしきい値以上である無線伝送装置の組み合わせ毎に、当該組み合わせに含まれる無線伝送装置の種別、名称、型番及び製造者名などのデバイス情報と、通信状態が良好であることを示す所定のメッセージとを含む設置支援情報を生成してディスプレイ３０５に表示する。さらに、伝送品質が所定のしきい値未満である無線伝送装置の組み合わせ毎に、当該組み合わせに含まれる無線伝送装置の種別、名称、型番及び製造者名などのデバイス情報と、通信状態が良好ではないことを示す所定のメッセージと、無線伝送装置間の距離が離れすぎていないか、無線伝送装置間に障害物がないか、及び無線伝送装置の設置方向が適切かなどの確認をユーザに促す所定のメッセージ（無線伝送装置の設置方法を表す情報である。）とを含む設置支援情報を生成してディスプレイ３０５に表示する。なお、ステップＳ１３において、伝送品質が所定のしきい値以上である無線伝送装置の組み合わせ毎に設置支援情報を生成して表示したが、本発明はこれに限られず、伝送品質が所定のしきい値未満である無線伝送装置の組み合わせのみついて設置支援情報を生成して表示してもよい。
【００５７】
さらに、ステップＳ１４において、設置支援情報生成部３０９は、取得状態検出部３０７から入力された、デバイス情報テーブル３１０ｔに含まれる各無線伝送装置による他の無線伝送装置のデバイス情報の取得状態の検出結果を示す信号に基づいて、デバイス情報交換処理においてデバイス情報の交換ができなかった無線伝送装置の組み合わせを抽出する。そして、設置支援情報生成部３０９は、デバイス情報テーブル３１０ｔを参照して、抽出した組み合わせに含まれる各無線伝送装置のデバイス情報と、各無線伝送装置の設置方法を表す情報とを含む設置支援情報とを生成して、ディスプレイ３０５に表示する。そして、図４の設置支援処理に戻り、設置支援処理を終了する。
【００５８】
具体的には、ステップＳ１４において、設置支援情報生成部３０９は、デバイス情報を互いに取得できていない無線伝送装置の組み合わせが存在するとき（ステップＳ１０でＹＥＳのとき）、当該無線伝送装置間の障害物を除去することと、当該無線伝送装置間の距離を調整することとを設置方法として含む上記設置支援情報を生成する。例えば、ステップＳ１４において、設置支援情報生成部３０９は、抽出した組み合わせに含まれる無線伝送装置の種別、名称、型番及び製造者名などのデバイス情報と、無線伝送装置間の距離が離れすぎていないか、及び無線伝送装置間に障害物がないかなどの確認をユーザに促す所定のメッセージ（無線伝送装置の設置方法を表す情報である。）とを含む設置支援情報を生成して表示する。なお、ステップＳ１４において、設置支援情報生成部３０９は、デバイス情報テーブル３１０ｔに含まれる各無線伝送装置による他の無線伝送装置のデバイス情報の取得状態の検出結果を示す信号に基づいて、デバイス情報交換処理においてデバイス情報の交換ができた無線伝送装置の組み合わせも抽出して、抽出した組み合わせに含まれる各無線伝送装置のデバイス情報と、通信状態が良好であることを示す所定のメッセージとを含む設置支援情報とを生成して、ディスプレイ３０５にさらに表示してもよい。
【００５９】
なお、ステップＳ１２，Ｓ１３及びＳ１４において、設置支援情報生成部３０９は各無線伝送装置の設置方法を表す設置支援情報を生成してディスプレイ３０５に表示したが、本発明はこれに限られず、設置支援情報を生成してスピーカ３０４を用いて音声として出力してもよく、ディスプレイ３０５及びスピーカ３０４の両方を用いて出力してもよく、ユーザが設置支援情報を認識できる任意の方法を用いて、設置支援情報を出力すればよい。
【００６０】
また、コントローラ３０１は図４の設置支援処理を実行したが、本発明はこれに限られない。例えば、コントローラ３０１は、図４のステップＳ４の処理に続いて図５のステップＳ１０の判断処理と同様の判断処理を実行し、ＮＯの場合にステップＳ５〜Ｓ７の処理を実行し、ＹＥＳの場合には図５のステップＳ１４の処理を実行して設置支援処理を終了してもよい。この場合、デバイス情報テーブル３１０ｔに含まれる無線伝送装置のうち、少なくとも１つの無線伝送装置のデバイス情報を取得できていない無線伝送装置が存在するときは、伝送品質測定部３０８による伝送品質の測定処理（ステップＳ４〜Ｓ６の処理）は実行されないので、無線伝送装置１０２の消費電力を削減できる。また、伝送品質測定部３０８は、デバイス情報交換が行われた無線伝送装置の組み合わせにおいてのみ、ステップＳ４〜Ｓ６において、伝送品質の測定を実行するように制御してもよい。その場合、伝送品質を測定した組み合わせの測定結果を含む信号を、設置支援情報生成部３０９に出力する。
【００６１】
次に、図１の無線伝送システムの第１〜第４の動作例を説明する。なお、以下の各動作例において、図６，図９，図１３及び図１６に示すように、無線伝送装置１０１のアンテナ２０５が指向性アンテナとして動作するとき、当該指向性アンテナは指向性電波到達範囲Ａ１を有し、アンテナ２０５が無指向性アンテナとして動作するとき当該無指向性アンテナは無指向性電波到達範囲Ｂ１を有する。また、無線伝送装置１０２のアンテナ３１１が指向性アンテナとして動作するとき、当該指向性アンテナは指向性電波到達範囲Ａ２を有し、アンテナ３１１が無指向性アンテナとして動作するとき当該無指向性アンテナは無指向性電波到達範囲Ｂ２を有する。さらに、無線伝送装置１０３のアンテナ３１１が指向性アンテナとして動作するとき、当該指向性アンテナは指向性電波到達範囲Ａ３を有し、アンテナ３１１が無指向性アンテナとして動作するとき当該無指向性アンテナは無指向性電波到達範囲Ｂ３を有する。
【００６２】
また、以下の各動作例において、無線伝送装置１０１はＤＶＤプレーヤであり、無線伝送装置１０２はテレビジョン放送受像機であり、無線伝送装置１０３はスピーカである。
【００６３】
第１の動作例．
図６は、図１の無線伝送システムの第１の動作例における指向性電波到達範囲Ａ１，Ａ２，Ａ３及び無指向性電波到達範囲Ｂ１，Ｂ２，Ｂ３を示すブロック図である。また、図７は、図１の無線伝送システムの第１の動作例を示すシーケンス図であり、図８は、図７のステップＳ７１７においてディスプレイ３０５に表示される設置支援情報の表示例である。
【００６４】
図６において、無指向性電波到達範囲Ｂ１は無線伝送装置１０２及び１０３を含み、無線伝送装置１０１は無指向性電波到達範囲Ｂ２及びＢ３に含まれるので、無線伝送装置１０１は無線伝送装置１０２との間で制御データ信号Ｃ１を送受信でき、無線伝送装置１０３との間で制御データ信号Ｃ２を送受信できる。さらに、無線伝送装置１０２は無線伝送装置１０３との間で制御データ信号Ｃ３を送受信できる。また、指向性電波到達範囲Ａ１は無線伝送装置１０２及び１０３を含み、無線伝送装置１０１は指向性電波到達範囲Ａ２及びＡ３に含まれるので、無線伝送装置１０１は無線伝送装置１０２に映像音声データ信号ＡＶ１１を送信でき、無線伝送装置１０３に映像音声データ信号ＡＶ１２を送信できる。すなわち、図６において、無線伝送装置１０１，１０２及び１０３はそれぞれ、制御データ信号Ｃ１，Ｃ２及びＣ３並びに映像音声データ信号ＡＶ１１及びＡＶ１２を送受信可能な位置及び向きに設置されている。
【００６５】
図７において、無線伝送装置１０１と１０２との間で制御データ信号Ｃ１の送受信が可能であるので、ステップＳ７０１においてＭＡＣ認証処理が実行される。ステップＳ７０１のＭＡＣ認証処理において、無線伝送装置１０１は無線伝送システムへの参加を要求する参加要求メッセージを無線伝送装置１０２に送信し、これに応答して、無線伝送装置１０２は無線伝送システムへの参加を許可する認証応答メッセージを返信する。その後、ステップＳ７０２において、無線伝送装置１０２は、無線伝送システム内の全ての無線伝送装置に対して、無線伝送装置１０１が新たに無線伝送システムに参加したことを示す新デバイス発見通知メッセージを含むビーコン信号を送信する。
【００６６】
また、無線伝送装置１０２と１０３との間で制御データ信号Ｃ３の送受信が可能であるので、ステップＳ７０３においてＭＡＣ認証処理が実行される。ステップＳ７０３のＭＡＣ認証処理において、無線伝送装置１０３は参加要求メッセージを無線伝送装置１０２に送信し、これに応答して、無線伝送装置１０２は無線伝送システムへの参加を許可する認証応答メッセージを返信する。その後、ステップＳ７０４において、無線伝送装置１０２は、無線伝送システム内の全ての無線伝送装置に対して、無線伝送装置１０３が新たに無線伝送システムに参加したことを示す新デバイス発見通知メッセージを含むビーコン信号を送信する。
【００６７】
次に、ステップＳ７０５において、無線伝送装置１０１と１０２との間でデバイス情報交換処理が実行される。さらに、ステップＳ７０６において、無線伝送装置１０２と１０３との間でデバイス情報交換処理が実行される。また、ステップＳ７０７において、無線伝送装置１０１と１０３との間でデバイス情報交換処理が実行される。ステップＳ７０５，Ｓ７０６及びＳ７０７の各処理により、無線伝送装置１０１は無線伝送装置１０２及び１０３の装置識別子と取得したデバイス情報とを関連づけてデバイス情報テーブル２１０ｔとして記憶部２１０に記憶し、無線伝送装置１０２は無線伝送装置１０１及び１０３の装置識別子と取得したデバイス情報とを関連づけてデバイス情報テーブル３１０ｔとして無線伝送装置１０２の記憶部３１０に記憶し、無線伝送装置１０３は無線伝送装置１０１及び１０２の装置識別子と取得したデバイス情報とを関連づけてデバイス情報テーブル３１０ｔとして無線伝送装置１０３の記憶部３１０に記憶する。ステップＳ７０７のデバイス情報交換処理終了後のタイミングにおいて、無線伝送装置１０２により管理されている無線伝送システムは、無線伝送装置１０１，１０２及び１０３を含む。
【００６８】
次に、ステップＳ７０８において、無線伝送装置１０２に設置支援開始指示コマンドが入力される。これに応答して、ステップＳ７０９において、無線伝送装置１０２の取得状態検出部３０７は、図４のステップＳ２の処理を実行することにより、無線伝送装置１０１〜１０３の各装置識別子を含むデバイス情報取得確認メッセージを無線伝送装置１０１に送信する。これに応答して、ステップＳ７１１において、無線伝送装置１０１はデバイス情報取得応答メッセージを無線伝送装置１０２に送信する。このとき、無線伝送装置１０１は、ステップＳ７０５及びＳ７０７のデバイス情報取得処理により無線伝送装置１０２及び１０３の各デバイス情報を取得済みであるので、デバイス情報取得応答メッセージに、無線伝送装置１０２及び１０３の各装置識別子をセットする。
【００６９】
また、ステップＳ７０９の実行と同時に、ステップＳ７１０において無線伝送装置１０２の取得状態検出部３０７は、図４のステップＳ２の処理を実行することにより、無線伝送装置１０１〜１０３の各装置識別子を含むデバイス情報取得確認メッセージを無線伝送装置１０３に送信する。これに応答して、ステップＳ７１２において、無線伝送装置１０３はデバイス情報取得応答メッセージを無線伝送装置１０２に送信する。このとき、無線伝送装置１０３は、ステップＳ７０６及びＳ７０７のデバイス情報取得処理により無線伝送装置１０１及び１０２の各デバイス情報を取得済みであるので、デバイス情報取得応答メッセージに、無線伝送装置１０１及び１０２の各装置識別子をセットする。
【００７０】
ステップＳ７１１及びＳ７１２において、無線伝送装置１０２は、無線伝送装置１０１及び１０３の両方からデバイス情報取得応答メッセージを受信する。そして、無線伝送装置１０２の取得状態検出部３０７は、図４のステップＳ３の処理を実行することにより、受信した各デバイス情報取得応答メッセージに含まれる装置識別子に基づいて、無線伝送システム内の全ての無線伝送装置１０１〜１０３間でデバイス情報の交換が正常に行われたことを検出する。取得状態検出部３０７は、各無線伝送装置１０１〜１０３によるデバイス情報の取得状態の検出結果を含む信号を設置支援情報生成部３０９に出力する。
【００７１】
次に、無線伝送装置１０２の伝送品質測定部３０８は、図４のステップＳ４の処理を実行することにより、デバイス情報テーブル３１０ｔを参照して、無線伝送システム内の無線伝送装置１０１〜１０３が映像音声データ信号の送信機能を有する送信装置であるか、映像音声データ信号の受信機能を有する受信装置であるかを判断し、送信装置と受信装置との全ての組み合わせを抽出する。本動作例では、無線伝送装置１０１は送信装置であると判断され、無線伝送装置１０２及び１０３は受信装置であると判断され、無線伝送装置１０１と１０２との組み合わせと、無線伝送装置１０１と１０３との組み合わせが抽出される。そして、ステップＳ７１３において、無線伝送装置１０２の伝送品質測定部３０８は、図４のステップＳ５の処理を実行することにより、送信装置である無線伝送装置１０１に、無線伝送装置１０２との間の伝送品質及び無線伝送装置１０３との間の伝送品質を測定することを指示する測定開始メッセージを送信する。
【００７２】
測定開始メッセージに応答して、無線伝送装置１０１は、ステップＳ７１４において、測定用データを無線伝送装置１０３に送信し、無線伝送装置１０３は受信情報メッセージを返信する。無線伝送装置１０１は、受信用メッセージに含まれる測定用データの伝送状態の情報に基づいて無線伝送装置１０１と１０３との間の伝送品質を検出する。本動作例では、図６に示すように無線伝送装置１０１の指向電波到達範囲Ａ１に無線伝送装置１０３が位置しており、無線伝送装置１０３の指向電波到達範囲Ａ３に無線伝送装置１０１が位置しているため、所定のしきい値以上の良好な伝送品質が得られる。
【００７３】
その後、無線伝送装置１０１は、ステップＳ７１５において、測定用データを無線伝送装置１０２に送信し、無線伝送装置１０２は受信情報メッセージを返信する。無線伝送装置１０１は、受信用メッセージに含まれる測定用データの伝送状態の情報に基づいて無線伝送装置１０１と１０２との間の伝送品質を検出する。本動作例では、図６に示すように無線伝送装置１０１の指向電波到達範囲Ａ１に無線伝送装置１０２が位置しており、無線伝送装置１０２の指向電波到達範囲Ａ２に無線伝送装置１０１が位置しているため、所定のしきい値以上の良好な伝送品質が得られる。
【００７４】
その後、ステップＳ７１６において、無線伝送装置１０１は、伝送品質の測定結果を含む測定結果メッセージを無線伝送装置１０２に送信する。無線伝送装置１０２の伝送品質測定部３０８は、図４のステップＳ６の処理を実行することにより、測定結果メッセージを受信した後、送信装置と受信装置の組み合わせ毎の伝送品質の測定結果を含む信号を設置支援情報生成部３０９に出力する。
【００７５】
ステップＳ７１７において、無線伝送装置１０２の設置支援情報生成部３０９は、図５のステップＳ１２の処理を実行することにより、取得状態検出部３０７が検出した検出結果と伝送品質測定部３０８が測定した測定結果とに基づいて設置支援情報を生成し、ディスプレイ３０５に表示する。図８に示すように、本動作例において、無線伝送装置１０２の設置支援情報生成部３０９は、無線伝送装置１０１と１０２との間（ＤＶＤプレーヤとテレビジョン放送受像機との間）の伝送品質が良好であり、かつ、無線伝送装置１０１と１０３との間（ＤＶＤプレーヤとスピーカとの間）の伝送品質も良好であり、無線伝送装置１０１〜１０３の現在の設置位置及び設置方向で全ての無線通信が可能であることを示す設置支援情報をディスプレイ３０５に表示する。これにより、使用者は、全ての無線伝送装置１０１〜１０３の設置位置及び設置方向を変更せずに固定すればよいことを認識できる。
【００７６】
第２の動作例．
図９は、図１の無線伝送システムの第２の動作例における指向性電波到達範囲Ａ１，Ａ２，Ａ３及び無指向性電波到達範囲Ｂ１，Ｂ２，Ｂ３を示すブロック図である。また、図１０は、図１の無線伝送システムの第２の動作例を示すシーケンス図であり、図１１は、図１０のステップＳ１０１０においてディスプレイ３０５に表示される設置支援情報の表示例である。
【００７７】
図９において、無線伝送装置１０１及び１０２は無指向電波到達範囲Ｂ１及びＢ２内に位置しているので、無線伝送装置１０１及び１０２は、制御データ信号Ｃ１を互いに送受信できる。また、無線伝送装置１０１及び１０２は、指向電波到達範囲Ａ２及びＡ１内にそれぞれ位置しているので、無線伝送装置１０１から無線伝送装置１０２に映像音声データ信号ＡＶ１１を送信できる。また、無線伝送装置１０３は無線伝送装置１０１の無指向性電波到達範囲Ｂ１及び指向性電波到達範囲Ａ１、並びに無線伝送装置１０２の無指向性電波到達範囲Ｂ２及び指向性電波到達範囲Ａ２の外側に位置している。従って、無線伝送装置１０３は、無線伝送装置１０１との間で制御データ信号Ｃ２及び映像音声データ信号ＡＶ１２を送受信できず、無線伝送装置１０２との間で制御データ信号Ｃ３を送受信できない。
【００７８】
図１０において、無線伝送装置１０１と１０２との間で制御データ信号Ｃ１の送受信が可能であるので、ステップＳ１００１においてＭＡＣ認証処理が実行される。ステップＳ１００１のＭＡＣ認証処理において、無線伝送装置１０１は無線伝送システムへの参加を要求する参加要求メッセージを無線伝送装置１０２に送信し、これに応答して、無線伝送装置１０２は無線伝送システムへの参加を許可する認証応答メッセージを返信する。その後、ステップＳ１００２において、無線伝送装置１０２は、無線伝送システム内の全ての無線伝送装置に対して、無線伝送装置１０１が新たに無線伝送システムに参加したことを示す新デバイス発見通知メッセージを含むビーコン信号を送信する。このとき、無線伝送装置１０２によって管理されている無線伝送システム内には、無線伝送装置１０１及び１０２だけが存在するので、新デバイス発見通知メッセージは無線伝送装置１０１にのみ送信される。次に、ステップＳ１００３において、無線伝送装置１０１と１０２との間でデバイス情報交換処理が実行される。これにより、無線伝送装置１０１は無線伝送装置１０２の装置識別子と取得したデバイス情報とを関連づけてデバイス情報テーブル２１０ｔとして記憶部２１０に記憶し、無線伝送装置１０２は無線伝送装置１０１の装置識別子と取得したデバイス情報とを関連づけてデバイス情報テーブル３１０ｔとして無線伝送装置１０２の記憶部３１０に記憶する。ここで、無線伝送装置１０２及び１０３はそれぞれ、無指向電波到達範囲Ｂ３及びＢ２の外部に設置されているので、無線伝送装置１０２と１０３との間で、ステップＳ１００１，Ｓ１００２及びステップＳ１００３の各処理に対応する通信は行われない。すなわち、無線伝送装置１０２により管理されている無線伝送システムは、無線伝送装置１０１及び１０２を含み、無線伝送装置１０３を含まない（無線伝送装置２１０のデバイス情報テーブル２１０ｔは無線伝送装置１０１及び１０２のデバイス情報を含む。）。
【００７９】
次に、ステップＳ１００４において、無線伝送装置１０２に設置支援開始指示コマンドが入力される。これに応答して、ステップＳ１００５において、無線伝送装置１０２の取得状態検出部３０７は、図４のステップＳ２の処理を実行することにより、無線伝送装置１０１及び１０２の各装置識別子を含むデバイス情報取得確認メッセージを無線伝送装置１０１に送信する。これに応答して、ステップＳ１００６において、無線伝送装置１０１はデバイス情報取得応答メッセージを無線伝送装置１０２に送信する。このとき、無線伝送装置１０１は、ステップＳ１００３のデバイス情報取得処理により無線伝送装置１０２の各デバイス情報を取得済みであるので、デバイス情報取得応答メッセージに、無線伝送装置１０２の装置識別子をセットする。
【００８０】
ステップＳ１００６において、無線伝送装置１０２は、無線伝送装置１０１からデバイス情報取得応答メッセージを受信する。無線伝送装置１０２の取得状態検出部３０７は、図４のステップＳ３の処理を実行することにより、受信したデバイス情報取得応答メッセージに含まれる装置識別子に基づいて、無線伝送システム内の全ての無線伝送装置１０１及び１０２間でデバイス情報の交換が正常に行われたことを検出する。取得状態検出部３０７は、各無線伝送装置１０１及び１０２によるデバイス情報の取得状態の検出結果を含む信号を設置支援情報生成部３０９に出力する。
【００８１】
次に、無線伝送装置１０２の伝送品質測定部３０８は、図４のステップＳ４の処理を実行することにより、デバイス情報テーブル３１０ｔを参照して、無線伝送システム内の無線伝送装置１０１及び１０２が映像音声データ信号の送信機能を有する送信装置であるか、映像音声データ信号の受信機能を有する受信装置であるかを判断し、送信装置と受信装置との全ての組み合わせを抽出する。本動作例では、無線伝送装置１０１は送信装置であると判断され、無線伝送装置１０２は受信装置であると判断され、無線伝送装置１０１と１０２との組み合わせが抽出される。そして、ステップＳ１００７において、無線伝送装置１０２の伝送品質測定部３０８は、図４のステップＳ５の処理を実行することにより、送信装置である無線伝送装置１０１に、無線伝送装置１０２との間の伝送品質を測定することを指示する測定開始メッセージを送信する。
【００８２】
測定開始メッセージに応答して、無線伝送装置１０１は、ステップＳ１００８において、測定用データを無線伝送装置１０２に送信し、無線伝送装置１０２は受信情報メッセージを返信する。無線伝送装置１０１は、受信用メッセージに含まれる測定用データの伝送状態の情報に基づいて無線伝送装置１０１と１０２との間の伝送品質を検出する。本動作例では、図９に示すように無線伝送装置１０１の指向電波到達範囲Ａ１に無線伝送装置１０３が位置しており、無線伝送装置１０３の指向電波到達範囲Ａ３に無線伝送装置１０１が位置しているため、所定のしきい値以上の良好な伝送品質が得られる。
【００８３】
その後、ステップＳ１００９において、無線伝送装置１０１は、伝送品質の測定結果を含む測定結果メッセージを無線伝送装置１０２に送信する。無線伝送装置１０２の伝送品質測定部３０８は、図４のステップＳ６の処理を実行することにより、測定結果メッセージを受信した後、送信装置と受信装置の組み合わせ毎の伝送品質の測定結果を含む信号を設置支援情報生成部３０９に出力する。
【００８４】
ステップＳ１０１０において、無線伝送装置１０２の設置支援情報生成部３０９は、図５のステップＳ１２の処理を実行することにより、取得状態検出部３０７が検出した検出結果と伝送品質測定部３０８が測定した測定結果とに基づいて設置支援情報を生成し、ディスプレイ３０５に表示する。本動作例において、無線伝送装置１０２の設置支援情報生成部３０９は、図１１に示すように、無線伝送装置１０１と１０２との間（ＤＶＤプレーヤとテレビジョン放送受像機との間）の伝送品質が良好であり、無線伝送装置１０１及び１０２の現在の設置位置及び設置方向で全ての無線通信が可能であることを示す設置支援情報をディスプレイ３０５に表示する。
【００８５】
本動作例では、図１１のように、ディスプレイ３０５に無線伝送装置１０３の情報は全く表示されない。従って、ユーザは、無線伝送装置１０３と１０２との間の通信が正常に行われていないことを知ることができ、無線伝送装置１０３と１０２との間の距離が離れすぎていないか、無線伝送装置１０３と１０２との間に障害物がないかを確認することにより、図１１の設置支援情報に従って、無線伝送装置１０３設置状況を変更した後、再度、設置支援メニューを選択すると、設置支援開始指示コマンドがコントローラ３０１に入力される。無線伝送装置１０２と１０３のとの間の無線通信が可能となった場合は、図８と同様に、ディスプレイ３０５に設置支援情報が表示される。
【００８６】
なお、本実施形態において、無線伝送装置１０２は、無線伝送装置１０２が管理している現在の無線伝送システムに対応するデバイス情報テーブル３１０ｔを記憶部３１０に記憶したが、本発明はこれに限られず、無線伝送装置１０２が前回オンされたときなどの、所定のタイミングにおける無線伝送システムに対応するデバイス情報テーブルを記憶部３１０にさらに格納してもよい。この場合、設置支援情報生成部３０９は、図５のステップＳ１２，Ｓ１３及びＳ１４において、上述した所定のタイミングにおける無線伝送システムに対応するデバイス情報テーブルに含まれる無線伝送装置が、取得状態検出部３０７による、各無線伝送装置のデバイス情報の取得状態の検出結果に含まれているか否かを判断する。そして、所定のタイミングにおける無線伝送システムに対応するデバイス情報テーブルに含まれる無線伝送装置のうち、取得状態検出部３０７からの検出結果に含まれない無線伝送装置の設置方法を表す別の設置支援情報も生成してディスプレイ３０５に表示する。すなわち、この場合、無線伝送装置１０２のデバイス情報取得部３０６は、所定のタイミングにおいて取得した自装置以外の他の各無線伝送装置のデバイス情報を記憶部３１０に格納し、設置支援情報生成部３０９は、記憶部３１０に格納されたデバイス情報に対応する各無線伝送装置のうち、取得状態検出部３０７によって検出された検出結果に含まれてない無線伝送装置と他の各無線伝送装置との設置方法を表す別の設置支援情報を生成する。
【００８７】
例えば、無線伝送装置１０２が前回オンされたときに、無線伝送装置１０３が図６に示すように設置され、その後、無線伝送装置１０２が再びオンされたときに無線伝送装置１０３が図９に示す位置に移動されたときは、設置支援情報生成部３０９は以下のように動作する。すなわち、無線伝送装置１０２の設置支援情報生成部３０９は、無線伝送装置１０３が無指向電波到達範囲Ｂ２の範囲外に設置された、もしくは、無線伝送装置１０３の電源がオフになっていると判断する。そして、設置支援情報生成部３０９は、ディスプレイ３０５に無線伝送装置１０３と１０２との間の距離が離れすぎていないか、無線伝送装置１０３と１０２との間に障害物がないか、無線伝送装置１０３の電源がオフになっていないかなどの無線伝送装置１０３の設置方法を表す所定のメッセージを含む設置支援情報を生成してディスプレイ３０５に表示する。図１２は、図１０のステップＳ１０１０においてディスプレイ３０５に表示される設置支援情報の別の表示例である。ユーザは、ディスプレイ３０５に表示されている設置支援情報の内容を確認し、スピーカである無線伝送装置１０３の設置位置の調整、無線伝送装置１０１と１０３との間の障害物の除去、及び無線伝送装置１０３の電源の確認のうちの少なくとも１つを行い、再度、設置支援メニューを選択する。無線伝送装置１０１〜１０３間での通信が可能になったときはディスプレイ３０５に図８のように設置支援情報が表示され、通信が可能にならなかったときは、再び、ディスプレイ３０５に図１２のように設置支援情報が表示される。
【００８８】
第３の動作例．
図１３は、図１の無線伝送システムの第３の動作例における指向性電波到達範囲Ａ１，Ａ２，Ａ３及び無指向性電波到達範囲Ｂ１，Ｂ２，Ｂ３を示すブロック図である。また、図１４は、図１の無線伝送システムの第３の動作例を示すシーケンス図であり、図１５は、図１４のステップＳ１４１３においてディスプレイ３０５に表示される設置支援情報の表示例である。
【００８９】
図１３において、無線伝送装置１０１及び１０２は互いの無指向電波到達範囲Ｂ２及びＢ１にそれぞれ含まれるので、無線伝送装置１０１は無線伝送装置１０２との間で制御データ信号Ｃ１を送受信できる。また、無線伝送装置１０１及び１０２は互いの指向電波到達範囲Ａ２及びＡ１にそれぞれ含まれるので、無線伝送装置１０１は映像音声データ信号ＡＶ１１を無線伝送装置１０２に送信できる。一方、無線伝送装置１０３は、無線伝送装置１０１の無指向電波到達範囲Ｂ１及び指向電波到達範囲Ａ１の外に位置している。このため、無線伝送装置１０１は無線伝送装置１０３との間で制御データ信号Ｃ２及び映像音声データ信号ＡＶ１２を送受信できない。また、無線伝送装置１０２と１０３とは、それぞれ無指向電波到達範囲Ｂ３及びＢ２内に位置しているので、無線伝送装置１０２は無線伝送装置１０３との間で制御データ信号Ｃ３を送受信できる。
【００９０】
図１４において、無線伝送装置１０１と１０２との間で制御データ信号Ｃ１の送受信が可能であるので、ステップＳ１４０１においてＭＡＣ認証処理が実行される。ステップＳ１４０１のＭＡＣ認証処理において、無線伝送装置１０１は無線伝送システムへの参加を要求する参加要求メッセージを無線伝送装置１０２に送信し、これに応答して、無線伝送装置１０２は無線伝送システムへの参加を許可する認証応答メッセージを返信する。その後、ステップＳ１４０２において、無線伝送装置１０２は、無線伝送システム内の全ての無線伝送装置に対して、無線伝送装置１０１が新たに無線伝送システムに参加したことを示す新デバイス発見通知メッセージを含むビーコン信号を送信する。このとき、無線伝送システム１０２により管理されている無線伝送システムに無線伝送装置１０１のみが参加しているので、無線伝送装置１０２は、無線伝送装置１０１にのみ新デバイス発見通知メッセージを送信する。
【００９１】
また、無線伝送装置１０２と１０３との間で制御データ信号Ｃ３の送受信が可能であるので、ステップＳ１４０３においてＭＡＣ認証処理が実行される。ステップＳ１４０３のＭＡＣ認証処理において、無線伝送装置１０３は参加要求メッセージを無線伝送装置１０２に送信し、これに応答して、無線伝送装置１０２は無線伝送システムへの参加を許可する認証応答メッセージを返信する。その後、ステップＳ１４０４において、無線伝送装置１０２は、無線伝送システム内の全ての無線伝送装置に対して、無線伝送装置１０３が新たに無線伝送システムに参加したことを示す新デバイス発見通知メッセージを含むビーコン信号を送信する。このとき、無線伝送システム１０２により管理されている無線伝送システムに無線伝送装置１０１及び１０３が参加しているので、無線伝送装置１０２は、無線伝送装置１０１及び１０３に新デバイス発見通知メッセージを送信する。
【００９２】
次に、ステップＳ１４０５において、無線伝送装置１０１と１０２との間でデバイス情報交換処理が実行される。さらに、ステップＳ１４０６において、無線伝送装置１０２と１０３との間でデバイス情報交換処理が実行される。また、ステップＳ１４０７において、無線伝送装置１０１と１０３との間でデバイス情報交換処理が実行されるが、図１３に示すように無線伝送装置１０１と１０３とは互いの無指向電波到達範囲Ｂ３及びＢ１の外部に設置されているので制御データ信号Ｃ２を送受信できず、ステップＳ１４０７におけるデバイス情報交換処理は失敗する。
【００９３】
次に、ステップＳ１４０８において、無線伝送装置１０２に設置支援開始指示コマンドが入力される。これに応答して、ステップＳ１４０９において、無線伝送装置１０２の取得状態検出部３０７は、図４のステップＳ２の処理を実行することにより、無線伝送装置１０１〜１０３の各装置識別子を含むデバイス情報取得確認メッセージを無線伝送装置１０１に送信する。これに応答して、ステップＳ１４１１において、無線伝送装置１０１はデバイス情報取得応答メッセージを無線伝送装置１０２に送信する。このとき、無線伝送装置１０１は、ステップＳ１４０５及びステップＳ１４０７のデバイス情報取得処理により無線伝送装置１０２のデバイス情報のみを取得済みであるので、デバイス情報取得応答メッセージに、無線伝送装置１０２の装置識別子をセットする。
【００９４】
また、ステップＳ１４０９の実行と同時に、ステップＳ１４１０において無線伝送装置１０２の取得状態検出部３０７は、図４のステップＳ２の処理を実行することにより、無線伝送装置１０１〜１０３の各装置識別子を含むデバイス情報取得確認メッセージを無線伝送装置１０３に送信する。これに応答して、ステップＳ１４１２において、無線伝送装置１０３はデバイス情報取得応答メッセージを無線伝送装置１０２に送信する。このとき、無線伝送装置１０３は、ステップＳ１４０６及びＳ１４０７のデバイス情報取得処理により無線伝送装置１０２のデバイス情報のみを取得済みであるので、デバイス情報取得応答メッセージに、無線伝送装置１０２の装置識別子をセットする。
【００９５】
ステップＳ１４１１及びＳ１４１２において、無線伝送装置１０２は、無線伝送装置１０１及び１０３の両方からデバイス情報取得応答メッセージを受信する。無線伝送装置１０２の取得状態検出部３０７は、図４のステップＳ３の処理を実行することにより、受信した各デバイス情報取得応答メッセージに含まれる装置識別子に基づいて、無線伝送装置１０１と１０２との間でデバイス情報の交換が正常に行われ、無線伝送装置１０２と１０３との間でデバイス情報の交換が正常に行われ、無線伝送装置１０１と１０３との間でデバイス情報の交換が正常に行われなかったことを検出する。取得状態検出部３０７は、各無線伝送装置１０１〜１０３によるデバイス情報の取得状態の検出結果を含む信号を設置支援情報生成部３０９に出力する。
【００９６】
本動作例において、コントローラ３０１は、図４のステップＳ４の処理に続いて図５のステップＳ１０の判断処理と同様の判断処理を実行し、ＮＯの場合にステップＳ５〜Ｓ７の処理を実行し、ＹＥＳの場合にはステップＳ１４の処理を実行して設置支援処理を終了する。本動作例では、図１４のステップＳ１４０７において、無線伝送装置１０１と１０３との間でのデバイス情報の交換は失敗するので、上述した図５のステップＳ１０の判断処理と同様の判断処理に続いて、伝送品質測定部３０８による伝送品質の測定は実行されず、図５のステップＳ１４の処理が実行される。そして、ステップＳ１４１３において、無線伝送装置１０２の設置支援情報生成部３０９は、図５のステップＳ１４の処理を実行することにより、取得状態検出部３０７が検出した検出結果に基づいて設置支援情報を生成し、ディスプレイ３０５に表示する。図１５に示すように、本動作例において、無線伝送装置１０２の設置支援情報生成部３０９は、無線伝送装置１０１と１０３との間（ＤＶＤプレーヤとスピーカとの間）でデバイス情報の交換が正常に行われず、無線伝送装置１０１と１０２との間（ＤＶＤプレーヤとディスプレイとの間）でデバイス情報の交換が正常に行われたことを示す設置支援情報をディスプレイ３０５に表示する。さらに、無線伝送装置１０２は、無線伝送装置１０１と１０３との間の距離が離れすぎていないか、及び無線伝送装置１０１と１０３との間に障害物がないかを確認することを促す所定のメッセージ（無線伝送装置の設置方法を表す情報である。）をディスプレイ３０５に表示する。
【００９７】
ユーザは、図１５のようにディスプレイ３０５に表示された設置支援情報を確認すると、無線伝送装置１０１と１０３の間でデバイス情報の交換が正常に行われなかったことを確認でき、無線伝送装置１０１と１０３との間の距離が離れすぎていないか、無線伝送装置１０１と１０３との間に障害物がないかを確認することにより、設置状況を改善できる。
【００９８】
第４の動作例．
図１６は、図１の無線伝送システムの第４の動作例における指向性電波到達範囲Ａ１，Ａ２，Ａ３及び無指向性電波到達範囲Ｂ１，Ｂ２，Ｂ３を示すブロック図である。また、図１７は、図１の無線伝送システムの第４の動作例を示すシーケンス図であり、図１８は、図１７のステップＳ１７１７においてディスプレイ３０５に表示される設置支援情報の表示例である。
【００９９】
図１６において、無線伝送装置１０１，１０２及び１０３は、全ての無指向電波到達範囲Ｂ１，Ｂ２及びＢ３内に位置している。従って、無線伝送装置１０１は無線伝送装置１０２との間で制御データ信号Ｃ１を送受信でき、無線伝送装置１０３との間で制御データ信号Ｃ２を送受信できる。また、無線伝送装置１０２は無線伝送装置１０３との間で制御データ信号Ｃ３を送受信できる。また、無線伝送装置１０１及び１０２は、それぞれ指向電波到達範囲Ａ２及びＡ１内に位置しているので、無線伝送装置１０１は無線伝送装置１０２に映像音声データ信号ＡＶ１１を送信できる。一方、無線伝送装置１０１は指向電波到達範囲Ａ３内に位置しているが、無線伝送装置１０３は指向電波到達範囲Ａ１外に位置しているので、無線伝送装置１０１は無線伝送装置１０３に映像音声データ信号ＡＶ１２を送信できない。
【０１００】
図１７において、無線伝送装置１０１と１０２との間で制御データ信号Ｃ１の送受信が可能であるので、ステップＳ１７０１においてＭＡＣ認証処理が実行される。ステップＳ１７０１のＭＡＣ認証処理において、無線伝送装置１０１は無線伝送システムへの参加を要求する参加要求メッセージを無線伝送装置１０２に送信し、これに応答して、無線伝送装置１０２は無線伝送システムへの参加を許可する認証応答メッセージを返信する。その後、ステップＳ１７０２において、無線伝送装置１０２は、無線伝送システム内の全ての無線伝送装置に対して、無線伝送装置１０１が新たに無線伝送システムに参加したことを示す新デバイス発見通知メッセージを含むビーコン信号を送信する。
【０１０１】
また、無線伝送装置１０２と１０３との間で制御データ信号Ｃ３の送受信が可能であるので、ステップＳ１７０３においてＭＡＣ認証処理が実行される。ステップＳ１７０３のＭＡＣ認証処理において、無線伝送装置１０３は参加要求メッセージを無線伝送装置１０２に送信し、これに応答して、無線伝送装置１０２は無線伝送システムへの参加を許可する認証応答メッセージを返信する。その後、ステップＳ１７０４において、無線伝送装置１０２は、無線伝送システム内の全ての無線伝送装置に対して、無線伝送装置１０３が新たに無線伝送システムに参加したことを示す新デバイス発見通知メッセージを含むビーコン信号を送信する。
【０１０２】
次に、ステップＳ１７０５において、無線伝送装置１０１と１０２との間でデバイス情報交換処理が実行される。さらに、ステップＳ１７０６において、無線伝送装置１０２と１０３との間でデバイス情報交換処理が実行される。また、ステップＳ１７０７において、無線伝送装置１０１と１０３との間でデバイス情報交換処理が実行される。ステップＳ１７０５，Ｓ１７０６及びＳ１７０７の各処理により、無線伝送装置１０１は無線伝送装置１０２及び１０３の装置識別子と取得したデバイス情報とを関連づけてデバイス情報テーブル２１０ｔとして記憶部２１０に記憶し、無線伝送装置１０２は無線伝送装置１０１及び１０３の装置識別子と取得したデバイス情報とを関連づけてデバイス情報テーブル３１０ｔとして無線伝送装置１０２の記憶部３１０に記憶し、無線伝送装置１０３は無線伝送装置１０１及び１０２の装置識別子と取得したデバイス情報とを関連づけてデバイス情報テーブル３１０ｔとして無線伝送装置１０３の記憶部３１０に記憶する。ステップＳ１７０７のデバイス情報交換処理終了後のタイミングにおいて、無線伝送装置１０２により管理されている無線伝送システムは、無線伝送装置１０１，１０２及び１０３を含む。
【０１０３】
次に、ステップＳ１７０８において、無線伝送装置１０２に設置支援開始指示コマンドが入力される。これに応答して、ステップＳ１７０９において、無線伝送装置１０２の取得状態検出部３０７は、図４のステップＳ２の処理を実行することにより、無線伝送装置１０１〜１０３の各装置識別子を含むデバイス情報取得確認メッセージを無線伝送装置１０１に送信する。これに応答して、ステップＳ１７１１において、無線伝送装置１０１はデバイス情報取得応答メッセージを無線伝送装置１０２に送信する。このとき、無線伝送装置１０１は、ステップＳ１７０５及びＳ１７０７のデバイス情報取得処理により無線伝送装置１０２及び１０３の各デバイス情報を取得済みであるので、デバイス情報取得応答メッセージに、無線伝送装置１０２及び１０３の各装置識別子をセットする。
【０１０４】
また、ステップＳ１７０９の実行と同時に、ステップＳ１７１０において無線伝送装置１０２の取得状態検出部３０７は、図４のステップＳ２の処理を実行することにより、無線伝送装置１０１〜１０３の各装置識別子を含むデバイス情報取得確認メッセージを無線伝送装置１０３に送信する。これに応答して、ステップＳ１７１２において、無線伝送装置１０３はデバイス情報取得応答メッセージを無線伝送装置１０２に送信する。このとき、無線伝送装置１０３は、ステップＳ１７０６及びＳ１７０７のデバイス情報取得処理により無線伝送装置１０１及び１０２の各デバイス情報を取得済みであるので、デバイス情報取得応答メッセージに、無線伝送装置１０１及び１０２の各装置識別子をセットする。
【０１０５】
ステップＳ１７１１及びＳ１７１２において、無線伝送装置１０２は、無線伝送装置１０１及び１０３の両方からデバイス情報取得応答メッセージを受信する。そして、無線伝送装置１０２の取得状態検出部３０７は、図４のステップＳ３の処理を実行することにより、受信した各デバイス情報取得応答メッセージに含まれる装置識別子に基づいて、無線伝送システム内の全ての無線伝送装置１０１〜１０３間でデバイス情報の交換が正常に行われたことを検出する。取得状態検出部３０７は、各無線伝送装置１０１〜１０３によるデバイス情報の取得状態の検出結果を含む信号を設置支援情報生成部３０９に出力する。
【０１０６】
次に、無線伝送装置１０２の伝送品質測定部３０８は、図４のステップＳ４の処理を実行することにより、デバイス情報テーブル３１０ｔを参照して、無線伝送システム内の無線伝送装置１０１〜１０３が映像音声データ信号の送信機能を有する送信装置であるか、映像音声データ信号の受信機能を有する受信装置であるかを判断し、送信装置と受信装置との全ての組み合わせを抽出する。本動作例では、無線伝送装置１０１は送信装置であると判断され、無線伝送装置１０２及び１０３は受信装置であると判断され、無線伝送装置１０１と１０２との組み合わせと、無線伝送装置１０１と１０３との組み合わせが抽出される。そして、ステップＳ１７１３において、無線伝送装置１０２の伝送品質測定部３０８は、図４のステップＳ５の処理を実行することにより、送信装置である無線伝送装置１０１に、無線伝送装置１０２との間の伝送品質及び無線伝送装置１０３との間の伝送品質を測定することを指示する測定開始メッセージを送信する。
【０１０７】
測定開始メッセージに応答して、無線伝送装置１０１は、ステップＳ１７１４において、測定用データを無線伝送装置１０３に送信し、無線伝送装置１０３は受信情報メッセージを返信する。無線伝送装置１０１は、受信用メッセージに含まれる測定用データの伝送状態の情報に基づいて無線伝送装置１０１と１０３との間の伝送品質を検出する。本動作例では、図１６に示すように無線伝送装置１０１の指向電波到達範囲Ａ１の外に無線伝送装置１０３が位置しているため、所定のしきい値以上の良好な伝送品質が得られない。
【０１０８】
その後、無線伝送装置１０１は、ステップＳ１７１５において、測定用データを無線伝送装置１０２に送信し、無線伝送装置１０２は受信情報メッセージを返信する。無線伝送装置１０１は、受信用メッセージに含まれる測定用データの伝送状態の情報に基づいて無線伝送装置１０１と１０２との間の伝送品質を検出する。本動作例では、図１６に示すように無線伝送装置１０１の指向電波到達範囲Ａ１に無線伝送装置１０２が位置しており、無線伝送装置１０２の指向電波到達範囲Ａ２に無線伝送装置１０１が位置しているため、所定のしきい値以上の良好な伝送品質が得られる。
【０１０９】
その後、ステップＳ１７１６において、無線伝送装置１０１は、伝送品質の測定結果を含む測定結果メッセージを無線伝送装置１０２に送信する。無線伝送装置１０２の伝送品質測定部３０８は、図４のステップＳ６の処理を実行することにより、測定結果メッセージを受信した後、送信装置と受信装置の組み合わせ毎の伝送品質の測定結果を含む信号を設置支援情報生成部３０９に出力する。
【０１１０】
ステップＳ１７１７において、無線伝送装置１０２の設置支援情報生成部３０９は、図５のステップＳ１４の処理を実行することにより、取得状態検出部３０７が検出した検出結果と伝送品質測定部３０８が測定した測定結果とに基づいて設置支援情報を生成し、ディスプレイ３０５に表示する。図１８に示すように、本動作例において、無線伝送装置１０２の設置支援情報生成部３０９は、無線伝送装置１０１と１０２との間（ＤＶＤプレーヤとテレビジョン放送受像機との間）の伝送品質が良好であり、かつ、無線伝送装置１０１と１０３との間（ＤＶＤプレーヤとスピーカとの間）の伝送品質が良好では無いことを示す所定のメッセージと、無線伝送装置１０１と１０３の距離が離れすぎていないか、無線伝送装置１０１と１０３との間に障害物がないかなどの無線伝送装置１０３の設置方法を表す所定のメッセージ（無線伝送装置の設置方法を表す情報である。）を含む設置支援情報を生成してディスプレイ３０５に表示する。
【０１１１】
ユーザは、図１８の設置支援情報を確認することにより、無線伝送装置１０１と１０３との間の伝送品質が良好でないために無線伝送装置１０１と１０３との間の映像音声データ信号ＡＶ１２が正常に行われないことを知ることができ、無線伝送装置１０１と１０３の距離が離れすぎていないか、無線伝送装置１０１と１０３との間に障害物がないかを確認することにより、設置状況を改善できる。
【０１１２】
以上説明したように、本実施形態によれば、３個以上の複数の無線伝送装置で構成された無線伝送システムにおいて、取得状態検出部３０７は、デバイス情報取得部２０６及び３０６が取得した自装置以外の他の各無線伝送装置のデバイス情報を用いて、無線伝送システム内の各無線伝送装置が、無線伝送システム内の全ての無線伝送装置のデバイス情報を取得しているか否かを検出する。そして、伝送品質測定部３０８は、各無線伝送装置が送信装置であるか受信装置であるかを判別し、送信装置と受信装置の全ての組み合わせを抽出し、抽出した組み合わせ毎の伝送品質を測定するように制御する。さらに、設置支援情報生成部３０９は、取得状態検出部３０７による検出結果と伝送品質測定部３０８の測定結果に基づいて、映像音声データ信号を所定のしきい値以上の伝送品質で無線伝送するための各無線伝送装置の設置方法を表す設置支援情報を生成する。
【０１１３】
本実施形態によれば、指向性を有するミリ波等を用いた無線伝送装置を多対多で接続する場合にも無線伝送装置の設置支援を行うことができる。また、本実施形態によれば、３個以上の複数の無線伝送装置を含む無線伝送システムにおいて無線伝送装置の設置支援を行うことができるので、従来技術に比較してユーザの利便性を向上できる。また、本発明に係る無線伝送装置の設置支援方法によれば、指向性を有するミリ波等を用いた無線伝送装置の多対多接続を行うための設置支援を実施するので、従来技術に比較してユーザの利便性を向上できる。
【０１１４】
なお、本実施形態において、設置支援開始指示コマンドが入力されると図４のステップＳ２からステップＳ７までの処理が１回だけ実行されたが、本発明はこれに限られず、ステップＳ２からステップＳ７までの処理を定期的に繰り返して実行してもよい。すなわち、無線伝送装置１０２において、取得状態検出部３０７と、伝送品質測定部３０８と、設置支援情報生成部３０９とを、定期的に繰り返し動作させてもよい。また、無線伝送装置１０２において、取得状態検出部３０７及び伝送品質測定部３０８のうちの一方と、設置支援情報生成部３０９とを、定期的に繰り返し動作させてもよい。これにより、ユーザは各無線伝送装置１０１〜１０３の設置位置及び設置方向を変更しながら、リアルタイムに設置支援情報を確認できる。
【０１１５】
また、本実施形態において、設置支援情報生成部３０９は図５の設置支援情報生成処理を実行したが、本発明はこれに限られない。設置支援情報生成部３０９は、取得状態検出部３０７による検出結果と、伝送品質測定部３０８によって取得された上記各組み合わせ毎の伝送品質の測定結果とに基づいて、映像音声データ信号の送信装置と受信装置との各組み合わせ間で映像音声データ信号を所定のしきい値以上の伝送品質で無線伝送するための上記各無線伝送装置の設置方法を表す設置支援情報を生成すればよい。ここで、設置方法は、無線伝送装置の設置方向を調整することと、無線伝送装置間の障害物を除去することと、無線伝送装置間の距離を調整することとのうちの少なくとも１つである。
【０１１６】
さらに、本実施形態において、図３に示すように、無線伝送装置１０２はスピーカ３０４及びディスプレイ３０５を内蔵し、無線伝送装置１０３はスピーカ３０４を内蔵したが、本発明はこれに限られず、スピーカ３０４及びディスプレイ３０５を無線伝送装置１０２及び１０３の外部に設けてもよい。図１９は、本発明の実施形態の変形例に係る無線伝送装置１０２Ａ及び１０３Ａの構成を示すブロック図である。無線伝送装置１０２Ａ及び１０３Ａは、例えばセットトップボックスである。図１９において、無線伝送装置１０２Ａは、図３の無線伝送装置１０２に比較して、スピーカ３０４及びディスプレイ３０５に代えて有線送受信回路３１２を備えて構成される。パケット処理回路３０３は、パケット無線送受信回路３０２より入力されるベースバンド信号から所定のパケット分離処理により映像音声データ信号ＡＶ１１を取り出すことにより受信されたパケットをデコードする。パケット処理回路３０３によりデコードされた映像音声データ信号ＡＶ１１に含まれる音声データ及び映像データは、有線送受信回路３１２に出力される。有線送受信回路３１２は、入力される音声データを音声伝送ケーブルを介してスピーカ３０４に出力すると共に、入力される映像データを映像伝送ケーブルを介してディスプレイ３０５に出力する。また、図１９の構成は無線伝送装置１０３Ａにも適用される。この場合、無線伝送装置１０３Ａはスピーカ３０４に接続され、ディスプレイ３０５に接続されない。
【０１１７】
またさらに、本実施形態において、３台の無線伝送装置１０１〜１０３を含む無線伝送システムにおいて、１台の無線伝送装置１０１に２台の無線伝送装置１０２及び１０３を無線接続したが、本発明はこれに限られず、３台以上の複数の無線伝送装置を含む無線伝送システムにおいて、複数の無線伝送装置に複数の無線伝送装置を無線接続してもよい。
【０１１８】
また、本実施形態において、無線伝送装置１０２が管理装置として動作して図４の設置支援処理を実行したが、本発明はこれに限られず、無線伝送装置１０２以外の任意の無線伝送装置（例えば、無線伝送装置１０３である。）が管理装置として動作して図４の設置支援処理を実行すればよい。管理装置として動作する無線伝送装置は、当該無線伝送装置の音声表示機能及び映像表示機能のうちの少なくとも一方を用いて、図４の設置支援処理を実行する。
【０１１９】
さらに、本実施形態において、無線伝送装置１０１〜１０３の各部の機能を当該機能に対応するソフトウェアのプログラムにより実現したが、本発明はこれに限られず、無線伝送装置１０１〜１０３の各部の機能を当該機能に対応するハードウェアにより実現してもよい。なお、無線伝送装置１０１〜１０３の各部の機能を当該機能に対応するソフトウェアのプログラムにより実現すれば、ハードウェアにより実現する場合に比較して、設定及び処理内容を容易に変更できる。
【０１２０】
またさらに、本実施形態において、図４の設置支援処理のプログラムとその実行のためのデータを記憶部３１０に予め格納したが、本発明はこれに限られない。例えば、無線伝送装置１０２にコンピュータ等のコントローラを含む光ディスクドライブを設け、ＣＤ−ＲＯＭ又はＤＶＤ等の、コンピュータで読み取り可能な記録媒体に記録された設置支援処理のプログラムとその実行のためのデータをそれぞれ、上述した光ディスクドライブにより読み出して、記憶部３１０に格納してもよい。また、無線伝送装置１０２にＬＡＮ（Local Area Network）インターフェースを設け、設置支援処理のプログラムとその実行のためのデータを、無線伝送装置１０２の外部装置からインターネット及びＬＡＮインターフェースを介して記憶部３１０に格納してもよい。
【０１２１】
また、本実施形態において映像音声データ信号ＡＶ１１は映像データ信号及び音声データ信号を含み、映像音声データ信号ＡＶ１２は音声データ信号を含んだが、本発明はこれに限られず、映像音声データ信号ＡＶ１１及びＡＶ１２はそれぞれ、映像データ及び音声データのうちの一方のみを含んでもよい。また、映像音声データ信号ＡＶ１１及びＡＶ１２に代えて、他の所定の信号を無線伝送してもよい。
【０１２２】
さらに、本実施形態において、アンテナ２０５はコントローラ２０１の制御からの制御に基づいて指向性アンテナ又は無指向性アンテナとして動作したが、本発明はこれに限られず、アンテナ２０５に代えて、指向性アンテナと無指向性アンテナとを別に設けてもよい。同様に、アンテナ３１１に代えて、指向性アンテナと無指向性アンテナとを別に設けてもよい。
【産業上の利用可能性】
【０１２３】
以上説明したように、本発明に係る無線伝送装置と、無線伝送システムと、無線伝送装置の設置支援方法と、当該設置支援方法のプログラムと、当該プログラムを格納するコンピュータで読み取り可能な記録媒体とによれば、取得状態検出部による検出結果と、伝送品質測定部によって取得された各組み合わせ毎の伝送品質の測定結果とに基づいて、抽出された各組み合わせ間で所定の信号を所定のしきい値以上の伝送品質で無線伝送するための各無線伝送装置の設置方法を表す設置支援情報を生成するので、３個以上の複数の無線伝送装置を含む無線伝送システムにおいて無線伝送装置の設置支援を行うことができる。【０１２４】
本発明に係る無線伝送装置と、無線伝送システムと、無線伝送装置の設置支援方法と、当該設置支援方法のプログラムと、当該プログラムを格納するコンピュータで読み取り可能な記録媒体は、特に、例えば、ワイヤレスＨＤなどの無線通信規格に準拠した無線伝送システムに利用できる。
【符号の説明】
【０１２５】
１０１，１０２，１０３，１０２Ａ，１０３Ａ…無線伝送装置、
２０１…コントローラ、
２０２…映像音声再生回路、
２０３…パケット処理回路、
２０４…パケット無線送受信回路、
２０４ａ…高速無線通信回路、
２０４ｂ…低速無線通信回路、
２０５…アンテナ、
２０６…デバイス情報取得部、
２１０…記憶部、
２１０ｔ…デバイス情報テーブル、
３０１…コントローラ、
３０２…パケット無線送受信回路、
３０２ａ…高速無線通信回路、
３０２ｂ…低速無線通信回路、
３０３…パケット処理回路、
３０４…スピーカ、
３０５…ディスプレイ、
３０６…デバイス情報取得部、
３０７…取得状態検出部、
３０８…伝送品質測定部、
３０９…設置支援情報生成部、
３１０…記憶部、
３１０ｔ…デバイス情報テーブル、
３１１…アンテナ、
３１２…有線送受信回路。
【図１】
2012004944.tif 000003
【図２】
2012004944.tif 000004
【図３】
2012004944.tif 000005
【図４】
2012004944.tif 000006
【図５】
2012004944.tif 000007
【図６】
2012004944.tif 000008
【図７】
2012004944.tif 000009
【図８】
2012004944.tif 000010
【図９】
2012004944.tif 000011
【図１０】
2012004944.tif 000012
【図１１】
2012004944.tif 000013
【図１２】
2012004944.tif 000014
【図１３】
2012004944.tif 000015
【図１４】
2012004944.tif 000016
【図１５】
2012004944.tif 000017
【図１６】
2012004944.tif 000018
【図１７】
2012004944.tif 000019
【図１８】
2012004944.tif 000020
【図１９】
2012004944.tif 000021
【手続補正書】
【提出日】平成24年1月10日(2012.1.10)
【手続補正１】
【補正対象書類名】明細書
【補正対象項目名】全文
【補正方法】変更
【補正の内容】
【発明の詳細な説明】
【技術分野】
【０００１】
本発明は、３個以上の複数の無線伝送装置を含む無線伝送システムにおいて無線伝送装置の設置支援を行うための無線伝送装置と、上記設置支援を行う無線伝送装置を含む無線伝送システムと、無線伝送装置の設置支援方法と、当該設置支援方法のプログラムと、当該プログラムを格納するコンピュータで読み取り可能な記録媒体とに関する。
【背景技術】
【０００２】
近年、チューナ及びデコーダを含む送信装置と、ディスプレイ及びスピーカを含みかつ送信装置に無線接続された受信装置とを備えたテレビジョン放送受像機が提案されている。特許文献１には、このような送信装置及び受信装置の設置を支援するための設置状況通知方法が記載されている。特許文献１によれば、受信機が、送信機と無線接続できる無線チャンネルを検出し、かつ所定時間当たりの伝送エラー数が閾値より高いとされる領域をディスプレイ及びスピーカを用いて映像及び音声により通知する。従って、従来技術に比較して、ユーザに設置状況をより詳細に通知できる。
【先行技術文献】
【特許文献】
【０００３】
【特許文献１】特開２００９−３０２９２９号公報。
【特許文献２】米国特許出願公開第２０１０／０２４８６３８号の明細書。
【特許文献３】米国特許出願公開第２００９／０３０９９７８号の明細書。
【特許文献４】米国特許出願公開第２００４／０１７７３７７号の明細書。
【特許文献５】米国特許出願公開第２０１０／０１２８７６２号の明細書。
【特許文献６】米国特許出願公開第２００７／０２７０１０１号の明細書。
【発明の概要】
【発明が解決しようとする課題】
【０００４】
無線伝送システム内に３台以上の無線伝送装置が存在し、１台の無線伝送装置に複数の無線伝送装置を無線接続し、又は、複数の無線伝送装置に複数の無線伝送装置を無線接続する場合は、例えば、第１の無線伝送装置と第２の無線伝送装置との間の伝送品質を改善するために第１の無線伝送装置の設置位置を変更したとき、第１の無線伝送装置と第３の無線伝送装置との間の伝送品質が劣化することがある。このため、接続する無線伝送装置を変更する度に無線伝送装置の設置位置を調整する必要があった。また、ミリ波を用いた無線伝送装置においては、ミリ波が指向性を有するため、無線伝送装置のアンテナの向きも伝送品質に影響をもたらす。そのため、無線伝送装置の設置方向の調整も必要であった。
【０００５】
例えば、無線伝送システム内に、第１の無線伝送装置と、第２の無線伝送装置と、第３の無線伝送装置が存在する場合、ユーザは、まず始めに、第１の無線伝送装置と第２の無線伝送装置とを無線接続してデータ伝送を行うために、それらの設置位置及びアンテナの向きの調整を行う。その後、第１の無線伝送装置と第３の無線伝送装置とを無線接続してデータ伝送を行うためにそれらの設置位置及びアンテナの向きを調整すると、第１の無線伝送装置と第２の無線伝送装置との位置関係及びアンテナ方向が変更されてしまい、第１の無線伝送装置と第２の無線伝送装置との設置位置及びアンテナ方向を再び調整する必要があった。
【０００６】
しかしながら、従来技術に係る設置状況通知方法は、無線伝送システム内に２台の無線伝送装置が存在し、それらの無線伝送装置を１対１で接続することを前提としているので、３台以上の無線伝送装置を含む無線伝送システムにおける設置支援には適していなかった。
【０００７】
本発明の目的は以上の問題点を解決し、３個以上の複数の無線伝送装置を含む無線伝送システムにおいて無線伝送装置の設置支援を行うための無線伝送装置と、上記設置支援を行う無線伝送装置を含む無線伝送システムと、無線伝送装置の設置支援方法と、当該設置支援方法のプログラムと、当該プログラムを格納するコンピュータで読み取り可能な記録媒体とを提供することにある。
【課題を解決するための手段】
【０００８】
第１の発明に係る無線伝送装置は、第１の無線伝送装置と、複数の第２の無線伝送装置とを含む無線伝送システムのための第１の無線伝送装置であって、
上記第１の無線伝送装置と上記複数の第２の無線伝送装置とはそれぞれ、自装置以外の他の各無線伝送装置と無線通信することにより上記自装置以外の他の各無線伝送装置のデバイス情報を取得するデバイス情報取得部を備え、
上記デバイス情報は、所定の信号を無線送信する送信機能を有するか否かを示す情報と、上記信号を無線受信する受信機能を有するか否かを示す情報とを含み、
上記第１の無線伝送装置は、
上記各第２の無線伝送装置と無線通信することにより、上記各第２の無線伝送装置による自装置以外の他の各無線伝送装置のデバイス情報の取得状態を検出する取得状態検出部と、
上記第１の無線伝送装置のデバイス情報と、上記デバイス情報取得部により取得された上記各第２の無線伝送装置のデバイス情報とに基づいて、上記送信機能を有する送信装置と上記受信機能を有する受信装置との全ての組み合わせを抽出し、上記抽出された各組み合わせの上記送信装置となる各無線伝送装置に対して、上記受信装置となる各無線伝送装置との間の伝送品質を測定することを要求し、上記送信装置となる各無線伝送装置から、上記受信装置となる各無線伝送装置との間の伝送品質の測定結果を含む信号を無線受信し、上記無線受信された各測定結果を含む信号に基づいて、上記各組み合わせ毎の伝送品質の測定結果を取得する伝送品質測定部と、
上記取得状態検出部による検出結果と、上記伝送品質測定部によって取得された上記各組み合わせ毎の伝送品質の測定結果とに基づいて、上記抽出された各組み合わせ間で上記所定の信号を所定のしきい値以上の伝送品質で無線伝送するための上記各無線伝送装置の設置方法を表す設置支援情報を生成する設置支援情報生成部とを備えたことを特徴とする。
【０００９】
上記無線伝送装置において、上記第１の無線伝送装置は、ミリ波帯の周波数を有する搬送波を用いて上記各第２の無線伝送装置との間で無線通信を行うことを特徴とする。
【００１０】
また、上記無線伝送装置において、上記設置方法は、無線伝送装置の設置方向を調整することと、無線伝送装置間の障害物を除去することと、無線伝送装置間の距離を調整することとのうちの少なくとも１つであることを特徴とする。
【００１１】
さらに、上記無線伝送装置において、上記設置支援情報生成部は、上記デバイス情報を互いに取得できていない無線伝送装置の組み合わせが存在するとき、当該無線伝送装置間の障害物を除去することと、当該無線伝送装置間の距離を調整することとを上記設置方法として含む上記設置支援情報を生成することを特徴とする。
【００１２】
またさらに、上記無線伝送装置において、上記設置支援情報生成部は、上記伝送品質が上記しきい値未満である無線伝送装置の組み合わせが存在するとき、当該無線伝送装置間の障害物を除去することと、当該無線伝送装置間の距離を調整することと、当該各無線伝送装置の設置方向を調整することとを上記設置方法として含む上記設置支援情報を生成することを特徴とする。
【００１３】
また、上記無線伝送装置において、上記伝送品質はパケット誤り率又は電波強度であることを特徴とする。
【００１４】
さらに、上記無線伝送装置において、上記取得状態検出部及び上記伝送品質測定部のうちの少なくとも一方と、上記設置支援情報生成部とは、定期的に繰り返し動作することを特徴とする。
【００１５】
またさらに、上記無線伝送装置において、上記デバイス情報取得部は、所定のタイミングにおいて取得した上記自装置以外の他の各無線伝送装置のデバイス情報を記憶部に格納し、
上記設置支援情報生成部は、上記記憶部に格納されたデバイス情報に対応する各無線伝送装置のうち、上記取得状態検出部によって検出された検出結果に含まれてない無線伝送装置と他の各無線伝送装置との設置方法を表す別の設置支援情報を生成することを特徴とする。
【００１６】
また、上記無線伝送装置において、上記デバイス情報取得部は、無指向性電波を用いて上記自装置以外の他の各無線伝送装置と無線通信し、
上記取得状態検出部は、無指向性電波を用いて上記各第２の無線伝送装置と無線通信し、
上記伝送品質測定部は、無指向性電波を用いて、上記抽出された各組み合わせの送信装置となる各無線伝送装置と無線通信し、
上記送信装置となる各無線伝送装置は、上記受信装置となる各無線伝送装置との間の伝送品質を、指向性電波を用いて測定することを特徴とする。
【００１７】
さらに、上記無線伝送装置において、上記所定の信号は映像データ信号及び音声データ信号のうちの少なくとも一方を含むことを特徴とする。
【００１８】
第２の発明に係る無線伝送装置は、第１の無線伝送装置と、複数の第２の無線伝送装置とを含む無線伝送システムのための第２の無線伝送装置であって、
上記第１の無線伝送装置と上記複数の第２の無線伝送装置とはそれぞれ、自装置以外の他の各無線伝送装置と無線通信することにより上記自装置以外の他の各無線伝送装置のデバイス情報を取得するデバイス情報取得部を備え、
上記デバイス情報は、所定の信号を無線送信する送信機能を有するか否かを示す情報と、上記信号を無線受信する受信機能を有するか否かを示す情報とを含み、
上記第２の無線伝送装置は、
自装置以外の他の各無線伝送装置のデバイス情報の取得状態を示す信号を上記第１の無線伝送装置に無線送信し、
上記受信機能を有する受信装置となる各無線伝送装置との間の伝送品質を測定することを上記第１の無線伝送装置から要求されたとき、上記受信装置となる各無線伝送装置との間の伝送品質を測定し、上記伝送品質の測定結果を含む信号を上記第１の無線伝送装置に無線送信することを特徴とする。
【００１９】
第３の発明に係る無線伝送システムは、上記第１の無線伝送装置と、複数の上記第２の無線伝送装置とを含むことを特徴とする。
【００２０】
第４の発明に係る無線伝送装置の設置支援方法は、第１の無線伝送装置と、複数の第２の無線伝送装置とを含む無線伝送システムのための無線伝送装置の設置支援方法であって、
上記第１の無線伝送装置と上記複数の第２の無線伝送装置とがそれぞれ、自装置以外の他の各無線伝送装置と無線通信することにより上記自装置以外の他の各無線伝送装置のデバイス情報を取得するデバイス情報取得ステップを含み、
上記デバイス情報は、所定の信号を無線送信する送信機能を有するか否かを示す情報と、上記信号を無線受信する受信機能を有するか否かを示す情報とを含み、
上記設置支援方法は、
上記第１の無線伝送装置が、上記各第２の無線伝送装置と無線通信することにより、上記各第２の無線伝送装置による自装置以外の他の各無線伝送装置のデバイス情報の取得状態を検出する取得状態検出ステップと、
上記第１の無線伝送装置が、上記第１の無線伝送装置のデバイス情報と、上記デバイス情報取得ステップにより取得された上記各第２の無線伝送装置のデバイス情報とに基づいて、上記送信機能を有する送信装置と上記受信機能を有する受信装置との全ての組み合わせを抽出し、上記抽出された各組み合わせの上記送信装置となる各無線伝送装置に対して、上記受信装置となる各無線伝送装置との間の伝送品質を測定することを要求し、上記送信装置となる各無線伝送装置から、上記受信装置となる各無線伝送装置との間の伝送品質の測定結果を含む信号を無線受信し、上記無線受信された各測定結果を含む信号に基づいて、上記各組み合わせ毎の伝送品質の測定結果を取得する伝送品質測定ステップと、
上記第１の無線伝送装置が、上記取得状態検出ステップによる検出結果と、上記伝送品質測定ステップによって取得された上記各組み合わせ毎の伝送品質の測定結果とに基づいて、上記抽出された各組み合わせ間で上記所定の信号を所定のしきい値以上の伝送品質で無線伝送するための上記各無線伝送装置の設置方法を表す設置支援情報を生成する設置支援情報生成ステップとを含むことを特徴とする。
【００２１】
第５の発明に係るプログラムは、上記無線伝送装置の設置支援方法における各ステップを含むことを特徴とする。
【００２２】
第６の発明に係るコンピュータで読み取り可能な記録媒体は、上記プログラムを格納したことを特徴とする。
【発明の効果】
【００２３】
本発明に係る無線伝送装置と、無線伝送システムと、無線伝送装置の設置支援方法と、当該設置支援方法のプログラムと、当該プログラムを格納するコンピュータで読み取り可能な記録媒体とによれば、取得状態検出部による検出結果と、伝送品質測定部によって取得された各組み合わせ毎の伝送品質の測定結果とに基づいて、抽出された各組み合わせ間で所定の信号を所定のしきい値以上の伝送品質で無線伝送するための各無線伝送装置の設置方法を表す設置支援情報を生成するので、３個以上の複数の無線伝送装置を含む無線伝送システムにおいて無線伝送装置の設置支援を行うことができる。
【図面の簡単な説明】
【００２４】
【図１】本発明の実施形態に係る無線伝送システムの構成を示すブロック図である。
【図２】図１の無線伝送装置１０１の構成を示すブロック図である。
【図３】図１の無線伝送装置１０２及び１０３の構成を示すブロック図である。
【図４】図１の無線伝送システムの管理装置である無線伝送装置１０２のコントローラ３０１によって実行される設置支援処理を示すフローチャートである。
【図５】図４のステップＳ７において設置支援情報生成部３０９により実行される設置支援情報生成処理を示すフローチャートである。
【図６】図１の無線伝送システムの第１の動作例における指向性電波到達範囲Ａ１，Ａ２，Ａ３及び無指向性電波到達範囲Ｂ１，Ｂ２，Ｂ３を示すブロック図である。
【図７】図１の無線伝送システムの第１の動作例を示すシーケンス図である。
【図８】図７のステップＳ７１７においてディスプレイ３０５に表示される設置支援情報の表示例である。
【図９】図１の無線伝送システムの第２の動作例における指向性電波到達範囲Ａ１，Ａ２，Ａ３及び無指向性電波到達範囲Ｂ１，Ｂ２，Ｂ３を示すブロック図である。
【図１０】図１の無線伝送システムの第２の動作例を示すシーケンス図である。
【図１１】図１０のステップＳ１０１０においてディスプレイ３０５に表示される設置支援情報の表示例である。
【図１２】図１０のステップＳ１０１０においてディスプレイ３０５に表示される設置支援情報の別の表示例である。
【図１３】図１の無線伝送システムの第３の動作例における指向性電波到達範囲Ａ１，Ａ２，Ａ３及び無指向性電波到達範囲Ｂ１，Ｂ２，Ｂ３を示すブロック図である。
【図１４】図１の無線伝送システムの第３の動作例を示すシーケンス図である。
【図１５】図１４のステップＳ１４１３においてディスプレイ３０５に表示される設置支援情報の表示例である。
【図１６】図１の無線伝送システムの第４の動作例における指向性電波到達範囲Ａ１，Ａ２，Ａ３及び無指向性電波到達範囲Ｂ１，Ｂ２，Ｂ３を示すブロック図である。
【図１７】図１の無線伝送システムの第４の動作例を示すシーケンス図である。
【図１８】図１７のステップＳ１７１７においてディスプレイ３０５に表示される設置支援情報の表示例である。
【図１９】本発明の実施形態の変形例に係る無線伝送装置１０２Ａ及び１０３Ａの構成を示すブロック図である。
【発明を実施するための形態】
【００２５】
以下、本発明に係る実施形態について図面を参照して説明する。なお、以下の各実施形態において、同様の構成要素については同一の符号を付している。
【００２６】
図１は、本発明の実施形態に係る無線伝送システムの構成を示すブロック図である。また、図２は、図１の無線伝送装置１０１の構成を示すブロック図であり、図３は、図１の無線伝送装置１０２及び１０３の構成を示すブロック図である。図１において、本実施形態に係る無線伝送システムは、無線伝送装置１０１，１０２及び１０３を備えて構成される。ここで、無線伝送装置１０１は、例えば、ＤＶＤプレーヤ又はセットトップボックス（ＳＴＢ：Ｓｅｔ  Ｔｏｐ  Ｂｏｘ（ＳＴＢ）、例えばチューナである。）等の映像音声再生装置であって、映像音声データ信号ＡＶ１１及びＡＶ１２の無線送信機能と、制御データ信号Ｃ１及びＣ２の無線送受信機能とを有する。また、無線伝送装置１０２及び１０３はそれぞれ、例えば、テレビジョン放送受像機等の映像音声表示装置、スピーカ等の音声出力装置、又はプロジェクタ等の映像表示装置である。本実施形態において、無線伝送装置１０２はテレビジョン放送受像機であり、映像音声データ信号ＡＶ１１の無線受信機能と、制御データ信号Ｃ１及びＣ３の無線送受信機能とを有する。さらに、無線伝送装置１０２は、図１の無線伝送システムを管理する管理装置として動作する。また、無線伝送装置１０３はスピーカであり、映像音声データ信号ＡＶ１２の無線受信機能と、制御データ信号Ｃ２及びＣ３の無線送受信機能とを有する。
【００２７】
図１において、無線伝送装置１０１は、映像データ信号及び音声データ信号を含む映像音声データ信号ＡＶ１１を無線伝送装置１０２に無線送信し、音声データ信号を含む映像音声データ信号ＡＶ１２を無線伝送装置１０３に無線送信する。また、無線伝送装置１０１は、制御データ信号Ｃ１を無線伝送装置１０２との間で無線送受信し、制御データ信号Ｃ２を無線伝送装置１０３との間で無線送受信する。さらに、無線伝送装置１０２は、制御データ信号Ｃ３を無線伝送装置１０３との間で無線送受信する。ここで、各制御データ信号Ｃ１、Ｃ２及びＣ３は、映像音声データ信号ＡＶ１１及びＡＶ１２並びに後述する測定データ以外のコマンド信号（以下、コマンドという。）、メッセージ信号（以下、メッセージという。）及び所定のデータを含む。具体的には、制御データ信号Ｃ１、Ｃ２及びＣ３は、後述するＭＡＣ（Media Access Control）認証処理のための参加要求メッセージ及び認証応答メッセージ、ＣＥＣ（Consumer Electronics Control）のためのコマンド、管理装置である無線伝送装置１０２からのビーコン信号、後述するデバイス情報交換処理のための所定のメッセージ、新デバイス発見通知メッセージ、並びに後述する設置支援処理のためのデバイス情報取得確認メッセージ、デバイス情報取得応答メッセージ、測定開始メッセージ、受信情報メッセージ及び測定結果メッセージを含む。また、映像音声データ信号ＡＶ１１及びＡＶ１２は、例えば６０ＧＨｚ程度のミリ波帯である高い周波数を有する指向性電波を搬送波として用いて無線送信される。一方、制御データ信号Ｃ１，Ｃ２及びＣ３は、映像音声データ信号ＡＶ１１及びＡＶ１２を無線送信するための搬送波の周波数より低くかつミリ波帯の周波数を有する無指向性電波を搬送波として用いて無線送信される。一般に、搬送波周波数が高くなるほど伝送速度は速くなるため、映像音声データ信号ＡＶ１１及びＡＶ１２は、制御データ信号Ｃ１，Ｃ２及びＣ３よりも速い伝送速度で無線送信される。
【００２８】
また、図１において、無線伝送装置１０２は無線伝送システムの管理を行う管理装置であり、所定のビーコン信号を定期的にブロードキャストする。一方、例えば、他の無線伝送装置１０１は、無線伝送システムへの参加を無線伝送装置１０２に対して要求するために、ビーコン信号に応答して参加要求メッセージを無線伝送装置１０２に無線送信する。これに応答して、無線伝送装置１０２は無線伝送装置１０１に対して固有の装置識別子を割り当て、無線伝送システムへの参加を許可することを示しかつ割り当てた装置識別子を含む認証応答メッセージを返信する。以下、参加要求メッセージ及び認証応答メッセージの送受信処理をＭＡＣ認証処理という。ＭＡＣ認証処理に続いて、無線伝送装置１０２は新たに割り当てた装置識別子を含む新デバイス発見通知メッセージを含むビーコン信号をブロードキャストする。新デバイス発見通知メッセージに応答して、例えば、既に無線伝送システムに参加している（すなわち、無線伝送装置１０２により装置識別子を割り当てられている。）無線伝送装置１０３は、受信したビーコン信号に含まれる装置識別子を有する無線伝送装置及び管理装置である無線伝送装置１０２との間で、デバイス情報を交換するためのデバイス情報交換処理を実行する。
【００２９】
ここで、デバイス情報は、無線伝送装置（以下、デバイスともいう。）の名称及び型番を含む機器情報、製造者名、無線能力（指向性電波の送受信機能の有無）、無線伝送装置の種別（例えば、テレビジョン放送受像機、セットトップボックス、ＤＶＤプレーヤ等のプレーヤ、スピーカ、プロジェクタ又はアンプである。）、映像音声データ信号を無線送信する送信機能を有するか否かの情報、映像音声データ信号を無線受信する受信機能を有するか否かの情報、サポートしている映像音声フォーマットの情報、及び予め無線伝送装置に割り当てられるＭＡＣアドレスを含む。デバイス情報交換処理において、一方の無線伝送装置は他方の無線伝送装置に対して自装置のデバイス情報を無線送信するとともに当該他方の無線伝送装置のデバイス情報を要求し、当該他方の無線伝送装置のデバイス情報を無線受信する。各無線伝送装置１０１〜１０３はそれぞれ、他の無線伝送装置１０１〜１０３との間でデバイス情報交換処理を実行すると、各無線伝送装置１０１〜１０３の装置識別子とデバイス情報とを関連づけて、デバイス情報テーブルとして記憶する。ただし、デバイス情報を交換する１組の無線伝送装置の各無指向性電波到達範囲が互いに重ならない場合は、これらの無線伝送装置は相手の無線伝送装置のデバイス情報を取得できない。
【００３０】
図２において、無線伝送装置１０１は、高速無線通信回路２０４ａと低速無線通信回路２０４ｂとアンテナ２０５とを備えたパケット無線送受信回路２０４と、パケット処理回路２０３と、映像音声再生回路２０２と、これらの回路等２０２〜２０４の動作を制御するコントローラ２０１と、記憶部２１０とを備えて構成される。映像音声再生回路２０２は、例えばＤＶＤドライブであって、コントローラ２０１からの制御に基づいて、ＤＶＤ等の記録媒体に記録された映像音声データを読み出してパケット処理回路２０３に出力する。パケット処理回路２０３は、映像音声再生回路２０２より入力される映像音声データを所定のパケットの形式のデジタル信号に変換して、映像音声データ信号ＡＶ１１又はＡＶ１２として高速無線通信回路２０４ａに出力する。また、パケット処理回路２０３は、コントローラ２０１より入力される他の無線伝送装置宛ての制御データを所定のパケットの形式のデジタル信号に変換して制御データ信号Ｃ１又はＣ２として低速無線通信回路２０４ｂに出力する。
【００３１】
また、図２において、アンテナ２０５は、例えば５行５列の２５個の矩形パッチアンテナ素子で構成されたアレーアンテナである。高速無線通信回路２０４ａは、コントローラ２０１からの制御に基づいて、アンテナ２０５の全アンテナ素子のうち所定の複数の（例えば５個の）アンテナ素子を選択し、選択されたアンテナ素子に入力される信号を重み付けすることにより、アンテナ２０５を所望のビーム方向を有する指向性アンテナとして動作させる。高速無線通信回路２０４ａは、パケット処理回路２０３からのデジタル信号に従って搬送波信号をデジタル変調し、映像音声データ信号ＡＶ１１又はＡＶ１２を含む変調後の無線信号を上述した指向性アンテナを介して無線送信する。
【００３２】
さらに、図２において、低速無線通信回路２０４ｂは、コントローラ２０１からの制御に基づいて、アンテナ２０５の全アンテナ素子のうち所定の複数の（例えば３個の）アンテナ素子を選択することにより、アンテナ２０５を無指向性アンテナとして動作させる。低速無線通信回路２０４ｂは、パケット処理回路２０３からのデジタル信号に従って搬送波信号をデジタル変調し、制御データ信号Ｃ１又はＣ２を含む変調後の無線信号を上述した無指向性アンテナを介して無線送信する。また、受信時には、低速無線通信回路２０４ｂは、上述した無指向性アンテナにより受信された制御データ信号Ｃ１又はＣ２を含む無線信号をベースバンド信号に復調した後、パケット処理回路２０３に出力する。パケット処理回路２０３は、入力されるベースバンド信号から所定のパケット分離処理により所定の制御コマンドをのみを取り出した後にコントローラ２０１に出力する。なお、高速無線通信回路２０４ａの伝送速度は低速無線通信回路２０４ｂの伝送速度よりも速くなるように設定される。
【００３３】
またさらに、図２において、記憶部２１０は、ＭＡＣ認証処理のプログラム及びデバイス情報交換処理のプログラムなどの無線伝送装置１０２の動作に必要とされかつコントローラ２０１によって実行されるプログラム並びにその実行のためのデータを予め格納している。
【００３４】
図２において、コントローラ２０１は、例えばＣＰＵ（Central Processing Unit）であって、映像音声再生回路２０２と、パケット処理回路２０３と、パケット無線送受信回路２０４との間で各回路２０２〜２０４の動作を制御するための制御データの交換を行うことにより、各回路２０２〜２０４の動作を制御する。図２に示すように、コントローラ２０１は、デバイス情報取得部２０６を有する。デバイス情報取得部２０６は、無線伝送システム内の他の無線伝送装置との間で上述したデバイス情報交換処理を実行し、無線伝送装置毎に、装置識別子と取得したデバイス情報とを関連づけて、デバイス情報テーブル２１０ｔとして記憶部２１０に記憶する。すなわち、デバイス情報取得部２０６は、自装置１０１以外の他の各無線伝送装置１０２及び１０３と、無指向性電波を用いて無線通信することにより自装置１０１以外の他の各無線伝送装置１０２及び１０３のデバイス情報を取得する。
【００３５】
次に、図３を参照して無線伝送装置１０２の構成を説明する。図３において、無線伝送装置１０２は、高速無線通信回路３０２ａと低速無線通信回路３０２ｂとアンテナ３１１とを備えたパケット無線送受信回路３０２と、パケット処理回路３０３と、スピーカ３０４と、ディスプレイ３０５と、これらの回路等３０２〜３０５の動作を制御するコントローラ３０１と、記憶部３１０とを備えて構成される。
【００３６】
また、図３において、アンテナ３１１は、例えば５行５列の２５個の矩形パッチアンテナ素子で構成されたアレーアンテナである。高速無線通信回路３０２ａは、コントローラ３０１からの制御に基づいて、アンテナ３１１の全アンテナ素子のうち所定の複数の（例えば５個の）アンテナ素子を選択し、選択されたアンテナ素子に入力される信号を重み付けすることにより、アンテナ３１１を所望のビーム方向を有する指向性アンテナとして動作させる。高速無線通信回路３０２ａは、上述した指向性アンテナにより受信された無線信号をベースバンド信号に復調した後、パケット処理回路３０３に出力する。パケット処理回路３０３は、高速無線通信回路３０２ａより入力されるベースバンド信号から所定のパケット分離処理により映像音声データ信号ＡＶ１１を取り出すことにより受信されたパケットをデコードする。パケット処理回路３０３によりデコードされた映像音声データ信号ＡＶ１１に含まれる音声データはスピーカ３０４に出力され、スピーカ３０４から音声として出力される。また、パケット処理回路３０３によりデコードされた映像音声データ信号ＡＶ１１に含まれる映像データはディスプレイ３０５に出力され、ディスプレイ３０５に映像として表示される。
【００３７】
さらに、図３において、低速無線通信回路３０２ｂは、コントローラ３０１からの制御に基づいて、アンテナ３１１の全アンテナ素子のうち所定の複数の（例えば３個の）アンテナ素子を選択することにより、アンテナ３１１を無指向性アンテナとして動作させる。低速無線通信回路３０２ｂは、パケット処理回路３０３からのデジタル信号に従って搬送波信号をデジタル変調し、制御データ信号Ｃ１又はＣ３を含む変調後の無線信号を上述した無指向性アンテナを介して無線送信する。また、受信時には、低速無線通信回路３０２ｂは、上述した無指向性アンテナにより受信された制御データ信号Ｃ１又はＣ３を含む無線信号をベースバンド信号に復調した後、パケット処理回路３０３に出力する。パケット処理回路３０３は、入力されるベースバンド信号から所定のパケット分離処理により所定の制御コマンドのみを取り出した後にコントローラ３０１に出力する。なお、高速無線通信回路３０２ａの伝送速度は低速無線通信回路３０２ｂの伝送速度よりも速くなるように設定される。
【００３８】
またさらに、図３において、記憶部３１０は詳細後述する図４の設置支援処理のプログラム、ＭＡＣ認証処理のプログラム、及びデバイス情報交換処理のプログラムなどの無線伝送装置１０３の動作に必要とされかつコントローラ３０１によって実行されるプログラム並びにその実行のためのデータを予め格納している。
【００３９】
図３において、コントローラ３０１は、例えばＣＰＵ（Central Processing Unit）であって、パケット無線送受信回路３０２と、パケット処理回路３０３と、スピーカ３０４と、ディスプレイ３０５と各回路３０２〜３０５の動作を制御するための制御データの交換を行うことにより、各回路３０２〜３０５の動作を制御する。また、コントローラ３０１は、デバイス情報取得部３０６と、取得状態検出部３０７と、伝送品質測定部３０８と、設置支援情報生成部３０９とを備えて構成され、これらの動作を制御する。デバイス情報取得部３０６は、無線伝送システム内の他の無線伝送装置との間で上述したデバイス情報交換処理を実行し、無線伝送装置毎に、装置識別子と取得したデバイス情報とを関連づけて、デバイス情報テーブル３１０ｔとして記憶部３１０に記憶する。すなわち、無線伝送装置１０２のデバイス情報取得部３０６は、自装置１０２以外の他の各無線伝送装置１０１及び１０３と、無指向性電波を用いて無線通信することにより自装置１０２以外の他の各無線伝送装置１０１及び１０３のデバイス情報を取得する。また、コントローラ３０１は、図４を参照して詳細後述する設置支援処理の各ステップを実行するように、取得状態検出部３０７と、伝送品質測定部３０８と、設置支援情報生成部３０９とを制御する。
【００４０】
具体的には、無線伝送装置１０２の取得状態検出部３０７と、伝送品質測定部３０８と、設置支援情報生成部３０９とは、以下のように動作する。取得状態検出部３０７は、無線伝送装置１０１及び１０３と無指向性電波を用いて無線通信することにより、各無線伝送装置１０１及び１０３による自装置以外の他の各無線伝送装置のデバイス情報の取得状態を検出する。また、伝送品質測定部３０８は、無線伝送装置１０２のデバイス情報と、デバイス情報取得部３０６により取得された無線伝送装置１０１及び１０３のデバイス情報とに基づいて、送信機能を有する送信装置と受信機能を有する受信装置との全ての組み合わせを抽出し、抽出された各組み合わせの送信装置となる各無線伝送装置に対して、受信装置となる各無線伝送装置との間の伝送品質を測定することを要求し、送信装置となる各無線伝送装置から、受信装置となる各無線伝送装置との間の伝送品質の測定結果を含む信号を無線受信し、無線受信された各測定結果を含む信号に基づいて、各組み合わせ毎の伝送品質の測定結果を取得する。ここで、伝送品質測定部３０８は、無指向性電波を用いて他の無線伝送装置１０１及び１０３と無線通信する。また、送信装置となる各無線伝送装置は、受信装置となる各無線伝送装置との間の伝送品質を、指向性電波を用いて測定する。さらに、設置支援情報生成部３０９は、取得状態検出部３０７による検出結果と、伝送品質測定部３０８によって取得された各組み合わせ毎の伝送品質の測定結果とに基づいて、抽出された各組み合わせ間で所定の信号を所定のしきい値以上の伝送品質で無線伝送するための各無線伝送装置１０１〜１０３の設置方法を表す設置支援情報を生成する。
【００４１】
また、図３において、ディスプレイ３０５は、無線伝送装置１０１〜１０３の設置を支援するための設置支援メニュー、ディスプレイ３０５の明るさ及びコントラストなどを調整するための表示調整メニュー及び受信する放送局を設定する選局設定メニューなどのメニュー項目を含むメニュー画面を表示する。ユーザがディスプレイ３０５にメニュー画面を表示し、所望のメニュー項目を選択すると、当該選択されたメニュー項目に対応する処理の開始を指示する所定の指示コマンドが生成されてコントローラ３０１に入力される。具体的には、ユーザが設置支援メニューを選択すると、設置支援の開始を指示する設置支援開始指示コマンドがコントローラ３０１に入力される。
【００４２】
なお、図３の構成は無線伝送装置１０３にも適用される。この場合、無線伝送装置１０３はディスプレイ３０５を備えない。また、高速無線通信回路３０２ａはアンテナ３１１を指向性アンテナとして動作させ、当該指向性アンテナを用いて映像音声データ信号ＡＶ１２を無線伝送装置１０１から無線受信する、さらに、低速無線通信回路３０２ｂは、アンテナ３１１を無指向性アンテナとして動作させ、当該無指向性アンテナを用いて制御データ信号Ｃ２を無線伝送装置１０１との間で無線送受信すると共に、制御データ信号Ｃ３を無線伝送装置１０２との間で無線送受信する。
【００４３】
図４は、図１の無線伝送システムの管理装置である無線伝送装置１０２のコントローラ３０１によって実行される設置支援処理を示すフローチャートである。図４の設置支援処理は、無線伝送装置１０２の起動時に開始される。始めに、ステップＳ１において、コントローラ３０１は、上述した設置支援開始指示コマンドがユーザによりディスプレイ３０５から入力されたか否かを判断する。ステップＳ１においてＹＥＳのときはステップＳ２に進む一方、ＮＯのときはステップＳ１の処理を繰り返して実行する。
【００４４】
ステップＳ２において、取得状態検出部３０７が、デバイス情報テーブル３１０ｔに含まれる全ての無線伝送装置に対して、低速無線通信回路３０２ｂを用いて、デバイス情報取得確認メッセージを送信する。ここで、デバイス情報取得確認メッセージは、無線伝送装置１０２がデバイス情報交換処理によりデバイス情報を取得して装置識別子と関連づけてデバイス情報テーブル３１０ｔに格納した全ての無線伝送装置の装置識別子を含む。デバイス情報取得確認メッセージを受信した無線伝送装置（例えば、無線伝送装置１０１である。）は、自装置内の記憶部に格納されたデバイス情報テーブル（例えば、デバイス情報テーブル２１０ｔである。）を参照して、デバイス情報取得確認メッセージに含まれる装置識別子に対応する各無線伝送装置のデバイス情報を取得できているか否かを判断し、当該判断結果を含むデバイス情報取得応答メッセージを無線伝送装置１０２に送信する。
【００４５】
ここで、デバイス情報取得応答メッセージは、デバイス情報取得確認メッセージを受信した無線伝送装置が、デバイス情報取得応答メッセージに含まれる装置識別子に対応する無線伝送装置のうち、どの無線伝送装置のデバイス情報を取得できているかを示すデータを含む。例えば、デバイス情報取得応答メッセージは、デバイス情報取得確認メッセージに含まれる装置識別子に対応する無線伝送装置のうち、デバイス情報を取得できていない無線伝送装置の装置識別子のみを含む。このとき、デバイス情報取得確認メッセージに含まれる装置識別子に対応する全ての無線伝送装置のデバイス情報が取得されている場合は、デバイス情報取得応答メッセージは何れの装置識別子も含まない。なお、デバイス情報取得確認メッセージ及びデバイス情報取得応答メッセージは各無線伝送装置の装置識別子を含んだが、本発明はこれに限られず、各無線伝送装置のＭＡＣアドレスなどの各無線伝送装置に固有の識別子を含めばよい。または、デバイス情報取得確認メッセージに含まれる無線伝送装置の装置識別子に対応する無線伝送装置のデバイス情報が全て取得できているかだけを示す情報をデバイス情報取得確認メッセージに含めるようにしてもよい。
【００４６】
ステップＳ２に続いて、ステップＳ３において、取得状態検出部３０７が、低速無線通信回路３０２ｂを用いて、デバイス情報テーブル３１０ｔに含まれる各無線伝送装置からデバイス情報取得応答メッセージを受信する。そして、取得状態検出部３０７は、受信された各デバイス情報取得応答メッセージに基づいて、各無線伝送装置による他の無線伝送装置のデバイス情報の取得状態を検出し、検出結果を示す信号を発生して設置支援情報生成部３０９に出力する。取得状態検出部３０７は、ステップＳ２及びＳ３の各処理を実行することにより、デバイス情報テーブル３１０ｔに含まれる全ての無線伝送装置間でのデバイス情報の取得状態を検出する。これにより、取得状態検出部３０７は、デバイス情報テーブル３１０ｔに含まれる各無線伝送装置が、デバイス情報テーブル３１０ｔに含まれる他の全ての無線伝送装置のデバイス情報を取得しているかどうかを検出できる。
【００４７】
ステップＳ３に続いて、ステップＳ４において、伝送品質測定部３０８が、デバイス情報テーブル３１０ｔに含まれる各無線伝送装置のデバイス情報に基づいて、各無線伝送装置が映像音声データ信号を無線送信する送信機能を有するか否か、及び映像音声データ信号を無線受信する受信機能を有するか否かを判断し、上述した送信機能を有する無線伝送装置（以下、送信装置という。）と、上述した受信機能を有する無線伝送装置（以下、受信装置という。）との全ての組み合わせを抽出する。次に、ステップＳ５において、伝送品質測定部３０８が、抽出した各組み合わせの送信装置となる無線伝送装置に対して、受信装置となる各無線伝送装置との間の伝送品質の測定を行うことを要求する測定開始メッセージを送信する。なお、伝送品質測定部３０８は低速無線通信回路３０２ｂを用いて測定開始メッセージを送信する。
【００４８】
ステップＳ５において、無線伝送装置１０２から測定開始メッセージを受信した各無線伝送装置は、映像音声データ信号の送信先（受信装置である。）となる無線伝送装置との間で伝送品質の測定を行う。具体的には、送信装置となる無線伝送装置は、高速無線通信回路２０４ａ又は高速無線通信回路３０２ａを用いて（すなわち、指向性電波を用いて）、受信装置となる無線伝送装置に所定の測定用データを送信する。受信装置となる無線伝送装置は、測定用データを受信すると、受信された測定用データに基づいてパケット誤り率又は電波強度などの伝送品質を測定し、当該測定結果を含む所定の受信情報メッセージを送信装置となる無線伝送装置に送信する。送信装置となる無線伝送装置は、受信装置となる各無線伝送装置から受信情報メッセージを受信すると、各受信情報メッセージに含まれる伝送品質の測定結果を含む測定結果メッセージを生成して、無線伝送装置１０２に送信する。なお、本実施形態において、受信装置となる無線伝送装置が伝送品質を測定したが、本発明はこれに限られず、送信装置となる無線伝送装置がパケット誤り率を算出することにより受信装置との間の伝送品質を測定してもよい。
【００４９】
ステップＳ５に続いて、ステップＳ６において、伝送品質測定部３０８が、低速無線通信回路３０２ｂを用いて、送信装置となる全ての無線伝送装置から測定結果メッセージを受信し、受信した各測定結果メッセージに基づいて、送信装置となる無線伝送装置と、受信装置となる無線伝送装置との各組み合わせ毎の伝送品質の測定結果を取得し、当該取得した測定結果含む信号を発生して、設置支援情報生成部３０９に出力する。
【００５０】
すなわち、伝送品質測定部３０８は、ステップＳ４〜Ｓ６の各処理を実行することにより、デバイス情報テーブル３１０ｔを参照して、映像音声データ信号の送信装置となる無線伝送装置と映像音声データ信号の受信装置となる無線伝送装置との組み合わせを抽出し、抽出した組み合わせ毎に無線伝送装置間の伝送品質を測定し、当該測定結果を含む信号を設置支援情報生成部３０９に出力する。
【００５１】
図４において、ステップＳ６に続いて、ステップＳ７において、設置支援情報生成部３０９が、図５の設置支援情報生成処理を実行する。
【００５２】
図５は、図４のステップＳ７において設置支援情報生成部３０９により実行される設置支援情報生成処理を示すフローチャートである。始めにステップＳ１０において、設置支援情報生成部３０９は、取得状態検出部３０７から入力された、デバイス情報テーブル３１０ｔに含まれる各無線伝送装置による自装置以外の他の無線伝送装置のデバイス情報の取得状態の検出結果を示す信号に基づいて、デバイス情報テーブル３１０ｔに含まれる無線伝送装置のうち、少なくとも１つの無線伝送装置のデバイス情報を取得できていない無線伝送装置が存在するか否かを判断する。ステップＳ１０においてＹＥＳのときはステップＳ１４に進む一方、ステップＳ１０においてＮＯのときはステップＳ１１に進む。
【００５３】
デバイス情報テーブル３１０ｔに含まれる各無線伝送装置が他の全ての無線伝送装置のデバイス情報を所得できているとき、ステップＳ１１において、設置支援情報生成部３０９は、伝送品質測定部３０８から入力された、送信装置となる無線伝送装置と受信装置となる無線伝送装置との組み合わせ毎の伝送品質の測定結果を示す信号に基づいて、送信装置となる無線伝送装置と、受信装置となる無線伝送装置との全ての組み合わせにおいて、伝送品質が所定のしきい値以上であるか否かを判断する。ステップＳ１１においてＹＥＳのときはステップＳ１２に進む一方、ＮＯのときはステップＳ１３に進む。
【００５４】
送信装置となる無線伝送装置と、受信装置となる無線伝送装置との全ての組み合わせにおいて伝送品質が所定のしきい値以上であるとき、ステップＳ１２において、設置支援情報生成部３０９は、デバイス情報テーブル３１０ｔに含まれる全ての無線伝送装置のデバイス情報と、設置完了を示す所定のメッセージ（無線伝送装置の設置方法を表す情報である。）とを含む設置支援情報を生成してディスプレイ３０５に表示する。そして、図４の設置支援処理に戻り、設置支援処理を終了する。
【００５５】
また、送信装置となる無線伝送装置と、受信装置となる無線伝送装置との少なくとも１つの組み合わせにおいて伝送品質が所定のしきい値未満であるとき、設置支援情報生成部３０９はステップＳ１３の処理を実行する。ステップＳ１３において、設置支援情報生成部３０９は、伝送品質測定部３０８から入力された、送信装置となる無線伝送装置と受信装置となる無線伝送装置との組み合わせ毎の伝送品質の測定結果を示す信号と、デバイス情報テーブル３１０ｔとに基づいて、無線伝送装置の組み合わせ毎に、当該組み合わせに含まれる無線伝送装置の各デバイス情報と、各無線伝送装置の設置方法を表す情報とを含む設置支援情報とを生成して、ディスプレイ３０５に表示する。そして、図４の設置支援処理に戻り、設置支援処理を終了する。
【００５６】
具体的には、ステップＳ１３において、設置支援情報生成部３０９は、伝送品質が所定のしきい値未満である無線伝送装置の組み合わせが存在するとき（ステップＳ１１でＮＯのとき）、当該無線伝送装置間の障害物を除去することと、当該無線伝送装置間の距離を調整することと、当該各無線伝送装置の設置方向を調整することとを設置方法として含む設置支援情報を生成する。例えば、ステップＳ１３において、設置支援情報生成部３０９は、伝送品質が所定のしきい値以上である無線伝送装置の組み合わせ毎に、当該組み合わせに含まれる無線伝送装置の種別、名称、型番及び製造者名などのデバイス情報と、通信状態が良好であることを示す所定のメッセージとを含む設置支援情報を生成してディスプレイ３０５に表示する。さらに、伝送品質が所定のしきい値未満である無線伝送装置の組み合わせ毎に、当該組み合わせに含まれる無線伝送装置の種別、名称、型番及び製造者名などのデバイス情報と、通信状態が良好ではないことを示す所定のメッセージと、無線伝送装置間の距離が離れすぎていないか、無線伝送装置間に障害物がないか、及び無線伝送装置の設置方向が適切かなどの確認をユーザに促す所定のメッセージ（無線伝送装置の設置方法を表す情報である。）とを含む設置支援情報を生成してディスプレイ３０５に表示する。なお、ステップＳ１３において、伝送品質が所定のしきい値以上である無線伝送装置の組み合わせ毎に設置支援情報を生成して表示したが、本発明はこれに限られず、伝送品質が所定のしきい値未満である無線伝送装置の組み合わせのみついて設置支援情報を生成して表示してもよい。
【００５７】
さらに、ステップＳ１４において、設置支援情報生成部３０９は、取得状態検出部３０７から入力された、デバイス情報テーブル３１０ｔに含まれる各無線伝送装置による他の無線伝送装置のデバイス情報の取得状態の検出結果を示す信号に基づいて、デバイス情報交換処理においてデバイス情報の交換ができなかった無線伝送装置の組み合わせを抽出する。そして、設置支援情報生成部３０９は、デバイス情報テーブル３１０ｔを参照して、抽出した組み合わせに含まれる各無線伝送装置のデバイス情報と、各無線伝送装置の設置方法を表す情報とを含む設置支援情報とを生成して、ディスプレイ３０５に表示する。そして、図４の設置支援処理に戻り、設置支援処理を終了する。
【００５８】
具体的には、ステップＳ１４において、設置支援情報生成部３０９は、デバイス情報を互いに取得できていない無線伝送装置の組み合わせが存在するとき（ステップＳ１０でＹＥＳのとき）、当該無線伝送装置間の障害物を除去することと、当該無線伝送装置間の距離を調整することとを設置方法として含む上記設置支援情報を生成する。例えば、ステップＳ１４において、設置支援情報生成部３０９は、抽出した組み合わせに含まれる無線伝送装置の種別、名称、型番及び製造者名などのデバイス情報と、無線伝送装置間の距離が離れすぎていないか、及び無線伝送装置間に障害物がないかなどの確認をユーザに促す所定のメッセージ（無線伝送装置の設置方法を表す情報である。）とを含む設置支援情報を生成して表示する。なお、ステップＳ１４において、設置支援情報生成部３０９は、デバイス情報テーブル３１０ｔに含まれる各無線伝送装置による他の無線伝送装置のデバイス情報の取得状態の検出結果を示す信号に基づいて、デバイス情報交換処理においてデバイス情報の交換ができた無線伝送装置の組み合わせも抽出して、抽出した組み合わせに含まれる各無線伝送装置のデバイス情報と、通信状態が良好であることを示す所定のメッセージとを含む設置支援情報とを生成して、ディスプレイ３０５にさらに表示してもよい。
【００５９】
なお、ステップＳ１２，Ｓ１３及びＳ１４において、設置支援情報生成部３０９は各無線伝送装置の設置方法を表す設置支援情報を生成してディスプレイ３０５に表示したが、本発明はこれに限られず、設置支援情報を生成してスピーカ３０４を用いて音声として出力してもよく、ディスプレイ３０５及びスピーカ３０４の両方を用いて出力してもよく、ユーザが設置支援情報を認識できる任意の方法を用いて、設置支援情報を出力すればよい。
【００６０】
また、コントローラ３０１は図４の設置支援処理を実行したが、本発明はこれに限られない。例えば、コントローラ３０１は、図４のステップＳ４の処理に続いて図５のステップＳ１０の判断処理と同様の判断処理を実行し、ＮＯの場合にステップＳ５〜Ｓ７の処理を実行し、ＹＥＳの場合には図５のステップＳ１４の処理を実行して設置支援処理を終了してもよい。この場合、デバイス情報テーブル３１０ｔに含まれる無線伝送装置のうち、少なくとも１つの無線伝送装置のデバイス情報を取得できていない無線伝送装置が存在するときは、伝送品質測定部３０８による伝送品質の測定処理（ステップＳ４〜Ｓ６の処理）は実行されないので、無線伝送装置１０２の消費電力を削減できる。また、伝送品質測定部３０８は、デバイス情報交換が行われた無線伝送装置の組み合わせにおいてのみ、ステップＳ４〜Ｓ６において、伝送品質の測定を実行するように制御してもよい。その場合、伝送品質を測定した組み合わせの測定結果を含む信号を、設置支援情報生成部３０９に出力する。
【００６１】
次に、図１の無線伝送システムの第１〜第４の動作例を説明する。なお、以下の各動作例において、図６，図９，図１３及び図１６に示すように、無線伝送装置１０１のアンテナ２０５が指向性アンテナとして動作するとき、当該指向性アンテナは指向性電波到達範囲Ａ１を有し、アンテナ２０５が無指向性アンテナとして動作するとき当該無指向性アンテナは無指向性電波到達範囲Ｂ１を有する。また、無線伝送装置１０２のアンテナ３１１が指向性アンテナとして動作するとき、当該指向性アンテナは指向性電波到達範囲Ａ２を有し、アンテナ３１１が無指向性アンテナとして動作するとき当該無指向性アンテナは無指向性電波到達範囲Ｂ２を有する。さらに、無線伝送装置１０３のアンテナ３１１が指向性アンテナとして動作するとき、当該指向性アンテナは指向性電波到達範囲Ａ３を有し、アンテナ３１１が無指向性アンテナとして動作するとき当該無指向性アンテナは無指向性電波到達範囲Ｂ３を有する。
【００６２】
また、以下の各動作例において、無線伝送装置１０１はＤＶＤプレーヤであり、無線伝送装置１０２はテレビジョン放送受像機であり、無線伝送装置１０３はスピーカである。
【００６３】
第１の動作例．
図６は、図１の無線伝送システムの第１の動作例における指向性電波到達範囲Ａ１，Ａ２，Ａ３及び無指向性電波到達範囲Ｂ１，Ｂ２，Ｂ３を示すブロック図である。また、図７は、図１の無線伝送システムの第１の動作例を示すシーケンス図であり、図８は、図７のステップＳ７１７においてディスプレイ３０５に表示される設置支援情報の表示例である。
【００６４】
図６において、無指向性電波到達範囲Ｂ１は無線伝送装置１０２及び１０３を含み、無線伝送装置１０１は無指向性電波到達範囲Ｂ２及びＢ３に含まれるので、無線伝送装置１０１は無線伝送装置１０２との間で制御データ信号Ｃ１を送受信でき、無線伝送装置１０３との間で制御データ信号Ｃ２を送受信できる。さらに、無線伝送装置１０２は無線伝送装置１０３との間で制御データ信号Ｃ３を送受信できる。また、指向性電波到達範囲Ａ１は無線伝送装置１０２及び１０３を含み、無線伝送装置１０１は指向性電波到達範囲Ａ２及びＡ３に含まれるので、無線伝送装置１０１は無線伝送装置１０２に映像音声データ信号ＡＶ１１を送信でき、無線伝送装置１０３に映像音声データ信号ＡＶ１２を送信できる。すなわち、図６において、無線伝送装置１０１，１０２及び１０３はそれぞれ、制御データ信号Ｃ１，Ｃ２及びＣ３並びに映像音声データ信号ＡＶ１１及びＡＶ１２を送受信可能な位置及び向きに設置されている。
【００６５】
図７において、無線伝送装置１０１と１０２との間で制御データ信号Ｃ１の送受信が可能であるので、ステップＳ７０１においてＭＡＣ認証処理が実行される。ステップＳ７０１のＭＡＣ認証処理において、無線伝送装置１０１は無線伝送システムへの参加を要求する参加要求メッセージを無線伝送装置１０２に送信し、これに応答して、無線伝送装置１０２は無線伝送システムへの参加を許可する認証応答メッセージを返信する。その後、ステップＳ７０２において、無線伝送装置１０２は、無線伝送システム内の全ての無線伝送装置に対して、無線伝送装置１０１が新たに無線伝送システムに参加したことを示す新デバイス発見通知メッセージを含むビーコン信号を送信する。
【００６６】
また、無線伝送装置１０２と１０３との間で制御データ信号Ｃ３の送受信が可能であるので、ステップＳ７０３においてＭＡＣ認証処理が実行される。ステップＳ７０３のＭＡＣ認証処理において、無線伝送装置１０３は参加要求メッセージを無線伝送装置１０２に送信し、これに応答して、無線伝送装置１０２は無線伝送システムへの参加を許可する認証応答メッセージを返信する。その後、ステップＳ７０４において、無線伝送装置１０２は、無線伝送システム内の全ての無線伝送装置に対して、無線伝送装置１０３が新たに無線伝送システムに参加したことを示す新デバイス発見通知メッセージを含むビーコン信号を送信する。
【００６７】
次に、ステップＳ７０５において、無線伝送装置１０１と１０２との間でデバイス情報交換処理が実行される。さらに、ステップＳ７０６において、無線伝送装置１０２と１０３との間でデバイス情報交換処理が実行される。また、ステップＳ７０７において、無線伝送装置１０１と１０３との間でデバイス情報交換処理が実行される。ステップＳ７０５，Ｓ７０６及びＳ７０７の各処理により、無線伝送装置１０１は無線伝送装置１０２及び１０３の装置識別子と取得したデバイス情報とを関連づけてデバイス情報テーブル２１０ｔとして記憶部２１０に記憶し、無線伝送装置１０２は無線伝送装置１０１及び１０３の装置識別子と取得したデバイス情報とを関連づけてデバイス情報テーブル３１０ｔとして無線伝送装置１０２の記憶部３１０に記憶し、無線伝送装置１０３は無線伝送装置１０１及び１０２の装置識別子と取得したデバイス情報とを関連づけてデバイス情報テーブル３１０ｔとして無線伝送装置１０３の記憶部３１０に記憶する。ステップＳ７０７のデバイス情報交換処理終了後のタイミングにおいて、無線伝送装置１０２により管理されている無線伝送システムは、無線伝送装置１０１，１０２及び１０３を含む。
【００６８】
次に、ステップＳ７０８において、無線伝送装置１０２に設置支援開始指示コマンドが入力される。これに応答して、ステップＳ７０９において、無線伝送装置１０２の取得状態検出部３０７は、図４のステップＳ２の処理を実行することにより、無線伝送装置１０１〜１０３の各装置識別子を含むデバイス情報取得確認メッセージを無線伝送装置１０１に送信する。これに応答して、ステップＳ７１１において、無線伝送装置１０１はデバイス情報取得応答メッセージを無線伝送装置１０２に送信する。このとき、無線伝送装置１０１は、ステップＳ７０５及びＳ７０７のデバイス情報交換処理により無線伝送装置１０２及び１０３の各デバイス情報を取得済みであるので、デバイス情報取得応答メッセージに、無線伝送装置１０２及び１０３の各装置識別子をセットする。
【００６９】
また、ステップＳ７０９の実行と同時に、ステップＳ７１０において無線伝送装置１０２の取得状態検出部３０７は、図４のステップＳ２の処理を実行することにより、無線伝送装置１０１〜１０３の各装置識別子を含むデバイス情報取得確認メッセージを無線伝送装置１０３に送信する。これに応答して、ステップＳ７１２において、無線伝送装置１０３はデバイス情報取得応答メッセージを無線伝送装置１０２に送信する。このとき、無線伝送装置１０３は、ステップＳ７０６及びＳ７０７のデバイス情報交換処理により無線伝送装置１０１及び１０２の各デバイス情報を取得済みであるので、デバイス情報取得応答メッセージに、無線伝送装置１０１及び１０２の各装置識別子をセットする。
【００７０】
ステップＳ７１１及びＳ７１２において、無線伝送装置１０２は、無線伝送装置１０１及び１０３の両方からデバイス情報取得応答メッセージを受信する。そして、無線伝送装置１０２の取得状態検出部３０７は、図４のステップＳ３の処理を実行することにより、受信した各デバイス情報取得応答メッセージに含まれる装置識別子に基づいて、無線伝送システム内の全ての無線伝送装置１０１〜１０３間でデバイス情報の交換が正常に行われたことを検出する。取得状態検出部３０７は、各無線伝送装置１０１〜１０３によるデバイス情報の取得状態の検出結果を含む信号を設置支援情報生成部３０９に出力する。
【００７１】
次に、無線伝送装置１０２の伝送品質測定部３０８は、図４のステップＳ４の処理を実行することにより、デバイス情報テーブル３１０ｔを参照して、無線伝送システム内の無線伝送装置１０１〜１０３が映像音声データ信号の送信機能を有する送信装置であるか、映像音声データ信号の受信機能を有する受信装置であるかを判断し、送信装置と受信装置との全ての組み合わせを抽出する。本動作例では、無線伝送装置１０１は送信装置であると判断され、無線伝送装置１０２及び１０３は受信装置であると判断され、無線伝送装置１０１と１０２との組み合わせと、無線伝送装置１０１と１０３との組み合わせが抽出される。そして、ステップＳ７１３において、無線伝送装置１０２の伝送品質測定部３０８は、図４のステップＳ５の処理を実行することにより、送信装置である無線伝送装置１０１に、無線伝送装置１０２との間の伝送品質及び無線伝送装置１０３との間の伝送品質を測定することを指示する測定開始メッセージを送信する。
【００７２】
測定開始メッセージに応答して、無線伝送装置１０１は、ステップＳ７１４において、測定用データを無線伝送装置１０３に送信し、無線伝送装置１０３は受信情報メッセージを返信する。無線伝送装置１０１は、受信情報メッセージに含まれる測定用データの伝送状態の情報に基づいて無線伝送装置１０１と１０３との間の伝送品質を検出する。本動作例では、図６に示すように無線伝送装置１０１の指向電波到達範囲Ａ１に無線伝送装置１０３が位置しており、無線伝送装置１０３の指向電波到達範囲Ａ３に無線伝送装置１０１が位置しているため、所定のしきい値以上の良好な伝送品質が得られる。
【００７３】
その後、無線伝送装置１０１は、ステップＳ７１５において、測定用データを無線伝送装置１０２に送信し、無線伝送装置１０２は受信情報メッセージを返信する。無線伝送装置１０１は、受信情報メッセージに含まれる測定用データの伝送状態の情報に基づいて無線伝送装置１０１と１０２との間の伝送品質を検出する。本動作例では、図６に示すように無線伝送装置１０１の指向電波到達範囲Ａ１に無線伝送装置１０２が位置しており、無線伝送装置１０２の指向電波到達範囲Ａ２に無線伝送装置１０１が位置しているため、所定のしきい値以上の良好な伝送品質が得られる。
【００７４】
その後、ステップＳ７１６において、無線伝送装置１０１は、伝送品質の測定結果を含む測定結果メッセージを無線伝送装置１０２に送信する。無線伝送装置１０２の伝送品質測定部３０８は、図４のステップＳ６の処理を実行することにより、測定結果メッセージを受信した後、送信装置と受信装置の組み合わせ毎の伝送品質の測定結果を含む信号を設置支援情報生成部３０９に出力する。
【００７５】
ステップＳ７１７において、無線伝送装置１０２の設置支援情報生成部３０９は、図５のステップＳ１２の処理を実行することにより、取得状態検出部３０７が検出した検出結果と伝送品質測定部３０８が測定した測定結果とに基づいて設置支援情報を生成し、ディスプレイ３０５に表示する。図８に示すように、本動作例において、無線伝送装置１０２の設置支援情報生成部３０９は、無線伝送装置１０１と１０２との間（ＤＶＤプレーヤとテレビジョン放送受像機との間）の伝送品質が良好であり、かつ、無線伝送装置１０１と１０３との間（ＤＶＤプレーヤとスピーカとの間）の伝送品質も良好であり、無線伝送装置１０１〜１０３の現在の設置位置及び設置方向で全ての無線通信が可能であることを示す設置支援情報をディスプレイ３０５に表示する。これにより、使用者は、全ての無線伝送装置１０１〜１０３の設置位置及び設置方向を変更せずに固定すればよいことを認識できる。
【００７６】
第２の動作例．
図９は、図１の無線伝送システムの第２の動作例における指向性電波到達範囲Ａ１，Ａ２，Ａ３及び無指向性電波到達範囲Ｂ１，Ｂ２，Ｂ３を示すブロック図である。また、図１０は、図１の無線伝送システムの第２の動作例を示すシーケンス図であり、図１１は、図１０のステップＳ１０１０においてディスプレイ３０５に表示される設置支援情報の表示例である。
【００７７】
図９において、無線伝送装置１０１及び１０２は無指向電波到達範囲Ｂ１及びＢ２内に位置しているので、無線伝送装置１０１及び１０２は、制御データ信号Ｃ１を互いに送受信できる。また、無線伝送装置１０１及び１０２は、指向電波到達範囲Ａ２及びＡ１内にそれぞれ位置しているので、無線伝送装置１０１から無線伝送装置１０２に映像音声データ信号ＡＶ１１を送信できる。また、無線伝送装置１０３は無線伝送装置１０１の無指向性電波到達範囲Ｂ１及び指向性電波到達範囲Ａ１、並びに無線伝送装置１０２の無指向性電波到達範囲Ｂ２及び指向性電波到達範囲Ａ２の外側に位置している。従って、無線伝送装置１０３は、無線伝送装置１０１との間で制御データ信号Ｃ２及び映像音声データ信号ＡＶ１２を送受信できず、無線伝送装置１０２との間で制御データ信号Ｃ３を送受信できない。
【００７８】
図１０において、無線伝送装置１０１と１０２との間で制御データ信号Ｃ１の送受信が可能であるので、ステップＳ１００１においてＭＡＣ認証処理が実行される。ステップＳ１００１のＭＡＣ認証処理において、無線伝送装置１０１は無線伝送システムへの参加を要求する参加要求メッセージを無線伝送装置１０２に送信し、これに応答して、無線伝送装置１０２は無線伝送システムへの参加を許可する認証応答メッセージを返信する。その後、ステップＳ１００２において、無線伝送装置１０２は、無線伝送システム内の全ての無線伝送装置に対して、無線伝送装置１０１が新たに無線伝送システムに参加したことを示す新デバイス発見通知メッセージを含むビーコン信号を送信する。このとき、無線伝送装置１０２によって管理されている無線伝送システム内には、無線伝送装置１０１及び１０２だけが存在するので、新デバイス発見通知メッセージは無線伝送装置１０１にのみ送信される。次に、ステップＳ１００３において、無線伝送装置１０１と１０２との間でデバイス情報交換処理が実行される。これにより、無線伝送装置１０１は無線伝送装置１０２の装置識別子と取得したデバイス情報とを関連づけてデバイス情報テーブル２１０ｔとして記憶部２１０に記憶し、無線伝送装置１０２は無線伝送装置１０１の装置識別子と取得したデバイス情報とを関連づけてデバイス情報テーブル３１０ｔとして無線伝送装置１０２の記憶部３１０に記憶する。ここで、無線伝送装置１０２及び１０３はそれぞれ、無指向電波到達範囲Ｂ３及びＢ２の外部に設置されているので、無線伝送装置１０２と１０３との間で、ステップＳ１００１，Ｓ１００２及びステップＳ１００３の各処理に対応する通信は行われない。すなわち、無線伝送装置１０２により管理されている無線伝送システムは、無線伝送装置１０１及び１０２を含み、無線伝送装置１０３を含まない（無線伝送装置２１０のデバイス情報テーブル２１０ｔは無線伝送装置１０１及び１０２のデバイス情報を含む。）。
【００７９】
次に、ステップＳ１００４において、無線伝送装置１０２に設置支援開始指示コマンドが入力される。これに応答して、ステップＳ１００５において、無線伝送装置１０２の取得状態検出部３０７は、図４のステップＳ２の処理を実行することにより、無線伝送装置１０１及び１０２の各装置識別子を含むデバイス情報取得確認メッセージを無線伝送装置１０１に送信する。これに応答して、ステップＳ１００６において、無線伝送装置１０１はデバイス情報取得応答メッセージを無線伝送装置１０２に送信する。このとき、無線伝送装置１０１は、ステップＳ１００３のデバイス情報交換処理により無線伝送装置１０２の各デバイス情報を取得済みであるので、デバイス情報取得応答メッセージに、無線伝送装置１０２の装置識別子をセットする。
【００８０】
ステップＳ１００６において、無線伝送装置１０２は、無線伝送装置１０１からデバイス情報取得応答メッセージを受信する。無線伝送装置１０２の取得状態検出部３０７は、図４のステップＳ３の処理を実行することにより、受信したデバイス情報取得応答メッセージに含まれる装置識別子に基づいて、無線伝送システム内の全ての無線伝送装置１０１及び１０２間でデバイス情報の交換が正常に行われたことを検出する。取得状態検出部３０７は、各無線伝送装置１０１及び１０２によるデバイス情報の取得状態の検出結果を含む信号を設置支援情報生成部３０９に出力する。
【００８１】
次に、無線伝送装置１０２の伝送品質測定部３０８は、図４のステップＳ４の処理を実行することにより、デバイス情報テーブル３１０ｔを参照して、無線伝送システム内の無線伝送装置１０１及び１０２が映像音声データ信号の送信機能を有する送信装置であるか、映像音声データ信号の受信機能を有する受信装置であるかを判断し、送信装置と受信装置との全ての組み合わせを抽出する。本動作例では、無線伝送装置１０１は送信装置であると判断され、無線伝送装置１０２は受信装置であると判断され、無線伝送装置１０１と１０２との組み合わせが抽出される。そして、ステップＳ１００７において、無線伝送装置１０２の伝送品質測定部３０８は、図４のステップＳ５の処理を実行することにより、送信装置である無線伝送装置１０１に、無線伝送装置１０２との間の伝送品質を測定することを指示する測定開始メッセージを送信する。
【００８２】
測定開始メッセージに応答して、無線伝送装置１０１は、ステップＳ１００８において、測定用データを無線伝送装置１０２に送信し、無線伝送装置１０２は受信情報メッセージを返信する。無線伝送装置１０１は、受信情報メッセージに含まれる測定用データの伝送状態の情報に基づいて無線伝送装置１０１と１０２との間の伝送品質を検出する。本動作例では、図９に示すように無線伝送装置１０１の指向電波到達範囲Ａ１に無線伝送装置１０３が位置しており、無線伝送装置１０３の指向電波到達範囲Ａ３に無線伝送装置１０１が位置しているため、所定のしきい値以上の良好な伝送品質が得られる。
【００８３】
その後、ステップＳ１００９において、無線伝送装置１０１は、伝送品質の測定結果を含む測定結果メッセージを無線伝送装置１０２に送信する。無線伝送装置１０２の伝送品質測定部３０８は、図４のステップＳ６の処理を実行することにより、測定結果メッセージを受信した後、送信装置と受信装置の組み合わせ毎の伝送品質の測定結果を含む信号を設置支援情報生成部３０９に出力する。
【００８４】
ステップＳ１０１０において、無線伝送装置１０２の設置支援情報生成部３０９は、図５のステップＳ１２の処理を実行することにより、取得状態検出部３０７が検出した検出結果と伝送品質測定部３０８が測定した測定結果とに基づいて設置支援情報を生成し、ディスプレイ３０５に表示する。本動作例において、無線伝送装置１０２の設置支援情報生成部３０９は、図１１に示すように、無線伝送装置１０１と１０２との間（ＤＶＤプレーヤとテレビジョン放送受像機との間）の伝送品質が良好であり、無線伝送装置１０１及び１０２の現在の設置位置及び設置方向で全ての無線通信が可能であることを示す設置支援情報をディスプレイ３０５に表示する。
【００８５】
本動作例では、図１１のように、ディスプレイ３０５に無線伝送装置１０３の情報は全く表示されない。従って、ユーザは、無線伝送装置１０３と１０２との間の通信が正常に行われていないことを知ることができ、無線伝送装置１０３と１０２との間の距離が離れすぎていないか、無線伝送装置１０３と１０２との間に障害物がないかを確認することにより、図１１の設置支援情報に従って、無線伝送装置１０３設置状況を変更した後、再度、設置支援メニューを選択すると、設置支援開始指示コマンドがコントローラ３０１に入力される。無線伝送装置１０２と１０３との間の無線通信が可能となった場合は、図８と同様に、ディスプレイ３０５に設置支援情報が表示される。
【００８６】
なお、本実施形態において、無線伝送装置１０２は、無線伝送装置１０２が管理している現在の無線伝送システムに対応するデバイス情報テーブル３１０ｔを記憶部３１０に記憶したが、本発明はこれに限られず、無線伝送装置１０２が前回オンされたときなどの、所定のタイミングにおける無線伝送システムに対応するデバイス情報テーブルを記憶部３１０にさらに格納してもよい。この場合、設置支援情報生成部３０９は、図５のステップＳ１２，Ｓ１３及びＳ１４において、上述した所定のタイミングにおける無線伝送システムに対応するデバイス情報テーブルに含まれる無線伝送装置が、取得状態検出部３０７による、各無線伝送装置のデバイス情報の取得状態の検出結果に含まれているか否かを判断する。そして、所定のタイミングにおける無線伝送システムに対応するデバイス情報テーブルに含まれる無線伝送装置のうち、取得状態検出部３０７からの検出結果に含まれない無線伝送装置の設置方法を表す別の設置支援情報も生成してディスプレイ３０５に表示する。すなわち、この場合、無線伝送装置１０２のデバイス情報取得部３０６は、所定のタイミングにおいて取得した自装置以外の他の各無線伝送装置のデバイス情報を記憶部３１０に格納し、設置支援情報生成部３０９は、記憶部３１０に格納されたデバイス情報に対応する各無線伝送装置のうち、取得状態検出部３０７によって検出された検出結果に含まれてない無線伝送装置と他の各無線伝送装置との設置方法を表す別の設置支援情報を生成する。
【００８７】
例えば、無線伝送装置１０２が前回オンされたときに、無線伝送装置１０３が図６に示すように設置され、その後、無線伝送装置１０２が再びオンされたときに無線伝送装置１０３が図９に示す位置に移動されたときは、設置支援情報生成部３０９は以下のように動作する。すなわち、無線伝送装置１０２の設置支援情報生成部３０９は、無線伝送装置１０３が無指向電波到達範囲Ｂ２の範囲外に設置された、もしくは、無線伝送装置１０３の電源がオフになっていると判断する。そして、設置支援情報生成部３０９は、ディスプレイ３０５に無線伝送装置１０３と１０２との間の距離が離れすぎていないか、無線伝送装置１０３と１０２との間に障害物がないか、無線伝送装置１０３の電源がオフになっていないかなどの無線伝送装置１０３の設置方法を表す所定のメッセージを含む設置支援情報を生成してディスプレイ３０５に表示する。図１２は、図１０のステップＳ１０１０においてディスプレイ３０５に表示される設置支援情報の別の表示例である。ユーザは、ディスプレイ３０５に表示されている設置支援情報の内容を確認し、スピーカである無線伝送装置１０３の設置位置の調整、無線伝送装置１０１と１０３との間の障害物の除去、及び無線伝送装置１０３の電源の確認のうちの少なくとも１つを行い、再度、設置支援メニューを選択する。無線伝送装置１０１〜１０３間での通信が可能になったときはディスプレイ３０５に図８のように設置支援情報が表示され、通信が可能にならなかったときは、再び、ディスプレイ３０５に図１２のように設置支援情報が表示される。
【００８８】
第３の動作例．
図１３は、図１の無線伝送システムの第３の動作例における指向性電波到達範囲Ａ１，Ａ２，Ａ３及び無指向性電波到達範囲Ｂ１，Ｂ２，Ｂ３を示すブロック図である。また、図１４は、図１の無線伝送システムの第３の動作例を示すシーケンス図であり、図１５は、図１４のステップＳ１４１３においてディスプレイ３０５に表示される設置支援情報の表示例である。
【００８９】
図１３において、無線伝送装置１０１及び１０２は互いの無指向電波到達範囲Ｂ２及びＢ１にそれぞれ含まれるので、無線伝送装置１０１は無線伝送装置１０２との間で制御データ信号Ｃ１を送受信できる。また、無線伝送装置１０１及び１０２は互いの指向電波到達範囲Ａ２及びＡ１にそれぞれ含まれるので、無線伝送装置１０１は映像音声データ信号ＡＶ１１を無線伝送装置１０２に送信できる。一方、無線伝送装置１０３は、無線伝送装置１０１の無指向電波到達範囲Ｂ１及び指向電波到達範囲Ａ１の外に位置している。このため、無線伝送装置１０１は無線伝送装置１０３との間で制御データ信号Ｃ２及び映像音声データ信号ＡＶ１２を送受信できない。また、無線伝送装置１０２と１０３とは、それぞれ無指向電波到達範囲Ｂ３及びＢ２内に位置しているので、無線伝送装置１０２は無線伝送装置１０３との間で制御データ信号Ｃ３を送受信できる。
【００９０】
図１４において、無線伝送装置１０１と１０２との間で制御データ信号Ｃ１の送受信が可能であるので、ステップＳ１４０１においてＭＡＣ認証処理が実行される。ステップＳ１４０１のＭＡＣ認証処理において、無線伝送装置１０１は無線伝送システムへの参加を要求する参加要求メッセージを無線伝送装置１０２に送信し、これに応答して、無線伝送装置１０２は無線伝送システムへの参加を許可する認証応答メッセージを返信する。その後、ステップＳ１４０２において、無線伝送装置１０２は、無線伝送システム内の全ての無線伝送装置に対して、無線伝送装置１０１が新たに無線伝送システムに参加したことを示す新デバイス発見通知メッセージを含むビーコン信号を送信する。このとき、無線伝送システム１０２により管理されている無線伝送システムに無線伝送装置１０１のみが参加しているので、無線伝送装置１０２は、無線伝送装置１０１にのみ新デバイス発見通知メッセージを送信する。
【００９１】
また、無線伝送装置１０２と１０３との間で制御データ信号Ｃ３の送受信が可能であるので、ステップＳ１４０３においてＭＡＣ認証処理が実行される。ステップＳ１４０３のＭＡＣ認証処理において、無線伝送装置１０３は参加要求メッセージを無線伝送装置１０２に送信し、これに応答して、無線伝送装置１０２は無線伝送システムへの参加を許可する認証応答メッセージを返信する。その後、ステップＳ１４０４において、無線伝送装置１０２は、無線伝送システム内の全ての無線伝送装置に対して、無線伝送装置１０３が新たに無線伝送システムに参加したことを示す新デバイス発見通知メッセージを含むビーコン信号を送信する。このとき、無線伝送システム１０２により管理されている無線伝送システムに無線伝送装置１０１及び１０３が参加しているので、無線伝送装置１０２は、無線伝送装置１０１及び１０３に新デバイス発見通知メッセージを送信する。
【００９２】
次に、ステップＳ１４０５において、無線伝送装置１０１と１０２との間でデバイス情報交換処理が実行される。さらに、ステップＳ１４０６において、無線伝送装置１０２と１０３との間でデバイス情報交換処理が実行される。また、ステップＳ１４０７において、無線伝送装置１０１と１０３との間でデバイス情報交換処理が実行されるが、図１３に示すように無線伝送装置１０１と１０３とは互いの無指向電波到達範囲Ｂ３及びＢ１の外部に設置されているので制御データ信号Ｃ２を送受信できず、ステップＳ１４０７におけるデバイス情報交換処理は失敗する。
【００９３】
次に、ステップＳ１４０８において、無線伝送装置１０２に設置支援開始指示コマンドが入力される。これに応答して、ステップＳ１４０９において、無線伝送装置１０２の取得状態検出部３０７は、図４のステップＳ２の処理を実行することにより、無線伝送装置１０１〜１０３の各装置識別子を含むデバイス情報取得確認メッセージを無線伝送装置１０１に送信する。これに応答して、ステップＳ１４１１において、無線伝送装置１０１はデバイス情報取得応答メッセージを無線伝送装置１０２に送信する。このとき、無線伝送装置１０１は、ステップＳ１４０５及びステップＳ１４０７のデバイス情報交換処理により無線伝送装置１０２のデバイス情報のみを取得済みであるので、デバイス情報取得応答メッセージに、無線伝送装置１０２の装置識別子をセットする。
【００９４】
また、ステップＳ１４０９の実行と同時に、ステップＳ１４１０において無線伝送装置１０２の取得状態検出部３０７は、図４のステップＳ２の処理を実行することにより、無線伝送装置１０１〜１０３の各装置識別子を含むデバイス情報取得確認メッセージを無線伝送装置１０３に送信する。これに応答して、ステップＳ１４１２において、無線伝送装置１０３はデバイス情報取得応答メッセージを無線伝送装置１０２に送信する。このとき、無線伝送装置１０３は、ステップＳ１４０６及びＳ１４０７のデバイス情報交換処理により無線伝送装置１０２のデバイス情報のみを取得済みであるので、デバイス情報取得応答メッセージに、無線伝送装置１０２の装置識別子をセットする。
【００９５】
ステップＳ１４１１及びＳ１４１２において、無線伝送装置１０２は、無線伝送装置１０１及び１０３の両方からデバイス情報取得応答メッセージを受信する。無線伝送装置１０２の取得状態検出部３０７は、図４のステップＳ３の処理を実行することにより、受信した各デバイス情報取得応答メッセージに含まれる装置識別子に基づいて、無線伝送装置１０１と１０２との間でデバイス情報の交換が正常に行われ、無線伝送装置１０２と１０３との間でデバイス情報の交換が正常に行われ、無線伝送装置１０１と１０３との間でデバイス情報の交換が正常に行われなかったことを検出する。取得状態検出部３０７は、各無線伝送装置１０１〜１０３によるデバイス情報の取得状態の検出結果を含む信号を設置支援情報生成部３０９に出力する。
【００９６】
本動作例において、コントローラ３０１は、図４のステップＳ４の処理に続いて図５のステップＳ１０の判断処理と同様の判断処理を実行し、ＮＯの場合にステップＳ５〜Ｓ７の処理を実行し、ＹＥＳの場合にはステップＳ１４の処理を実行して設置支援処理を終了する。本動作例では、図１４のステップＳ１４０７において、無線伝送装置１０１と１０３との間でのデバイス情報の交換は失敗するので、上述した図５のステップＳ１０の判断処理と同様の判断処理に続いて、伝送品質測定部３０８による伝送品質の測定は実行されず、図５のステップＳ１４の処理が実行される。そして、ステップＳ１４１３において、無線伝送装置１０２の設置支援情報生成部３０９は、図５のステップＳ１４の処理を実行することにより、取得状態検出部３０７が検出した検出結果に基づいて設置支援情報を生成し、ディスプレイ３０５に表示する。図１５に示すように、本動作例において、無線伝送装置１０２の設置支援情報生成部３０９は、無線伝送装置１０１と１０３との間（ＤＶＤプレーヤとスピーカとの間）でデバイス情報の交換が正常に行われず、無線伝送装置１０１と１０２との間（ＤＶＤプレーヤとディスプレイとの間）でデバイス情報の交換が正常に行われたことを示す設置支援情報をディスプレイ３０５に表示する。さらに、無線伝送装置１０２は、無線伝送装置１０１と１０３との間の距離が離れすぎていないか、及び無線伝送装置１０１と１０３との間に障害物がないかを確認することを促す所定のメッセージ（無線伝送装置の設置方法を表す情報である。）をディスプレイ３０５に表示する。
【００９７】
ユーザは、図１５のようにディスプレイ３０５に表示された設置支援情報を確認すると、無線伝送装置１０１と１０３の間でデバイス情報の交換が正常に行われなかったことを確認でき、無線伝送装置１０１と１０３との間の距離が離れすぎていないか、無線伝送装置１０１と１０３との間に障害物がないかを確認することにより、設置状況を改善できる。
【００９８】
第４の動作例．
図１６は、図１の無線伝送システムの第４の動作例における指向性電波到達範囲Ａ１，Ａ２，Ａ３及び無指向性電波到達範囲Ｂ１，Ｂ２，Ｂ３を示すブロック図である。また、図１７は、図１の無線伝送システムの第４の動作例を示すシーケンス図であり、図１８は、図１７のステップＳ１７１７においてディスプレイ３０５に表示される設置支援情報の表示例である。
【００９９】
図１６において、無線伝送装置１０１，１０２及び１０３は、全ての無指向電波到達範囲Ｂ１，Ｂ２及びＢ３内に位置している。従って、無線伝送装置１０１は無線伝送装置１０２との間で制御データ信号Ｃ１を送受信でき、無線伝送装置１０３との間で制御データ信号Ｃ２を送受信できる。また、無線伝送装置１０２は無線伝送装置１０３との間で制御データ信号Ｃ３を送受信できる。また、無線伝送装置１０１及び１０２は、それぞれ指向電波到達範囲Ａ２及びＡ１内に位置しているので、無線伝送装置１０１は無線伝送装置１０２に映像音声データ信号ＡＶ１１を送信できる。一方、無線伝送装置１０１は指向電波到達範囲Ａ３内に位置しているが、無線伝送装置１０３は指向電波到達範囲Ａ１外に位置しているので、無線伝送装置１０１は無線伝送装置１０３に映像音声データ信号ＡＶ１２を送信できない。
【０１００】
図１７において、無線伝送装置１０１と１０２との間で制御データ信号Ｃ１の送受信が可能であるので、ステップＳ１７０１においてＭＡＣ認証処理が実行される。ステップＳ１７０１のＭＡＣ認証処理において、無線伝送装置１０１は無線伝送システムへの参加を要求する参加要求メッセージを無線伝送装置１０２に送信し、これに応答して、無線伝送装置１０２は無線伝送システムへの参加を許可する認証応答メッセージを返信する。その後、ステップＳ１７０２において、無線伝送装置１０２は、無線伝送システム内の全ての無線伝送装置に対して、無線伝送装置１０１が新たに無線伝送システムに参加したことを示す新デバイス発見通知メッセージを含むビーコン信号を送信する。
【０１０１】
また、無線伝送装置１０２と１０３との間で制御データ信号Ｃ３の送受信が可能であるので、ステップＳ１７０３においてＭＡＣ認証処理が実行される。ステップＳ１７０３のＭＡＣ認証処理において、無線伝送装置１０３は参加要求メッセージを無線伝送装置１０２に送信し、これに応答して、無線伝送装置１０２は無線伝送システムへの参加を許可する認証応答メッセージを返信する。その後、ステップＳ１７０４において、無線伝送装置１０２は、無線伝送システム内の全ての無線伝送装置に対して、無線伝送装置１０３が新たに無線伝送システムに参加したことを示す新デバイス発見通知メッセージを含むビーコン信号を送信する。
【０１０２】
次に、ステップＳ１７０５において、無線伝送装置１０１と１０２との間でデバイス情報交換処理が実行される。さらに、ステップＳ１７０６において、無線伝送装置１０２と１０３との間でデバイス情報交換処理が実行される。また、ステップＳ１７０７において、無線伝送装置１０１と１０３との間でデバイス情報交換処理が実行される。ステップＳ１７０５，Ｓ１７０６及びＳ１７０７の各処理により、無線伝送装置１０１は無線伝送装置１０２及び１０３の装置識別子と取得したデバイス情報とを関連づけてデバイス情報テーブル２１０ｔとして記憶部２１０に記憶し、無線伝送装置１０２は無線伝送装置１０１及び１０３の装置識別子と取得したデバイス情報とを関連づけてデバイス情報テーブル３１０ｔとして無線伝送装置１０２の記憶部３１０に記憶し、無線伝送装置１０３は無線伝送装置１０１及び１０２の装置識別子と取得したデバイス情報とを関連づけてデバイス情報テーブル３１０ｔとして無線伝送装置１０３の記憶部３１０に記憶する。ステップＳ１７０７のデバイス情報交換処理終了後のタイミングにおいて、無線伝送装置１０２により管理されている無線伝送システムは、無線伝送装置１０１，１０２及び１０３を含む。
【０１０３】
次に、ステップＳ１７０８において、無線伝送装置１０２に設置支援開始指示コマンドが入力される。これに応答して、ステップＳ１７０９において、無線伝送装置１０２の取得状態検出部３０７は、図４のステップＳ２の処理を実行することにより、無線伝送装置１０１〜１０３の各装置識別子を含むデバイス情報取得確認メッセージを無線伝送装置１０１に送信する。これに応答して、ステップＳ１７１１において、無線伝送装置１０１はデバイス情報取得応答メッセージを無線伝送装置１０２に送信する。このとき、無線伝送装置１０１は、ステップＳ１７０５及びＳ１７０７のデバイス情報交換処理により無線伝送装置１０２及び１０３の各デバイス情報を取得済みであるので、デバイス情報取得応答メッセージに、無線伝送装置１０２及び１０３の各装置識別子をセットする。
【０１０４】
また、ステップＳ１７０９の実行と同時に、ステップＳ１７１０において無線伝送装置１０２の取得状態検出部３０７は、図４のステップＳ２の処理を実行することにより、無線伝送装置１０１〜１０３の各装置識別子を含むデバイス情報取得確認メッセージを無線伝送装置１０３に送信する。これに応答して、ステップＳ１７１２において、無線伝送装置１０３はデバイス情報取得応答メッセージを無線伝送装置１０２に送信する。このとき、無線伝送装置１０３は、ステップＳ１７０６及びＳ１７０７のデバイス情報交換処理により無線伝送装置１０１及び１０２の各デバイス情報を取得済みであるので、デバイス情報取得応答メッセージに、無線伝送装置１０１及び１０２の各装置識別子をセットする。
【０１０５】
ステップＳ１７１１及びＳ１７１２において、無線伝送装置１０２は、無線伝送装置１０１及び１０３の両方からデバイス情報取得応答メッセージを受信する。そして、無線伝送装置１０２の取得状態検出部３０７は、図４のステップＳ３の処理を実行することにより、受信した各デバイス情報取得応答メッセージに含まれる装置識別子に基づいて、無線伝送システム内の全ての無線伝送装置１０１〜１０３間でデバイス情報の交換が正常に行われたことを検出する。取得状態検出部３０７は、各無線伝送装置１０１〜１０３によるデバイス情報の取得状態の検出結果を含む信号を設置支援情報生成部３０９に出力する。
【０１０６】
次に、無線伝送装置１０２の伝送品質測定部３０８は、図４のステップＳ４の処理を実行することにより、デバイス情報テーブル３１０ｔを参照して、無線伝送システム内の無線伝送装置１０１〜１０３が映像音声データ信号の送信機能を有する送信装置であるか、映像音声データ信号の受信機能を有する受信装置であるかを判断し、送信装置と受信装置との全ての組み合わせを抽出する。本動作例では、無線伝送装置１０１は送信装置であると判断され、無線伝送装置１０２及び１０３は受信装置であると判断され、無線伝送装置１０１と１０２との組み合わせと、無線伝送装置１０１と１０３との組み合わせが抽出される。そして、ステップＳ１７１３において、無線伝送装置１０２の伝送品質測定部３０８は、図４のステップＳ５の処理を実行することにより、送信装置である無線伝送装置１０１に、無線伝送装置１０２との間の伝送品質及び無線伝送装置１０３との間の伝送品質を測定することを指示する測定開始メッセージを送信する。
【０１０７】
測定開始メッセージに応答して、無線伝送装置１０１は、ステップＳ１７１４において、測定用データを無線伝送装置１０３に送信し、無線伝送装置１０３は受信情報メッセージを返信する。無線伝送装置１０１は、受信情報メッセージに含まれる測定用データの伝送状態の情報に基づいて無線伝送装置１０１と１０３との間の伝送品質を検出する。本動作例では、図１６に示すように無線伝送装置１０１の指向電波到達範囲Ａ１の外に無線伝送装置１０３が位置しているため、所定のしきい値以上の良好な伝送品質が得られない。
【０１０８】
その後、無線伝送装置１０１は、ステップＳ１７１５において、測定用データを無線伝送装置１０２に送信し、無線伝送装置１０２は受信情報メッセージを返信する。無線伝送装置１０１は、受信情報メッセージに含まれる測定用データの伝送状態の情報に基づいて無線伝送装置１０１と１０２との間の伝送品質を検出する。本動作例では、図１６に示すように無線伝送装置１０１の指向電波到達範囲Ａ１に無線伝送装置１０２が位置しており、無線伝送装置１０２の指向電波到達範囲Ａ２に無線伝送装置１０１が位置しているため、所定のしきい値以上の良好な伝送品質が得られる。
【０１０９】
その後、ステップＳ１７１６において、無線伝送装置１０１は、伝送品質の測定結果を含む測定結果メッセージを無線伝送装置１０２に送信する。無線伝送装置１０２の伝送品質測定部３０８は、図４のステップＳ６の処理を実行することにより、測定結果メッセージを受信した後、送信装置と受信装置の組み合わせ毎の伝送品質の測定結果を含む信号を設置支援情報生成部３０９に出力する。
【０１１０】
ステップＳ１７１７において、無線伝送装置１０２の設置支援情報生成部３０９は、図５のステップＳ１４の処理を実行することにより、取得状態検出部３０７が検出した検出結果と伝送品質測定部３０８が測定した測定結果とに基づいて設置支援情報を生成し、ディスプレイ３０５に表示する。図１８に示すように、本動作例において、無線伝送装置１０２の設置支援情報生成部３０９は、無線伝送装置１０１と１０２との間（ＤＶＤプレーヤとテレビジョン放送受像機との間）の伝送品質が良好であり、かつ、無線伝送装置１０１と１０３との間（ＤＶＤプレーヤとスピーカとの間）の伝送品質が良好では無いことを示す所定のメッセージと、無線伝送装置１０１と１０３の距離が離れすぎていないか、無線伝送装置１０１と１０３との間に障害物がないかなどの無線伝送装置１０３の設置方法を表す所定のメッセージ（無線伝送装置の設置方法を表す情報である。）を含む設置支援情報を生成してディスプレイ３０５に表示する。
【０１１１】
ユーザは、図１８の設置支援情報を確認することにより、無線伝送装置１０１と１０３との間の伝送品質が良好でないために無線伝送装置１０１と１０３との間の映像音声データ信号ＡＶ１２の送受信が正常に行われないことを知ることができ、無線伝送装置１０１と１０３の距離が離れすぎていないか、無線伝送装置１０１と１０３との間に障害物がないかを確認することにより、設置状況を改善できる。
【０１１２】
以上説明したように、本実施形態によれば、３個以上の複数の無線伝送装置で構成された無線伝送システムにおいて、取得状態検出部３０７は、デバイス情報取得部２０６及び３０６が取得した自装置以外の他の各無線伝送装置のデバイス情報を用いて、無線伝送システム内の各無線伝送装置が、無線伝送システム内の全ての無線伝送装置のデバイス情報を取得しているか否かを検出する。そして、伝送品質測定部３０８は、各無線伝送装置が送信装置であるか受信装置であるかを判別し、送信装置と受信装置の全ての組み合わせを抽出し、抽出した組み合わせ毎の伝送品質を測定するように制御する。さらに、設置支援情報生成部３０９は、取得状態検出部３０７による検出結果と伝送品質測定部３０８の測定結果に基づいて、映像音声データ信号を所定のしきい値以上の伝送品質で無線伝送するための各無線伝送装置の設置方法を表す設置支援情報を生成する。
【０１１３】
本実施形態によれば、指向性を有するミリ波等を用いた無線伝送装置を多対多で接続する場合にも無線伝送装置の設置支援を行うことができる。また、本実施形態によれば、３個以上の複数の無線伝送装置を含む無線伝送システムにおいて無線伝送装置の設置支援を行うことができるので、従来技術に比較してユーザの利便性を向上できる。また、本発明に係る無線伝送装置の設置支援方法によれば、指向性を有するミリ波等を用いた無線伝送装置の多対多接続を行うための設置支援を実施するので、従来技術に比較してユーザの利便性を向上できる。
【０１１４】
なお、本実施形態において、設置支援開始指示コマンドが入力されると図４のステップＳ２からステップＳ７までの処理が１回だけ実行されたが、本発明はこれに限られず、ステップＳ２からステップＳ７までの処理を定期的に繰り返して実行してもよい。すなわち、無線伝送装置１０２において、取得状態検出部３０７と、伝送品質測定部３０８と、設置支援情報生成部３０９とを、定期的に繰り返し動作させてもよい。また、無線伝送装置１０２において、取得状態検出部３０７及び伝送品質測定部３０８のうちの一方と、設置支援情報生成部３０９とを、定期的に繰り返し動作させてもよい。これにより、ユーザは各無線伝送装置１０１〜１０３の設置位置及び設置方向を変更しながら、リアルタイムに設置支援情報を確認できる。
【０１１５】
また、本実施形態において、設置支援情報生成部３０９は図５の設置支援情報生成処理を実行したが、本発明はこれに限られない。設置支援情報生成部３０９は、取得状態検出部３０７による検出結果と、伝送品質測定部３０８によって取得された上記各組み合わせ毎の伝送品質の測定結果とに基づいて、映像音声データ信号の送信装置と受信装置との各組み合わせ間で映像音声データ信号を所定のしきい値以上の伝送品質で無線伝送するための上記各無線伝送装置の設置方法を表す設置支援情報を生成すればよい。ここで、設置方法は、無線伝送装置の設置方向を調整することと、無線伝送装置間の障害物を除去することと、無線伝送装置間の距離を調整することとのうちの少なくとも１つである。
【０１１６】
さらに、本実施形態において、図３に示すように、無線伝送装置１０２はスピーカ３０４及びディスプレイ３０５を内蔵し、無線伝送装置１０３はスピーカ３０４を内蔵したが、本発明はこれに限られず、スピーカ３０４及びディスプレイ３０５を無線伝送装置１０２及び１０３の外部に設けてもよい。図１９は、本発明の実施形態の変形例に係る無線伝送装置１０２Ａ及び１０３Ａの構成を示すブロック図である。無線伝送装置１０２Ａ及び１０３Ａは、例えばセットトップボックスである。図１９において、無線伝送装置１０２Ａは、図３の無線伝送装置１０２に比較して、スピーカ３０４及びディスプレイ３０５に代えて有線送受信回路３１２を備えて構成される。パケット処理回路３０３は、パケット無線送受信回路３０２より入力されるベースバンド信号から所定のパケット分離処理により映像音声データ信号ＡＶ１１を取り出すことにより受信されたパケットをデコードする。パケット処理回路３０３によりデコードされた映像音声データ信号ＡＶ１１に含まれる音声データ及び映像データは、有線送受信回路３１２に出力される。有線送受信回路３１２は、入力される音声データを音声伝送ケーブルを介してスピーカ３０４に出力すると共に、入力される映像データを映像伝送ケーブルを介してディスプレイ３０５に出力する。また、図１９の構成は無線伝送装置１０３Ａにも適用される。この場合、無線伝送装置１０３Ａはスピーカ３０４に接続され、ディスプレイ３０５に接続されない。
【０１１７】
またさらに、本実施形態において、３台の無線伝送装置１０１〜１０３を含む無線伝送システムにおいて、１台の無線伝送装置１０１に２台の無線伝送装置１０２及び１０３を無線接続したが、本発明はこれに限られず、３台以上の複数の無線伝送装置を含む無線伝送システムにおいて、複数の無線伝送装置に複数の無線伝送装置を無線接続してもよい。
【０１１８】
また、本実施形態において、無線伝送装置１０２が管理装置として動作して図４の設置支援処理を実行したが、本発明はこれに限られず、無線伝送装置１０２以外の任意の無線伝送装置（例えば、無線伝送装置１０３である。）が管理装置として動作して図４の設置支援処理を実行すればよい。管理装置として動作する無線伝送装置は、当該無線伝送装置の音声表示機能及び映像表示機能のうちの少なくとも一方を用いて、図４の設置支援処理を実行する。
【０１１９】
さらに、本実施形態において、無線伝送装置１０１〜１０３の各部の機能を当該機能に対応するソフトウェアのプログラムにより実現したが、本発明はこれに限られず、無線伝送装置１０１〜１０３の各部の機能を当該機能に対応するハードウェアにより実現してもよい。なお、無線伝送装置１０１〜１０３の各部の機能を当該機能に対応するソフトウェアのプログラムにより実現すれば、ハードウェアにより実現する場合に比較して、設定及び処理内容を容易に変更できる。
【０１２０】
またさらに、本実施形態において、図４の設置支援処理のプログラムとその実行のためのデータを記憶部３１０に予め格納したが、本発明はこれに限られない。例えば、無線伝送装置１０２にコンピュータ等のコントローラを含む光ディスクドライブを設け、ＣＤ−ＲＯＭ又はＤＶＤ等の、コンピュータで読み取り可能な記録媒体に記録された設置支援処理のプログラムとその実行のためのデータをそれぞれ、上述した光ディスクドライブにより読み出して、記憶部３１０に格納してもよい。また、無線伝送装置１０２にＬＡＮ（Local Area Network）インターフェースを設け、設置支援処理のプログラムとその実行のためのデータを、無線伝送装置１０２の外部装置からインターネット及びＬＡＮインターフェースを介して記憶部３１０に格納してもよい。
【０１２１】
また、本実施形態において映像音声データ信号ＡＶ１１は映像データ信号及び音声データ信号を含み、映像音声データ信号ＡＶ１２は音声データ信号を含んだが、本発明はこれに限られず、映像音声データ信号ＡＶ１１及びＡＶ１２はそれぞれ、映像データ及び音声データのうちの一方のみを含んでもよい。また、映像音声データ信号ＡＶ１１及びＡＶ１２に代えて、他の所定の信号を無線伝送してもよい。
【０１２２】
さらに、本実施形態において、アンテナ２０５はコントローラ２０１の制御からの制御に基づいて指向性アンテナ又は無指向性アンテナとして動作したが、本発明はこれに限られず、アンテナ２０５に代えて、指向性アンテナと無指向性アンテナとを別に設けてもよい。同様に、アンテナ３１１に代えて、指向性アンテナと無指向性アンテナとを別に設けてもよい。
【産業上の利用可能性】
【０１２３】
以上説明したように、本発明に係る無線伝送装置と、無線伝送システムと、無線伝送装置の設置支援方法と、当該設置支援方法のプログラムと、当該プログラムを格納するコンピュータで読み取り可能な記録媒体とによれば、取得状態検出部による検出結果と、伝送品質測定部によって取得された各組み合わせ毎の伝送品質の測定結果とに基づいて、抽出された各組み合わせ間で所定の信号を所定のしきい値以上の伝送品質で無線伝送するための各無線伝送装置の設置方法を表す設置支援情報を生成するので、３個以上の複数の無線伝送装置を含む無線伝送システムにおいて無線伝送装置の設置支援を行うことができる。
【０１２４】
本発明に係る無線伝送装置と、無線伝送システムと、無線伝送装置の設置支援方法と、当該設置支援方法のプログラムと、当該プログラムを格納するコンピュータで読み取り可能な記録媒体は、特に、例えば、ワイヤレスＨＤなどの無線通信規格に準拠した無線伝送システムに利用できる。
【符号の説明】
【０１２５】
１０１，１０２，１０３，１０２Ａ，１０３Ａ…無線伝送装置、
２０１…コントローラ、
２０２…映像音声再生回路、
２０３…パケット処理回路、
２０４…パケット無線送受信回路、
２０４ａ…高速無線通信回路、
２０４ｂ…低速無線通信回路、
２０５…アンテナ、
２０６…デバイス情報取得部、
２１０…記憶部、
２１０ｔ…デバイス情報テーブル、
３０１…コントローラ、
３０２…パケット無線送受信回路、
３０２ａ…高速無線通信回路、
３０２ｂ…低速無線通信回路、
３０３…パケット処理回路、
３０４…スピーカ、
３０５…ディスプレイ、
３０６…デバイス情報取得部、
３０７…取得状態検出部、
３０８…伝送品質測定部、
３０９…設置支援情報生成部、
３１０…記憶部、
３１０ｔ…デバイス情報テーブル、
３１１…アンテナ、
３１２…有線送受信回路。
【手続補正２】
【補正対象書類名】特許請求の範囲
【補正対象項目名】全文
【補正方法】変更
【補正の内容】
【特許請求の範囲】
【請求項１】
第１の無線伝送装置と、複数の第２の無線伝送装置とを含む無線伝送システムのための第１の無線伝送装置であって、
上記第１の無線伝送装置と上記複数の第２の無線伝送装置とはそれぞれ、自装置以外の他の各無線伝送装置と無線通信することにより上記自装置以外の他の各無線伝送装置のデバイス情報を取得するデバイス情報取得部を備え、
上記デバイス情報は、所定の信号を無線送信する送信機能を有するか否かを示す情報と、上記信号を無線受信する受信機能を有するか否かを示す情報とを含み、
上記第１の無線伝送装置は、
上記各第２の無線伝送装置と無線通信することにより、上記各第２の無線伝送装置による自装置以外の他の各無線伝送装置のデバイス情報の取得状態を検出する取得状態検出部と、
上記第１の無線伝送装置のデバイス情報と、上記デバイス情報取得部により取得された上記各第２の無線伝送装置のデバイス情報とに基づいて、上記送信機能を有する送信装置と上記受信機能を有する受信装置との全ての組み合わせを抽出し、上記抽出された各組み合わせの上記送信装置となる各無線伝送装置に対して、上記受信装置となる各無線伝送装置との間の伝送品質を測定することを要求し、上記送信装置となる各無線伝送装置から、上記受信装置となる各無線伝送装置との間の伝送品質の測定結果を含む信号を無線受信し、上記無線受信された各測定結果を含む信号に基づいて、上記各組み合わせ毎の伝送品質の測定結果を取得する伝送品質測定部と、
上記取得状態検出部による検出結果と、上記伝送品質測定部によって取得された上記各組み合わせ毎の伝送品質の測定結果とに基づいて、上記抽出された各組み合わせ間で上記所定の信号を所定のしきい値以上の伝送品質で無線伝送するための上記各無線伝送装置の設置方法を表す設置支援情報を生成する設置支援情報生成部とを備えたことを特徴とする無線伝送装置。
【請求項２】
上記第１の無線伝送装置は、ミリ波帯の周波数を有する搬送波を用いて上記各第２の無線伝送装置との間で無線通信を行うことを特徴とする請求項１記載の無線伝送装置。
【請求項３】
上記設置方法は、無線伝送装置の設置方向を調整することと、無線伝送装置間の障害物を除去することと、無線伝送装置間の距離を調整することとのうちの少なくとも１つであることを特徴とする請求項１又は２記載の無線伝送装置。
【請求項４】
上記設置支援情報生成部は、上記デバイス情報を互いに取得できていない無線伝送装置の組み合わせが存在するとき、当該無線伝送装置間の障害物を除去することと、当該無線伝送装置間の距離を調整することとを上記設置方法として含む上記設置支援情報を生成することを特徴とする請求項１から３までのうちのいずれか１つに記載の無線伝送装置。
【請求項５】
上記設置支援情報生成部は、上記伝送品質が上記しきい値未満である無線伝送装置の組み合わせが存在するとき、当該無線伝送装置間の障害物を除去することと、当該無線伝送装置間の距離を調整することと、当該各無線伝送装置の設置方向を調整することとを上記設置方法として含む上記設置支援情報を生成することを特徴とする請求項１から４までのうちのいずれか１つに記載の無線伝送装置。
【請求項６】
上記伝送品質はパケット誤り率又は電波強度であることを特徴とする請求項１から５までのうちのいずれか１つに記載の無線伝送装置。
【請求項７】
上記取得状態検出部及び上記伝送品質測定部のうちの少なくとも一方と、上記設置支援情報生成部とは、定期的に繰り返し動作することを特徴とする請求項１から６までのうちのいずれか１つに記載の無線伝送装置。
【請求項８】
上記デバイス情報取得部は、所定のタイミングにおいて取得した上記自装置以外の他の各無線伝送装置のデバイス情報を記憶部に格納し、
上記設置支援情報生成部は、上記記憶部に格納されたデバイス情報に対応する各無線伝送装置のうち、上記取得状態検出部によって検出された検出結果に含まれてない無線伝送装置と他の各無線伝送装置との設置方法を表す別の設置支援情報を生成することを特徴とする請求項１から７までのうちのいずれか１つに記載の無線伝送装置。
【請求項９】
上記デバイス情報取得部は、無指向性電波を用いて上記自装置以外の他の各無線伝送装置と無線通信し、
上記取得状態検出部は、無指向性電波を用いて上記各第２の無線伝送装置と無線通信し、
上記伝送品質測定部は、無指向性電波を用いて、上記抽出された各組み合わせの送信装置となる各無線伝送装置と無線通信し、
上記送信装置となる各無線伝送装置は、上記受信装置となる各無線伝送装置との間の伝送品質を、指向性電波を用いて測定することを特徴とする請求項１から８までのうちのいずれか１つに記載の無線伝送装置。
【請求項１０】
上記所定の信号は映像データ信号及び音声データ信号のうちの少なくとも一方を含むことを特徴とする請求項１から９までのうちのいずれか１つに記載の無線伝送装置。
【請求項１１】
第１の無線伝送装置と、複数の第２の無線伝送装置とを含む無線伝送システムのための第２の無線伝送装置であって、
上記第１の無線伝送装置と上記複数の第２の無線伝送装置とはそれぞれ、自装置以外の他の各無線伝送装置と無線通信することにより上記自装置以外の他の各無線伝送装置のデバイス情報を取得するデバイス情報取得部を備え、
上記デバイス情報は、所定の信号を無線送信する送信機能を有するか否かを示す情報と、上記信号を無線受信する受信機能を有するか否かを示す情報とを含み、
上記第２の無線伝送装置は、
自装置以外の他の各無線伝送装置のデバイス情報の取得状態を示す信号を上記第１の無線伝送装置に無線送信し、
上記受信機能を有する受信装置となる各無線伝送装置との間の伝送品質を測定することを上記第１の無線伝送装置から要求されたとき、上記受信装置となる各無線伝送装置との間の伝送品質を測定し、上記伝送品質の測定結果を含む信号を上記第１の無線伝送装置に無線送信することを特徴とする無線伝送装置。
【請求項１２】
請求項１記載の第１の無線伝送装置と、
請求項１１記載の複数の第２の無線伝送装置とを含むことを特徴とする無線伝送システム。
【請求項１３】
第１の無線伝送装置と、複数の第２の無線伝送装置とを含む無線伝送システムのための無線伝送装置の設置支援方法であって、
上記第１の無線伝送装置と上記複数の第２の無線伝送装置とがそれぞれ、自装置以外の他の各無線伝送装置と無線通信することにより上記自装置以外の他の各無線伝送装置のデバイス情報を取得するデバイス情報取得ステップを含み、
上記デバイス情報は、所定の信号を無線送信する送信機能を有するか否かを示す情報と、上記信号を無線受信する受信機能を有するか否かを示す情報とを含み、
上記設置支援方法は、
上記第１の無線伝送装置が、上記各第２の無線伝送装置と無線通信することにより、上記各第２の無線伝送装置による自装置以外の他の各無線伝送装置のデバイス情報の取得状態を検出する取得状態検出ステップと、
上記第１の無線伝送装置が、上記第１の無線伝送装置のデバイス情報と、上記デバイス情報取得ステップにより取得された上記各第２の無線伝送装置のデバイス情報とに基づいて、上記送信機能を有する送信装置と上記受信機能を有する受信装置との全ての組み合わせを抽出し、上記抽出された各組み合わせの上記送信装置となる各無線伝送装置に対して、上記受信装置となる各無線伝送装置との間の伝送品質を測定することを要求し、上記送信装置となる各無線伝送装置から、上記受信装置となる各無線伝送装置との間の伝送品質の測定結果を含む信号を無線受信し、上記無線受信された各測定結果を含む信号に基づいて、上記各組み合わせ毎の伝送品質の測定結果を取得する伝送品質測定ステップと、
上記第１の無線伝送装置が、上記取得状態検出ステップによる検出結果と、上記伝送品質測定ステップによって取得された上記各組み合わせ毎の伝送品質の測定結果とに基づいて、上記抽出された各組み合わせ間で上記所定の信号を所定のしきい値以上の伝送品質で無線伝送するための上記各無線伝送装置の設置方法を表す設置支援情報を生成する設置支援情報生成ステップとを含むことを特徴とする無線伝送装置の設置支援方法。
【請求項１４】
請求項１３記載の無線伝送装置の設置支援方法における各ステップを含むことを特徴とするプログラム。
【請求項１５】
請求項１４記載のプログラムを格納したことを特徴とするコンピュータで読み取り可能な記録媒体。
【手続補正３】
【補正対象書類名】図面
【補正対象項目名】全図
【補正方法】変更
【補正の内容】
【図１】
2012004944.tif 000022
【図２】
2012004944.tif 000023
【図３】
2012004944.tif 000024
【図４】
2012004944.tif 000025
【図５】
2012004944.tif 000026
【図６】
2012004944.tif 000027
【図７】
2012004944.tif 000028
【図８】
2012004944.tif 000029
【図９】
2012004944.tif 000030
【図１０】
2012004944.tif 000031
【図１１】
2012004944.tif 000032
【図１２】
2012004944.tif 000033
【図１３】
2012004944.tif 000034
【図１４】
2012004944.tif 000035
【図１５】
2012004944.tif 000036
【図１６】
2012004944.tif 000037
【図１７】
2012004944.tif 000038
【図１８】
2012004944.tif 000039
【図１９】
2012004944.tif 000040
【国際調査報告】
2012004944.tif 000041
2012004944.tif 000042
2012004944.tif 000043
2012004944.tif 000044